(57)【要約】本願は、タイマー処理方法および端末装置を提供する。本方法は、端末装置によって、ネットワーク装置によって送信された第1のメッセージを受信する段階と、前記第1のメッセージのスクランブル識別子に基づいてタイマーを始動または再始動する段階であって、前記タイマーは、アクティブ下りリンクBWPからデフォルト下りリンクBWPに切り換えるために前記端末装置によって使用されるタイマーである、またはデフォルト下りリンクBWPをアクティブ化し、アクティブ下りリンクBWPを非アクティブ化するために前記端末装置によって使用されるタイマーである、段階、または前記端末装置のアクティブBWP対がデフォルトBWP対ではない場合、前記端末装置によって、前記第1のメッセージのスクランブル識別子に基づいてタイマーを始動または再始動する段階であって、前記タイマーは、アクティブBWP対からデフォルトBWP対に切り換えるために前記端末装置によって使用されるタイマーである、または、デフォルトBWP対をアクティブ化し、アクティブBWP対を非アクティブ化するために前記端末装置によって使用されるタイマーである、段階とを含む。これは、タイマー始動または再始動の間に正しくデフォルトの下りリンクBWPに切り換えることができないという従来技術の問題を解決し、それにより端末装置の電力消費を低減する。
2021510051.tif 000002
【特許請求の範囲】
【請求項１】
タイマー処理方法であって：
端末装置によって、ネットワーク装置によって送信された第1のメッセージを受信する段階であって、前記第1のメッセージは、下りリンク割り当てまたは上りリンク承認を示すために使用される、または前記第1のメッセージは、帯域幅部分BWP切り換えを示すために使用される、段階と；
前記端末装置のアクティブ下りリンクBWPがデフォルト下りリンクBWPでない場合、前記端末装置によって、前記第1のメッセージのスクランブル識別子に基づいてタイマーを始動または再始動する段階であって、前記タイマーは、アクティブ下りリンクBWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために前記端末装置によって使用されるタイマーである、段階；または
前記端末装置のアクティブなBWP対がデフォルトBWP対でない場合、前記端末装置によって、前記第1のメッセージのスクランブル識別子に基づいてタイマーを始動または再始動する段階であって、前記タイマーは、アクティブなBWP対からデフォルトBWP対に切り換えるために前記端末装置によって使用されるタイマーである、または前記タイマーは、デフォルトBWP対をアクティブ化し、アクティブなBWP対を非アクティブ化するために前記端末装置によって使用されるタイマーである、段階とを含む、
方法。
【請求項２】
前記端末装置によって、前記第1のメッセージのスクランブル識別子に基づいてタイマーを始動または再始動することは：
前記端末装置によって、前記スクランブル識別子がランダムアクセス無線ネットワーク一時識別子RA-RNTIでも一時セル無線ネットワーク一時識別子TC-RNTIでもないときに、前記タイマーを始動または再始動することを含む、
請求項１に記載の方法。
【請求項３】
前記端末装置によって、前記第1のメッセージのスクランブル識別子に基づいてタイマーを始動または再始動することは：
前記端末装置によって、前記スクランブル識別子が第1のスクランブル識別子であるときに前記タイマーを始動または再始動することを含み、前記第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである、
請求項１に記載の方法。
【請求項４】
前記端末装置によって、前記第1のメッセージのスクランブル識別子に基づいてタイマーを始動または再始動することは：
前記端末装置によって、前記スクランブル識別子がランダムアクセス無線ネットワーク一時識別子RA-RNTIであり、前記端末装置が非競合ベースのランダムアクセスを実行するときに前記タイマーを始動または再始動することを含む、
請求項１に記載の方法。
【請求項５】
前記スクランブル識別子がRA-RNTIであり、前記端末装置が競合ベースのランダムアクセスを実行するとき、前記端末装置によって、もとの状態を維持するように前記タイマーを制御することを含む、請求項４に記載の方法。
【請求項６】
前記タイマーは、前記端末装置のアクティブ下りリンクBWPに関連付けられたタイマーである、または前記タイマーは、前記端末装置のアクティブなBWP対に関連付けられたタイマーである、請求項１ないし５のうちいずれか一項に記載の方法。
【請求項７】
タイマー処理方法であって：
端末装置によって、ネットワーク装置によって送信された第1のメッセージを受信する段階であって、前記第1のメッセージは、下りリンク割り当てまたは上りリンク承認を示すために使用される、または前記第1のメッセージは、帯域幅部分BWP切り換えを示すために使用される、段階と；
前記端末装置によって、前記第1のメッセージのキャリア・インデックスに基づいてタイマーを始動または再始動する段階であって、前記タイマーは、アクティブ下りリンクBWPからデフォルトの下りリンクBWPに切り換えるために前記端末装置によって使用されるタイマーである、または前記タイマーは、デフォルトの下りリンクBWPをアクティブ化し、アクティブ下りリンクBWPを非アクティブ化するために前記端末装置によって使用されるタイマーである、または、前記タイマーは、アクティブBWP対からデフォルトBWP対に切り換えるために前記端末装置によって使用されるタイマーである、または、前記タイマーは、デフォルトBWP対をアクティブ化し、アクティブなBWP対を非アクティブ化するために前記端末装置によって使用されるタイマーである、段階とを含む、
方法。
【請求項８】
前記端末装置のアクティブ下りリンクBWPがデフォルト下りリンクBWPではなく、前記端末装置のアクティブ下りリンクBWPが前記キャリア・インデックスによって示されるキャリアまたはサービス・セルの下りリンクBWPである場合、または前記端末装置のアクティブBWP対がデフォルトBWP対ではなく、前記端末装置のアクティブBWP対が前記キャリア・インデックスによって示されるキャリアまたはサービス・セルのBWP対である場合、前記タイマーは前記キャリアまたは前記サービス・セルのタイマーである、
請求項７に記載の方法。
【請求項９】
前記端末装置のアクティブ下りリンクBWPがデフォルト下りリンクBWPではなく、前記端末装置のアクティブ下りリンクBWPが前記第1のメッセージを受信するために使用されるキャリアまたはサービス・セルの下りリンクBWPである場合、または、前記端末装置のアクティブBWP対がデフォルトBWP対ではなく、前記端末装置のアクティブBWP対が前記第1のメッセージを受信するために使用されるキャリアまたはサービス・セルのBWP対である場合、前記タイマーはさらに、前記第1のメッセージを受信するために使用されるキャリアまたはサービス・セルのタイマーである、
請求項８に記載の方法。
【請求項１０】
前記タイマーは、前記端末装置のアクティブ下りリンクBWPに関連付けられたタイマーである、または、前記タイマーは、前記キャリア上または前記サービス・セル内の前記端末装置のアクティブ下りリンクBWPに関連付けられたタイマーである、または前記タイマーは、端末装置のアクティブBWP対に関連付けられたタイマーである、または前記タイマーは、前記キャリア上または前記サービス・セル内の前記端末装置のアクティブBWP対に関連付けられたタイマーである、
請求項７ないし９のうちいずれか一項に記載の方法。
【請求項１１】
タイマー処理方法であって：
端末装置によって、少なくとも一つの構成された資源が存在することを判別する段階と；
前記端末装置のアクティブ帯域幅部分BWP対がデフォルトBWP対でない場合、前記端末装置によって、存在する前記少なくとも一つの構成された資源に基づいてタイマーを始動または再始動する段階であって、前記タイマーは、アクティブBWP対からデフォルトBWP対に切り換えるために前記端末装置によって使用されるタイマーである、または前記タイマーは、デフォルトBWP対をアクティブ化し、アクティブBWP対を非アクティブ化するために端末装置によって使用されるタイマーである、段階とを含む、
方法。
【請求項１２】
前記構成された資源上でデータが伝送される、請求項１１記載の方法。
【請求項１３】
前記端末装置によって、存在する前記少なくとも一つの構成された資源に基づいてタイマーを始動または再始動することが：
前記構成された資源が下りリンク資源または上りリンク資源であることと；
前記少なくとも一つの構成された資源が存在することを判別するときに、前記端末装置によって前記タイマーを始動または再始動すること；または前記構成された資源が下りリンク資源であり、前記下りリンク資源上で下りリンク・データが伝送されるときに、前記端末装置によって前記タイマーを始動または再始動すること；または前記構成された資源が上りリンク資源であり、前記上りリンク資源上で上りリンク・データが伝送されるときに、前記端末装置によって前記タイマーを始動または再始動することを含む、
請求項１１または１２に記載の方法。
【請求項１４】
前記タイマーは、前記端末装置のアクティブBWP対に関連付けられたタイマーである、
請求項１１ないし１３のうちいずれか一項に記載の方法。
【請求項１５】
端末装置であって：
ネットワーク装置によって送信された第1のメッセージを受信するように構成された受信ユニットであって、前記第1のメッセージは、下りリンク割り当てまたは上りリンク承認を示すために使用される、または前記第1のメッセージは、帯域幅部分BWP切り換えを示すために使用される、受信ユニットと；
当該端末装置のアクティブ下りリンクBWPがデフォルト下りリンクBWPでない場合、前記第1のメッセージのスクランブル識別子に基づいてタイマーを始動または再始動するように構成された処理ユニットであって、前記タイマーは、前記アクティブ下りリンクBWPから前記デフォルト下りリンクBWPに切り換えるために当該端末装置によって使用されるタイマーである、または前記タイマーは、前記デフォルト下りリンクBWPをアクティブ化し、前記アクティブ下りリンクBWPを非アクティブ化するために当該端末装置によって使用されるタイマーである、処理ユニット；または
当該端末装置のアクティブBWP対がデフォルトBWP対でない場合、前記第1のメッセージのスクランブル識別子に基づいてタイマーを始動または再始動するようにさらに構成された処理ユニットであって、前記タイマーは、アクティブBWP対からデフォルトBWP対に切り換えるために当該端末装置によって使用されるタイマーである、または、前記タイマーは、デフォルトBWP対をアクティブ化し、アクティブBWP対を非アクティブ化するために当該端末装置によって使用されるタイマーである、処理ユニットとを有する、
端末装置。
【請求項１６】
前記処理ユニットは、具体的には、前記スクランブル識別子がランダムアクセス無線ネットワーク一時識別子RA-RNTIでも一時セル無線ネットワーク一時識別子TC-RNTIでもないときに、前記タイマーを始動または再始動するように構成される、
請求項１５に記載の端末装置。
【請求項１７】
前記処理ユニットは、具体的には、前記スクランブル識別子が第1のスクランブル識別子であるときに前記タイマーを始動または再始動するように構成され、前記第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである、
請求項１５記載の端末装置。
【請求項１８】
前記処理ユニットは、具体的には、前記スクランブル識別子がランダムアクセス無線ネットワーク一時識別子RA-RNTIであり、当該端末装置が非競合ベースのランダムアクセスを実行するときに、前記タイマーを始動または再始動するように構成される、
請求項１５記載の端末装置。
【請求項１９】
前記スクランブル識別子がRA-RNTIであり、当該端末装置が競合ベースのランダムアクセスを実行するとき、もとの状態を維持するよう前記タイマーを制御するよう構成された維持ユニットをさらに有する、
請求項１５記載の端末装置。
【請求項２０】
前記タイマーは、当該端末装置のアクティブ下りリンクBWPに関連付けられたタイマーである、または前記タイマーは、当該端末装置のアクティブBWP対に関連付けられたタイマーである、
請求項１５ないし１９のうちいずれか一項に記載の端末装置。
【請求項２１】
端末装置であって：
ネットワーク装置によって送信された第1のメッセージを受信するように構成された受信ユニットであって、前記第1のメッセージは、下りリンク割り当てまたは上りリンク承認を示すために使用される、または前記第1のメッセージは、帯域幅部分BWP切り換えを示すために使用される、受信ユニットと；
前記第1のメッセージのキャリア・インデックスに基づいてタイマーを始動または再始動するように構成された処理ユニットであって、前記タイマーは、アクティブ下りリンクBWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために前記端末装置によって使用されるタイマーである、または前記タイマーは、アクティブBWP対からデフォルトBWP対に切り換えるために当該端末装置によって使用されるタイマーである、または、前記タイマーは、デフォルトBWP対をアクティブ化し、アクティブBWP対を非アクティブ化するために当該端末装置によって使用されるタイマーである、処理ユニットとを有する、
端末装置。
【請求項２２】
当該端末装置のアクティブ下りリンクBWPがデフォルト下りリンクBWPではなく、当該端末装置のアクティブ下りリンクBWPが前記キャリア・インデックスによって示されるキャリアまたはサービス・セルの下りリンクBWPである場合、または当該端末装置のアクティブBWP対がデフォルトBWP対ではなく、当該端末装置のアクティブBWP対が前記キャリア・インデックスによって示されるキャリアまたはサービス・セルのBWP対である場合、前記タイマーは前記キャリアまたは前記サービス・セルのタイマーである、
請求項２１に記載の端末装置。
【請求項２３】
当該端末装置のアクティブ下りリンクBWPがデフォルト下りリンクBWPではなく、当該端末装置のアクティブ下りリンクBWPが前記第1のメッセージを受信するために使用されるキャリアまたはサービス・セルの下りリンクBWPである場合、または、当該端末装置のアクティブBWP対がデフォルトBWP対ではなく、当該端末装置のアクティブBWP対が前記第1のメッセージを受信するために使用されるキャリアまたはサービス・セルのBWP対である場合、前記タイマーは、前記第1のメッセージを受信するために使用される前記キャリアまたは前記サービス・セルのタイマーである、
請求項２２に記載の端末装置。
【請求項２４】
前記タイマーは、当該端末装置のアクティブ下りリンクBWPに関連付けられたタイマーである、または前記タイマーは、前記キャリア上または前記サービス・セル内の当該端末装置のアクティブ下りリンクBWPに関連付けられたタイマーである、または前記タイマーは、当該端末装置のアクティブBWP対に関連付けられたタイマーである、または前記タイマーは、前記キャリア上または前記サービス・セル内の当該端末装置のアクティブBWP対に関連付けられたタイマーである、
請求項２１ないし２３のうちいずれか一項に記載の端末装置。
【請求項２５】
端末装置であって：
少なくとも一つの構成された資源が存在することを判別するように構成された判別ユニットと；
当該端末装置のアクティブ帯域幅部分BWP対がデフォルトBWP対でない場合、存在する前記少なくとも一つの構成された資源に基づいてタイマーを始動または再始動するように構成された処理ユニットであって、前記タイマーは、前記アクティブBWP対から前記デフォルトBWP対に切り換えるために当該端末装置によって使用されるタイマーである、または前記タイマーは、前記デフォルトBWP対をアクティブ化し、前記アクティブBWP対を非アクティブ化するために使用されるタイマーである、処理ユニットとを有する、
端末装置。
【請求項２６】
前記構成された資源上でデータが伝送される、
請求項２５に記載の端末装置。
【請求項２７】
前記構成された資源が、下りリンク資源または上りリンク資源であり；
前記処理ユニットは、具体的には、前記少なくとも一つの構成された資源が存在するときに、前記タイマーを始動または再始動する；または、前記構成された資源が下りリンク資源であり、前記下りリンク資源上で下りリンク・データが伝送されるときに、前記タイマーを始動または再始動する；または、前記構成された資源が上りリンク資源であり、前記上りリンク資源上で上りリンク・データが伝送されるときに、前記タイマーを始動または再始動するように構成される、
請求項２５または２６に記載の端末装置。
【請求項２８】
前記タイマーは、当該端末装置のアクティブBWP対に関連付けられたタイマーである、
請求項２５ないし２７のうちいずれか一項に記載の端末装置。
【請求項２９】
受信機およびプロセッサを有する端末装置であって、
前記受信機は、ネットワーク装置によって送信される第1のメッセージを受信するように構成され、前記第1のメッセージは、下りリンク割り当てまたは上りリンク承認を示すために使用される、または前記第1のメッセージは、帯域幅部分BWP切り換えを示すために使用され；
前記プロセッサは：当該端末装置のアクティブ下りリンクBWPがデフォルト下りリンクBWPでない場合、前記第1のメッセージのスクランブル識別子に基づいてタイマーを始動または再始動するように構成され、前記タイマーは、アクティブ下りリンクBWPからデフォルト下りリンクBWPに切り換えるために当該端末装置によって使用されるタイマーである、または前記タイマーは、デフォルト下りリンクBWPをアクティブ化し、アクティブ下りリンクBWPを非アクティブ化するために前記端末装置によって使用されるタイマーである；または
前記プロセッサは：当該端末装置のアクティブBWP対がデフォルトBWP対でない場合、前記第1のメッセージのスクランブル識別子に基づいてタイマーを始動または再始動するように構成され、前記タイマーは、アクティブBWP対からデフォルトBWP対に切り換えるために当該端末装置によって使用されるタイマーである、または、前記タイマーは、デフォルトBWP対をアクティブ化し、アクティブBWP対を非アクティブ化するために当該端末装置によって使用されるタイマーである、
端末装置。
【請求項３０】
前記プロセッサは、具体的には、前記スクランブル識別子がランダムアクセス無線ネットワーク一時識別子RA-RNTIまたは一時セル無線ネットワーク一時識別子TC-RNTIでないときに、前記タイマーを始動または再始動するように構成される、
請求項２９に記載の端末装置。
【請求項３１】
前記プロセッサは、具体的には、前記スクランブル識別子が第1のスクランブル識別子であるときに前記タイマーを始動または再始動するように構成され、前記第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである、
請求項２９に記載の端末装置。
【請求項３２】
前記プロセッサは具体的には、前記スクランブル識別子がランダムアクセス無線ネットワーク一時識別子RA-RNTIであり、当該端末装置が非競合ベースのランダムアクセスを実行するときに、前記タイマーを始動または再始動するように構成される、
請求項２９に記載の端末装置。
【請求項３３】
前記プロセッサは、前記スクランブル識別子がRA-RNTIであり、当該端末装置が競合ベースのランダムアクセスを実行するときに、もとの状態を維持するように前記タイマーを制御するようさらに構成される、
請求項２９に記載の端末装置。
【請求項３４】
前記タイマーは、当該端末装置のアクティブ下りリンクBWPに関連付けられたタイマーである、または前記タイマーは、当該端末装置のアクティブBWP対に関連付けられたタイマーである、
請求項２９ないし３３のうちいずれか一項に記載の端末装置。
【請求項３５】
受信機およびプロセッサを有する端末装置であって、
前記受信機は、ネットワーク装置によって送信される第1のメッセージを受信するように構成され、前記第1のメッセージは、下りリンク割り当てまたは上りリンク承認を示すために使用される、または前記第1のメッセージは、帯域幅部分BWP切り換えを示すために使用され；
前記プロセッサは、前記第1のメッセージのキャリア・インデックスに基づいてタイマーを始動または再始動するように構成され、前記タイマーは、アクティブ下りリンクBWPからデフォルト下りリンクBWPに切り換えるために当該端末装置によって使用されるタイマーである、または前記タイマーは、デフォルト下りリンクBWPをアクティブ化し、アクティブ下りリンクBWPを非アクティブ化するために当該端末装置によって使用されるタイマーである、または前記タイマーは、アクティブBWP対からデフォルトBWP対に切り換えるために当該端末装置によって使用されるタイマーである、または前記タイマーは、デフォルトBWP対をアクティブ化し、アクティブBWP対を非アクティブ化するために当該端末装置によって使用されるタイマーである、
端末装置。
【請求項３６】
当該端末装置のアクティブ下りリンクBWPがデフォルト下りリンクBWPではなく、当該端末装置のアクティブ下りリンクBWPが前記キャリア・インデックスによって示されるキャリアまたはサービス・セルの下りリンクBWPである場合、または当該端末装置のアクティブBWP対がデフォルトBWP対ではなく、当該端末装置のアクティブBWP対が前記キャリア・インデックスによって示されるキャリアまたはサービス・セルのBWP対である場合、前記タイマーは前記キャリアまたは前記サービス・セルのタイマーである、
請求項３５に記載の端末装置。
【請求項３７】
当該端末装置のアクティブ下りリンクBWPがデフォルト下りリンクBWPではなく、当該端末装置のアクティブ下りリンクBWPが前記第1のメッセージを受信するために使用されるキャリアまたはサービス・セルの下りリンクBWPである場合、または、当該端末装置のアクティブBWP対がデフォルトBWP対ではなく、当該端末装置のアクティブBWP対が前記第1のメッセージを受信するために使用されるキャリアまたはサービス・セルのBWP対である場合、前記タイマーは、前記第1のメッセージを受信するために使用されるキャリアまたはサービス・セルのタイマーである、
請求項３６に記載の端末装置。
【請求項３８】
前記タイマーは、当該端末装置のアクティブ下りリンクBWPに関連付けられたタイマーである、または前記タイマーは、前記キャリア上または前記サービス・セル内の当該端末装置のアクティブ下りリンクBWPに関連付けられたタイマーである、または前記タイマーは、当該端末装置のアクティブBWP対に関連付けられたタイマーである、または前記タイマーは、前記キャリア上または前記サービス・セル内の当該端末装置のアクティブBWP対に関連付けられたタイマーである、
請求項３５ないし３７のうちいずれか一項に記載の端末装置。
【請求項３９】
プロセッサを有する端末装置であって、
前記プロセッサは、少なくとも一つの構成された資源が存在することを判別するように構成されており；
前記プロセッサは、当該端末装置のアクティブ帯域幅部分BWP対がデフォルトBWP対でない場合、存在する前記少なくとも一つの構成された資源に基づいてタイマーを始動または再始動するように構成され、前記タイマーは、アクティブBWP対からデフォルトBWP対に切り換えるために当該端末装置によって使用されるタイマーである、または前記タイマーは、デフォルトBWP対をアクティブ化し、アクティブBWP対を非アクティブ化するために当該端末装置によって使用されるタイマーである、
端末装置。
【請求項４０】
前記構成された資源上でデータが伝送される、
請求項３９に記載の端末装置。
【請求項４１】
前記構成された資源は、下りリンク資源または上りリンク資源であり；
前記プロセッサは、具体的には：前記少なくとも一つの構成された資源が存在することを判別するときに前記タイマーを始動または再始動する；または前記構成された資源が下りリンク資源であり、前記下りリンク資源上で下りリンク・データが伝送されるときに前記タイマーを始動または再始動する；または前記構成された資源が上りリンク資源であり、前記上りリンク資源上で上りリンク・データが伝送されるときに前記タイマーを始動または再始動するように構成される、
請求項３９または４０に記載の端末装置。
【請求項４２】
前記タイマーは、当該端末装置のアクティブBWP対に関連付けられたタイマーである、
請求項３９ないし４１のうちいずれか一項に記載の端末装置。
【請求項４３】
プロセッサおよびメモリを有する端末装置であって、
前記メモリはプログラム命令を格納するように構成されており；
前記プロセッサは、前記メモリに格納された前記プログラム命令を呼び出して実行することで、請求項１ないし１４のうちいずれか一項に記載のタイマー処理方法を実行するように構成される、
端末装置。
【請求項４４】
コンピュータ読取可能な記憶媒体であって、
当該コンピュータ読取可能な記憶媒体は、コンピュータ・プログラムを記憶し、プロセッサによって実行されると、前記コンピュータ・プログラムは、請求項１ないし１４のうちいずれか一項に記載のタイマー処理方法を実行する、
コンピュータ読取可能な記憶媒体。
【請求項４５】
チップであって、
当該チップは、コンピュータ・プログラムを記憶し、プロセッサによって実行されると、前記コンピュータ・プログラムは、請求項１ないし１４のうちいずれか一項に記載のタイマー処理方法を実行する、
チップ。
【請求項４６】
タイマー処理方法であって：
端末装置によって、ネットワーク装置によって送信された第1のメッセージを受信する段階であって、前記第1のメッセージは、下りリンク割り当てまたは上りリンク承認を示すために使用される、または前記第1のメッセージは、帯域幅部分BWP切り換えを示すために使用される、段階と；
前記端末装置のアクティブ下りリンクBWPがデフォルト下りリンクBWPでない場合、前記端末装置によって、前記第1のメッセージのスクランブル識別子に基づいてタイマーを始動または再始動する段階であって、前記タイマーは、アクティブ下りリンクBWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために前記端末装置によって使用されるタイマーである、段階とを含む、
方法。
【請求項４７】
前記端末装置によって、前記第1のメッセージのスクランブル識別子に基づいてタイマーを始動または再始動することは：
前記端末装置によって、前記スクランブル識別子が第1のスクランブル識別子であるときに前記タイマーを始動または再始動することを含み、前記第1のスクランブル識別子は、セル無線ネットワーク一時識別子C-RNTIおよび構成されたスケジューリング無線ネットワーク一時識別子CS-RNTIのいずれか一つまたは組み合わせである、
請求項４６に記載の方法。
【請求項４８】
前記端末装置によって、前記第1のメッセージのスクランブル識別子に基づいてタイマーを始動または再始動することは：
前記端末装置によって、前記スクランブル識別子がC-RNTIでもCS-RNTIでもないときは前記タイマーを始動または再始動することをスキップすることを含む、
請求項４６または４７に記載の方法。
【請求項４９】
当該方法がさらに：
ランダムアクセス・プロセスにおいて、前記タイマーが稼働状態にないことを可能にすることをさらに含む、
請求項４６ないし４８のうちいずれか一項に記載の方法。
【請求項５０】
当該方法がさらに：
ランダムアクセス・トリガー・プロセスにおいて、前記端末装置によって、前記タイマーを停止させることをさらに含む、
請求項４６ないし４９のうちいずれか一項に記載の方法。
【請求項５１】
当該方法がさらに：
前記端末装置によって、前記第1のメッセージのキャリア・インデックスに基づいて前記タイマーを始動または再始動することをさらに含む、
請求項４６に記載の方法。
【請求項５２】
前記端末装置の前記アクティブ下りリンクBWPが、前記キャリア・インデックスによって示されるキャリアまたはサービス・セルの下りリンクBWPであり、前記タイマーが、前記キャリアまたは前記サービス・セルのタイマーである、請求項５１に記載の方法。
【請求項５３】
前記端末装置の前記アクティブ下りリンクBWPが、前記第1のメッセージを受信するために使用されるキャリアまたはサービス・セルの下りリンクBWPであり、前記タイマーがさらに、前記第1のメッセージを受信するために使用される前記キャリアまたは前記サービス・セルのタイマーである、請求項５１または５２に記載の方法。
【請求項５４】
前記タイマーは、前記端末装置の前記アクティブ下りリンクBWPに関連付けられたタイマーである、請求項５１ないし５３のうちいずれか一項に記載の方法。
【請求項５５】
前記タイマーは、前記キャリア上または前記サービス・セル内の前記端末装置のアクティブ下りリンクBWPに関連付けられたタイマーである、請求項５１ないし５４のうちいずれか一項に記載の方法。
【請求項５６】
前記デフォルト下りリンクBWPは、前記ネットワーク装置によって構成されたデフォルトの下りリンクBWPである；または前記ネットワーク装置が前記端末装置のためにデフォルトの下りリンクBWPを構成しない場合、前記デフォルト下りリンクBWPは、初期の下りリンクBWPである、請求項４６ないし５５のうちいずれか一項に記載の方法。
【請求項５７】
プロセッサおよびメモリを有する端末装置であって、前記メモリは、一つまたは複数の命令またはプログラムを記憶し、前記プロセッサは、前記メモリに結合され、前記プロセッサが前記一つまたは複数の命令またはプログラムを実行することで、当該端末装置は
ネットワーク装置によって送信された第1のメッセージを受信する段階であって、前記第1のメッセージは、下りリンク割り当てまたは上りリンク承認を示すために使用される、または前記第1のメッセージは、帯域幅部分BWP切り換えを示すために使用される、段階と；
前記端末装置のアクティブ下りリンクBWPがデフォルト下りリンクBWPでない場合、前記第1のメッセージのスクランブル識別子に基づいてタイマーを始動または再始動する段階であって、前記タイマーは、アクティブ下りリンクBWPからデフォルト下りリンクBWPに切り換えるために使用されるタイマーである、または前記タイマーは、デフォルト下りリンクBWPをアクティブ化し、アクティブ下りリンクBWPを非アクティブ化するために前記端末装置によって使用されるタイマーである、段階とを実行する、
端末装置。
【請求項５８】
前記第1のメッセージのスクランブル識別子に基づいて前記タイマーが始動または再始動されるとき、前記プロセッサが前記一つまたは複数の命令またはプログラムを実行することで、当該端末装置はさらに：
前記端末装置によって、前記スクランブル識別子が第1のスクランブル識別子であるときに前記タイマーを始動または再始動する段階であって、前記第1のスクランブル識別子は、セル無線ネットワーク一時識別子C-RNTIおよび構成されたスケジューリング無線ネットワーク一時識別子CS-RNTIのいずれか一つまたは組み合わせである、段階を実行する、
請求項５７に記載の端末装置。
【請求項５９】
前記第1のメッセージのスクランブル識別子に基づいて前記タイマーが始動または再始動されるとき、前記プロセッサが前記一つまたは複数の命令またはプログラムを実行することで、当該端末装置はさらに：
前記端末装置によって、前記スクランブル識別子がC-RNTIでもCS-RNTIでもないときは前記タイマーを始動または再始動することをスキップする段階を実行する、
請求項５７または５８に記載の端末装置。
【請求項６０】
前記プロセッサが前記一つまたは複数の命令またはプログラムを実行することで、当該端末装置はさらに：
ランダムアクセス・プロセスにおいて、前記タイマーが稼働状態にないことを可能にする段階を実行する、
請求項５７ないし５９のうちいずれか一項に記載の端末装置。
【請求項６１】
前記プロセッサが前記一つまたは複数の命令またはプログラムを実行することで、当該端末装置はさらに：
ランダムアクセス・トリガー・プロセスにおいて、前記タイマーを停止させる段階を実行する、
請求項５７ないし６０のうちいずれか一項に記載の端末装置。
【請求項６２】
前記プロセッサが前記一つまたは複数の命令またはプログラムを実行することで、当該端末装置はさらに：
前記第1のメッセージのキャリア・インデックスに基づいて前記タイマーを始動または再始動する段階を実行する、
請求項５７に記載の端末装置。
【請求項６３】
当該端末装置の前記アクティブ下りリンクBWPが、前記キャリア・インデックスによって示されるキャリアまたはサービス・セルの下りリンクBWPであり、前記タイマーが、前記キャリアまたは前記サービス・セルのタイマーである、請求項６２に記載の端末装置。
【請求項６４】
当該端末装置の前記アクティブ下りリンクBWPが、前記第1のメッセージを受信するために使用されるキャリアまたはサービス・セルの下りリンクBWPであり、前記タイマーがさらに、前記第1のメッセージを受信するために使用される前記キャリアまたは前記サービス・セルのタイマーである、請求項６２または６３に記載の端末装置。
【請求項６５】
前記タイマーは、当該端末装置の前記アクティブ下りリンクBWPに関連付けられたタイマーである、請求項６２ないし６４のうちいずれか一項に記載の端末装置。
【請求項６６】
前記タイマーは、前記キャリア上または前記サービス・セル内の前記端末装置のアクティブ下りリンクBWPに関連付けられたタイマーである、請求項６２ないし６５のうちいずれか一項に記載の端末装置。
【請求項６７】
前記デフォルト下りリンクBWPは、前記ネットワーク装置によって構成されたデフォルトの下りリンクBWPである；または前記ネットワーク装置が当該端末装置のためにデフォルトの下りリンクBWPを構成しない場合、前記デフォルト下りリンクBWPは、初期の下りリンクBWPである、請求項４６ないし６６のうちいずれか一項に記載の端末装置。
【請求項６８】
端末装置であって：
ネットワーク装置によって送信された第1のメッセージを受信するように構成された受信ユニットであって、前記第1のメッセージは、下りリンク割り当てまたは上りリンク承認を示すために使用される、または前記第1のメッセージは、帯域幅部分BWP切り換えを示すために使用される、受信ユニットと；
当該端末装置のアクティブ下りリンクBWPがデフォルト下りリンクBWPでない場合、前記第1のメッセージのスクランブル識別子に基づいてタイマーを始動または再始動するように構成された処理ユニットであって、前記タイマーは、前記アクティブ下りリンクBWPから前記デフォルト下りリンクBWPに切り換えるために当該端末装置によって使用されるタイマーである、または前記タイマーは、前記デフォルト下りリンクBWPをアクティブ化し、前記アクティブ下りリンクBWPを非アクティブ化するために当該端末装置によって使用されるタイマーである、処理ユニットとを有する、
端末装置。
【請求項６９】
前記処理ユニットが、具体的には：
前記スクランブル識別子が第1のスクランブル識別子であるときに前記タイマーを始動または再始動するよう構成されており、前記第1のスクランブル識別子は、セル無線ネットワーク一時識別子C-RNTIおよび構成されたスケジューリング無線ネットワーク一時識別子CS-RNTIのいずれか一つまたは組み合わせである、
請求項６８に記載の端末装置。
【請求項７０】
前記処理ユニットが、具体的には：
前記スクランブル識別子がC-RNTIでもCS-RNTIでもないときは前記タイマーを始動または再始動することをスキップするよう構成されている、
請求項６８または６９に記載の端末装置。
【請求項７１】
前記処理ユニットがさらに：
ランダムアクセス・プロセスにおいて、前記タイマーが稼働状態にないことを可能にするよう構成されている、
請求項６８ないし６９のうちいずれか一項に記載の端末装置。
【請求項７２】
前記処理ユニットがさらに：
ランダムアクセス・トリガー・プロセスにおいて、前記タイマーを停止させるよう構成されている、
請求項６８ないし７１のうちいずれか一項に記載の端末装置。
【請求項７３】
前記処理ユニットがさらに：
前記第1のメッセージのキャリア・インデックスに基づいて前記タイマーを始動または再始動するようさらに構成されている、
請求項６８ないし７２のうちいずれか一項に記載の端末装置。
【請求項７４】
前記端末装置の前記アクティブ下りリンクBWPが、前記キャリア・インデックスによって示されるキャリアまたはサービス・セルの下りリンクBWPであり、前記タイマーが、前記キャリアまたは前記サービス・セルのタイマーである、請求項７３に記載の端末装置。
【請求項７５】
当該端末装置の前記アクティブ下りリンクBWPが、前記第1のメッセージを受信するために使用されるキャリアまたはサービス・セルの下りリンクBWPであり、前記タイマーがさらに、前記第1のメッセージを受信するために使用される前記キャリアまたは前記サービス・セルのタイマーである、請求項７３または７４に記載の端末装置。
【請求項７６】
前記タイマーは、当該端末装置の前記アクティブ下りリンクBWPに関連付けられたタイマーである、請求項７３ないし７５のうちいずれか一項に記載の端末装置。
【請求項７７】
前記タイマーは、前記キャリア上または前記サービス・セル内の前記端末装置のアクティブ下りリンクBWPに関連付けられたタイマーである、請求項７３ないし７５のうちいずれか一項に記載の端末装置。
【請求項７８】
前記デフォルト下りリンクBWPは、前記ネットワーク装置によって構成されたデフォルトの下りリンクBWPである；または前記ネットワーク装置が当該端末装置のためにデフォルトの下りリンクBWPを構成しない場合、前記デフォルト下りリンクBWPは、初期の下りリンクBWPである、請求項６８ないし７７のうちいずれか一項に記載の端末装置。
【請求項７９】
プロセッサおよびメモリを有する通信装置であって、前記メモリは、一つまたは複数の命令またはプログラムを記憶し、前記プロセッサは、前記メモリに結合され、請求項４６ないし５６のうちいずれか一項に記載の方法を実行するよう前記プロセッサが前記一つまたは複数の命令またはプログラムを実行する、通信装置。
【請求項８０】
コンピュータ読取可能な記憶媒体であって、当該コンピュータ読取可能な記憶媒体は、コンピュータ・プログラムを記憶しており、プロセッサによって実行されると、前記コンピュータ・プログラムは、請求項４６ないし５６のうちいずれか一項に記載の方法を実行する、コンピュータ読取可能な記憶媒体。
【請求項８１】
チップであって、当該チップは、コンピュータ・プログラムを格納しており、プロセッサによって実行されると、前記コンピュータ・プログラムは、請求項４６ないし５６のうちいずれか一項に記載のタイマー処理方法を実行する、チップ。
【発明の詳細な説明】
【技術分野】
【０００１】
本願は、通信技術に関し、特に、タイマー処理方法および端末装置に関する。
【背景技術】
【０００２】
通信技術が絶えず発達するのに伴い、第5世代（5th-Generation、5G）のニューラジオ（New  Radio、NR）技術は、帯域幅部分（Bandwidth  Part、BWP）の概念を導入する。5G  NRの最初のリリース、すなわち、5G  NR  Rel-15では、基地局は、一つの端末装置について一つの帯域幅キャリア上に最大4つのBWPを構成することができる。一つの端末装置は、どの時点でも、一つのサービス・セル内に一つのアクティブな下りリンクBWPと一つのアクティブな上りリンクBWPを有するだけである。対スペクトル・シナリオ、すなわち周波数分割複信（Frequency  Division  Duplexing、FDD）では、構成されたBWPは、一つのデフォルト下りリンクBWP（デフォルトDL  BWP）を含んでいてもよく、デフォルト下りリンクBWPが構成されない場合は、初期DL  BWP（initial  DL  BWP）が、デフォルトで、デフォルト下りリンクBWPである。非対スペクトル・シナリオ、すなわち時分割複信（Time  Division  Duplexing、TDD）では、上りリンクBWPと下りリンクBWPが対で現われ、対にされた上りリンクBWPと下りリンクBWPは、上りリンク／下りリンクBWP（DL/UL  BWP）対またはBWP対と称される。構成されたBWPは、一つのデフォルトBWP対（default  BWP  pair）を含んでいてもよく、デフォルトBWP対が構成されていない場合には、デフォルトで、初期BWP対（initial  BWP  pair）がデフォルトBWP対である。デフォルトBWPは、比較的狭い下りリンク帯域幅に対応する。デフォルト下りリンクBWPで動作する端末装置は、狭い帯域でのみ下りリンク制御情報（Downlink  Control  Information、DCI）を傾聴する必要がある。下りリンク制御情報は、物理下りリンク制御チャネル（Physical  Downlink  Control  Channel、PDCCH）で搬送される、すなわち、下りリンク制御情報は、PDCCH上で送られる。換言すれば、比較的小さな探索空間でブラインド検出が実行される。よって、端末装置の電力消費が削減できる。端末装置によるPDCCHの受信は、PDCCHで搬送される情報を受信することと理解されることもあれば、あるいはPDCCHで送られるDCIなどの情報を受信することと理解されることもある。
ユーザー装置の電力消費を低減するためにBWPタイマーの概念が導入される。BWP不活動タイマーが例として使用される。BWP不活動タイマーは、端末装置をデフォルトの下りリンクBWPまたはデフォルトのBWP対に戻るように制御するタイマーである。対スペクトル・シナリオでは、端末装置がアクティブ下りリンクBWP上で動作し、アクティブ下りリンクBWPがデフォルト下りリンクBWPでない場合、端末装置はBWP不活動タイマーを稼働させる必要がある。非対スペクトル・シナリオでは、端末装置がアクティブBWP対で動作し、アクティブBWP対がデフォルトBWP対でない場合、端末装置はBWP不活動タイマーを稼働させる必要がある。BWP不活動タイマーの期限が切れた場合、そのことは、端末装置がある特定の時間期間内に下りリンク割り当てを受けないことを示す。この場合、端末装置は、データ通信のために大きな帯域幅で動作する必要がなく、狭い帯域幅で動作する必要があるだけである。換言すれば、端末装置は、自動的にデフォルトの下りリンクBWPまたはデフォルトのBWP対に切り換えて動作し、端末装置の電力消費を低減することができる。
従来技術では、BWP不活動タイマーを起動するか否かは、端末装置によって受信される、下りリンク割り当て（downlink  assignment）を示すPDCCHに基づいて決定されるか、あるいは、端末装置によって受信される、デフォルト以外のBWPへの切り換えを示すPDCCHに基づいて決定される。デフォルトBWPは、デフォルト下りリンクBWPまたはデフォルトBWP対として理解されうる。具体的には、端末装置が下りリンク割り当てを示すPDCCH、またはデフォルト以外のBWPへの切り換えを示すPDCCHを受信すれば、BWP不活動タイマーが始動または再始動される。BWP切り換えは、一つの非アクティブBWPをアクティブ化し、一つのアクティブBWPを非アクティブ化することとして理解されうることを注意しておくべきである。BWP切り換えは、下りリンクBWP切り換えまたはBWP対切り換えでありうる。BWP対切り換えは、下りリンクBWPと上りリンクBWPの両方を切り換えることとして理解されうる。しかしながら、従来技術では、タイマーの始動または再始動の間にエラーまたは省略がある。その結果、端末装置は、デフォルトの下りリンクBWPに正しく切り換えることができず、端末装置の電力消費が低減できない。
【発明の概要】
【発明が解決しようとする課題】
【０００３】
本願は、端末装置がデフォルト下りリンクBWPに正しく切り換えることができず、タイマー始動または再始動中にエラーまたは省略があるために端末装置の電力消費が低減できないという従来技術の問題を解決するためにタイマー処理方法および端末装置を提供する。
【課題を解決するための手段】
【０００４】
第1の側面によれば、本願のある実施形態は、タイマー処理方法を提供する。タイマー処理方法は：
端末装置によって、ネットワーク装置によって送信された第1のメッセージを受信する段階であって、前記第1のメッセージは、下りリンク割り当てまたは上りリンク承認を示すために使用されるか、または前記第1のメッセージは、帯域幅部分BWP切り換えを示すために使用される、段階；
端末装置のアクティブ下りリンクBWPがデフォルト下りリンクBWPでない場合、端末装置によって、前記第1のメッセージのスクランブル識別子に基づいてタイマーを始動または再始動する段階であって、前記タイマーは、アクティブ下りリンクBWPからデフォルト下りリンクBWPに切り換えるために端末装置によって使用されるタイマーであるか、または前記タイマーは、デフォルト下りリンクBWPをアクティブ化し、アクティブ下りリンクBWPを非アクティブ化するために端末装置によって使用されるタイマーである、段階；または
端末装置のアクティブなBWP対がデフォルトBWP対でない場合、端末装置によって、前記第1のメッセージのスクランブル識別子に基づいてタイマーを始動または再始動する段階であって、前記タイマーは、アクティブなBWP対からデフォルトBWP対に切り換えるために端末装置によって使用されるタイマーであるか、または前記タイマーは、デフォルトBWP対をアクティブ化し、アクティブなBWP対を非アクティブ化するために端末装置によって使用されるタイマーである、段階を含んでいてもよい。
PDCCHが直接受信された後にタイマーが直接始動または再始動される従来技術とは異なり、本願のこの実施形態では、タイマーを始動または再始動するかどうかの決定において、タイマーを始動または再始動するかどうかが、前記第1のメッセージが受信された後に前記第1のメッセージのスクランブル識別子に基づいてさらに決定される必要があることがわかる。これは、端末装置がデフォルトの下りリンクBWPに正しく切り換えることができず、端末装置の電力消費を削減できないという問題を解決し、それにより端末装置の電力消費を削減する。
ある可能な実装では、端末装置によって、第1のメッセージのスクランブル識別子に基づいてタイマーを始動または再始動することは：
端末装置によって、スクランブル識別子がランダムアクセス無線ネットワーク一時識別子RA-RNTIまたは一時セル無線ネットワーク一時識別子TC-RNTIでないときに、タイマーを始動または再始動することを含む。
【０００５】
ある可能な実装では、端末装置によって、第1のメッセージのスクランブル識別子に基づいてタイマーを始動または再始動させることは：
端末装置によって、スクランブル識別子が第1のスクランブル識別子であるときにタイマーを始動または再始動する段階であって、前記第1のスクランブル識別子はセル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである、段階を含む。
【０００６】
ある可能な実装では、端末装置によって、第1のメッセージのスクランブル識別子に基づいてタイマーを始動または再始動することは：
端末装置によって、スクランブル識別子がランダムアクセス無線ネットワーク一時識別子RA-RNTIであり、端末装置が非競合ベースのランダムアクセスを実行するときにタイマーを始動または再始動することを含む。
【０００７】
ある可能な実装では、タイマー処理方法は、さらに：
スクランブル識別子がRA-RNTIであり、端末装置が競合ベースのランダムアクセスを実行するとき、端末装置によってタイマーを制御してもとの状態を維持するようにする。
【０００８】
ある可能な実装では、タイマーは、端末装置のアクティブ下りリンクBWPに関連付けられたタイマーであるか、またはタイマーは、端末装置のアクティブなBWP対に関連付けられたタイマーである。
【０００９】
第2の側面によれば、本願のある実施形態は、タイマー処理方法をさらに提供する。タイマー処理方法は：
端末装置によって、ネットワーク装置によって送信された第1のメッセージを受信する段階であって、前記第1のメッセージは、下りリンク割り当てまたは上りリンク承認を示すために使用されるか、または前記第1のメッセージは、帯域幅部分BWP切り換えを示すために使用される、段階；
端末装置によって、前記第1のメッセージのキャリア・インデックスに基づいてタイマーを始動または再始動する段階であって、前記タイマーは、アクティブ下りリンクBWPからデフォルトの下りリンクBWPに切り換えるために前記端末装置によって使用されるタイマーである、または前記タイマーは、デフォルトの下りリンクBWPをアクティブ化し、アクティブ下りリンクBWPを非アクティブ化するために前記端末装置によって使用されるタイマーである、または、前記タイマーは、アクティブBWP対からデフォルトBWP対に切り換えるために前記端末装置によって使用されるタイマーである、または、前記タイマーは、デフォルトBWP対をアクティブ化し、アクティブなBWP対を非アクティブ化するために前記端末装置によって使用されるタイマーである、段階を含む。
【００１０】
PDCCHが直接受信された後にタイマーが直接始動または再始動される従来技術とは異なり、本願のこの実施形態では、タイマーを始動または再始動するかどうかの決定において、タイマーを始動または再始動するかどうかはさらに、第1のメッセージが受信された後に、第1のメッセージのキャリア識別子に基づいてさらに決定される必要があることがわかる。これは、端末装置がデフォルトの下りリンクBWPに正しく切り換えることができず、端末装置の電力消費を削減できないという問題を解決し、それにより端末装置の電力消費を削減する。
【００１１】
ある可能な実装では、端末装置のアクティブ下りリンクBWPがデフォルト下りリンクBWPではなく、端末装置のアクティブ下りリンクBWPがキャリア・インデックスによって示されるキャリアまたはサービス・セルの下りリンクBWPである場合、または端末装置のアクティブBWP対がデフォルトBWP対ではなく、端末装置のアクティブBWP対がキャリア・インデックスによって示されるキャリアまたはサービス・セルのBWP対である場合、前記タイマーは前記キャリアまたは前記サービス・セルのタイマーである。
【００１２】
ある可能な実装では、端末装置のアクティブ下りリンクBWPがデフォルト下りリンクBWPではなく、端末装置のアクティブ下りリンクBWPが第1のメッセージを受信するために使用されるキャリアまたはサービス・セルの下りリンクBWPである場合、または、端末装置のアクティブBWP対がデフォルトBWP対ではなく、端末装置のアクティブBWP対が第1のメッセージを受信するために使用されるキャリアまたはサービス・セルのBWP対である場合、前記タイマーは、第1のメッセージを受信するために使用されるキャリアまたはサービス・セルのタイマーである。
【００１３】
ある可能な実装では、前記タイマーは、端末装置のアクティブ下りリンクBWPに関連付けられたタイマーである、または、前記タイマーは、前記キャリア上または前記サービス・セル内の端末装置のアクティブ下りリンクBWPに関連付けられたタイマーである、または前記タイマーは、端末装置のアクティブBWP対に関連付けられたタイマーである、または前記タイマーは、前記キャリア上または前記サービス・セル内の端末装置のアクティブBWP対に関連付けられたタイマーである。
【００１４】
第3の側面によれば、本願のある実施形態は、タイマー処理方法をさらに提供する。タイマー処理方法は：
端末装置によって、少なくとも一つの構成された資源が存在することを判別する段階と；
端末装置のアクティブ帯域幅部分BWP対がデフォルトBWP対でない場合、端末装置によって、存在する前記少なくとも一つの構成された資源に基づいてタイマーを始動または再始動する段階であって、前記タイマーは、アクティブBWP対からデフォルトBWP対に切り換えるために端末装置によって使用されるタイマーである、または前記タイマーは、デフォルトBWP対をアクティブ化し、アクティブBWP対を非アクティブ化するために端末装置によって使用されるタイマーである、段階とを含む。
【００１５】
本願のこの実施形態では、半動的スケジューリングにより、少なくとも一つの構成された資源が存在する場合、タイマーを始動または再始動するかどうかは、存在する前記少なくとも一つの構成された資源に基づいて決定されうることがわかる。これは、端末装置がデフォルトの下りリンクBWPに正しく切り換えることができず、端末装置の電力消費が削減できないという問題を解決し、端末装置の電力消費を削減する。
【００１６】
ある可能な実装では、構成された資源上でデータが送信される。
【００１７】
ある可能な実装では、端末装置によって、存在する前記少なくとも一つの構成された資源に基づいてタイマーを始動または再始動することが：
構成された資源が下りリンク資源または上りリンク資源であることと；
前記少なくとも一つの構成された資源が存在することを判別するときに、端末装置によって前記タイマーを始動または再始動すること；または前記構成された資源が下りリンク資源であり、下りリンク・データが前記下りリンク資源上で送信されるときに、端末装置によって前記タイマーを始動または再始動すること；または前記構成された資源が上りリンク資源であり、上りリンク・データが前記上りリンク資源上で送信されるときに、端末装置によって前記タイマーを始動または再始動することを含む。
【００１８】
ある可能な実装では、前記タイマーは、端末装置のアクティブBWP対に関連付けられたタイマーである。
【００１９】
さらに、タイマーがBWPに関連付けられている場合、タイマー処理方法は、さらに、下記の第4〜第6の側面のいずれかに示される方法であってもよいことを注意しておくべきである。
【００２０】
第4の側面によれば、本願のある実施形態は、タイマー処理方法を提供する。本方法は：
端末装置によって、ネットワーク装置によって送信された命令メッセージを受信する段階であって、前記命令メッセージは、少なくとも一つの二次サービス・セルをアクティブ化するように端末装置に命令するものである、段階と；
端末装置によって、前記二次サービス・セルに関連付けられたタイマーを始動または再起動する段階であって、前記タイマーは、アクティブ下りリンク帯域幅部分BWPからデフォルト下りリンクBWPに切り換えるために前記端末装置によって使用されるタイマーである、または、前記タイマーは、デフォルト下りリンクBWPをアクティブ化し、アクティブ下りリンクBWPを非アクティブ化するために前記端末装置によって使用されるタイマーである、または、前記タイマーは、アクティブBWP対からデフォルトBWP対に切り換えるために前記端末装置によって使用されるタイマーである、または前記タイマーは、デフォルトBWP対をアクティブ化し、アクティブBWP対を非アクティブ化するために前記端末装置によって使用されるタイマーである、段階とを含んでいてもよい。
【００２１】
ある可能な実装では、二次サービス・セルは非アクティブ状態にある。
【００２２】
ある可能な実装では、端末装置によって、ネットワーク装置によって送信された命令メッセージを受信する前に、本方法は、さらに：
端末装置によって、ネットワーク装置によって送信された無線資源制御RRCメッセージを受信する段階であって、前記RRCメッセージは命令情報を含み、前記命令情報は、前記少なくとも一つの二次サービス・セルを追加または修正するように命令するものであり、前記RRCメッセージはさらに、前記二次サービス・セルの第1の下りリンクBWPをさらに含み、前記第1の下りリンクBWPは、前記二次サービス・セルがアクティブ化されたときに最初にアクティブ化される下りリンクBWPであり、前記第1の下りリンクBWPはデフォルト下りリンクBWPではない；または前記RRCメッセージは、前記二次サービス・セルの第1のBWP対をさらに含み、前記第1のBWP対は、前記二次サービス・セルがアクティブ化されたときに最初にアクティブ化されるBWP対であり、前記第1のBWP対は、デフォルト下りリンクBWP対ではない、段階を含んでいてもよい。
【００２３】
ある可能な実装では、前記タイマーは、第1の下りリンクBWPに関連付けられたタイマーである、または前記二次サービス・セルに関連付けられたタイマーは、前記二次サービス・セル内の端末装置の第1の下りリンクBWPに関連付けられたタイマーである、または前記タイマーは、第1のBWP対に関連付けられたタイマーである、または前記二次サービス・セルに関連付けられたタイマーは、前記二次サービス・セル内の端末装置の第1のBWP対に関連付けられたタイマーであり；
端末装置によって、二次サービス・セルに関連付けられたタイマーを始動または再始動する段階は：
端末装置によって、二次サービス・セルの第1の下りリンクBWPに関連付けられたタイマーを始動もしくは再始動すること、または端末装置によって、二次サービス・セルの第1のBWP対に関連付けられたタイマーを始動または再始動することを含む。
【００２４】
第5の側面によれば、本願のある実施形態は、タイマー処理方法を提供する。本方法は：
端末装置によって、ネットワーク装置によって送信された命令メッセージを受信する段階であって、前記命令メッセージは、前記端末装置に、少なくとも一つの二次サービス・セルを非アクティブ化するように命令するものであり、前記二次サービス・セルに関連付けられたタイマーは、動作状態にあり、前記タイマーは、アクティブ下りリンク帯域幅部分BWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために前記端末装置によって使用されるタイマーである、または、前記タイマーは、アクティブBWP対からデフォルトBWP対に切り換えるために前記端末装置によって使用されるタイマーである、または、前記タイマーは、デフォルトBWP対をアクティブ化し、アクティブBWP対を非アクティブ化するために前記端末装置によって使用されるタイマーである、段階と；
端末装置によって、二次サービス・セルに関連付けられたタイマーを停止またはリセットする、または端末装置によって、二次サービス・セルに関連付けられたタイマーを停止およびリセットする段階とを含んでいてもよい。
【００２５】
ある可能な実装では、前記タイマーは、端末装置のアクティブ下りリンクBWPに関連付けられたタイマーである、または前記二次サービス・セルに関連付けられたタイマーは、前記二次サービス・セル内の前記端末装置のアクティブ下りリンクBWPに関連付けられたタイマーである、または前記タイマーは、端末装置のアクティブBWP対に関連付けられたタイマーである、または前記二次サービス・セルに関連付けられたタイマーは、前記二次サービス・セル内の端末装置のアクティブBWP対に関連付けられたタイマーである。
【００２６】
第6の側面によれば、本願のある実施形態は、タイマー処理方法を提供する。本方法は：
端末装置によって、二次サービス・セルの二次サービス・セル非アクティブ化タイマーが満了することを判別する段階であって、前記二次サービス・セルに関連付けられたタイマーが動作状態にあり、前記タイマーが、アクティブ下りリンク帯域幅部分BWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために使用されるタイマーである、または、前記タイマーは、アクティブBWP対からデフォルトBWP対に切り換えるために前記端末装置によって使用されるタイマーである、または前記タイマーは、デフォルトBWP対をアクティブ化し、アクティブBWP対を非アクティブ化するために前記端末装置によって使用されるタイマーである、段階と；
端末装置によって、二次サービス・セルに関連付けられたタイマーを停止またはリセットする、または端末装置によって、二次サービス・セルに関連付けられたタイマーを停止およびリセットする段階とを含んでいてもよい。
【００２７】
ある可能な実装では、前記タイマーは、端末装置のアクティブ下りリンクBWPに関連付けられたタイマーである、または前記二次サービス・セルに関連付けられたタイマーは、前記二次サービス・セル内の端末装置のアクティブ下りリンクBWPに関連付けられたタイマーである、または前記タイマーは、端末装置のアクティブBWP対に関連付けられたタイマーである、または前記二次サービス・セルに関連付けられたタイマーは、前記二次サービス・セル内の端末装置のアクティブBWP対に関連付けられたタイマーである。
【００２８】
第5および第6の側面のいずれかに示されるタイマー処理方法において、二次サービス・セルに関連付けられたタイマーは、二次サービス・セルのアクティブBWPのいずれか一つまたはすべてに関連付けられたタイマーであってもよいことを注意しておくべきである。
【００２９】
第7の側面によれば、本願のある実施形態は、さらに、端末装置を提供する。本端末装置は：
ネットワーク装置によって送信された第1のメッセージを受信するように構成された受信ユニットであって、前記第1のメッセージは、下りリンク割り当てまたは上りリンク承認を示すために使用される、または前記第1のメッセージは、帯域幅部分BWP切り換えを示すために使用される、受信ユニットと；
端末装置のアクティブ下りリンクBWPがデフォルト下りリンクBWPでない場合、前記第1のメッセージのスクランブル識別子に基づいてタイマーを始動または再始動するように構成された処理ユニットであって、前記タイマーは、前記アクティブ下りリンクBWPから前記デフォルト下りリンクBWPに切り換えるために前記端末装置によって使用されるタイマーである、または前記タイマーは、前記デフォルト下りリンクBWPをアクティブ化し、前記アクティブ下りリンクBWPを非アクティブ化するために前記端末装置によって使用されるタイマーである、処理ユニットとを含んでいてもよく、
前記処理ユニットは：前記端末装置のアクティブBWP対がデフォルトBWP対でない場合、第1のメッセージのスクランブル識別子に基づいてタイマーを始動または再始動するようにさらに構成され、前記タイマーは、アクティブBWP対からデフォルトBWP対に切り換えるために端末装置によって使用されるタイマーである、または、前記タイマーは、デフォルトBWP対をアクティブ化し、アクティブBWP対を非アクティブ化するために端末装置によって使用されるタイマーである。
【００３０】
ある可能な実装では、前記処理ユニットは、具体的には、スクランブル識別子がランダムアクセス無線ネットワーク一時識別子RA-RNTIまたは一時セル無線ネットワーク一時識別子TC-RNTIでないときに、前記タイマーを始動または再始動するように構成される。
【００３１】
ある可能な実装では、前記処理ユニットは、具体的には、スクランブル識別子が第1のスクランブル識別子であるときに前記タイマーを始動または再始動するように構成され、前記第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【００３２】
ある可能な実装では、前記処理ユニットは具体的には、スクランブル識別子がランダムアクセス無線ネットワーク一時識別子RA-RNTIであり、端末装置が非競合ベースのランダムアクセスを実行するときに、前記タイマーを始動または再始動するように構成される。
【００３３】
ある可能な実装では、端末装置はさらに：
前記スクランブル識別子がRA-RNTIであり、端末装置が競合ベースのランダムアクセスを実行するとき、前記タイマーを制御してもとの状態を維持するように構成された維持ユニットを含んでいてもよい。
【００３４】
ある可能な実装では、前記タイマーは、端末装置のアクティブ下りリンクBWPに関連付けられたタイマーである、または前記タイマーは、端末装置のアクティブBWP対に関連付けられたタイマーである。
【００３５】
第8の側面によれば、本願のある実施形態は、さらに、端末装置を提供する。端末装置は：
ネットワーク装置によって送信された第1のメッセージを受信するように構成された受信ユニットであって、前記第1のメッセージは、下りリンク割り当てまたは上りリンク承認を示すために使用される、または前記第1のメッセージは、帯域幅部分BWP切り換えを示すために使用される、受信ユニットと；
前記第1のメッセージのキャリア・インデックスに基づいてタイマーを始動または再始動するように構成された処理ユニットであって、前記タイマーは、アクティブ下りリンクBWPからデフォルト下りリンクBWPに切り換えるために前記端末装置によって使用されるタイマーである、または前記タイマーは、デフォルト下りリンクBWPをアクティブ化し、アクティブ下りリンクBWPを非アクティブ化するために前記端末装置によって使用されるタイマーである、または前記タイマーは、アクティブBWP対からデフォルトBWP対に切り換えるために前記端末装置によって使用されるタイマーである、または、前記タイマーは、デフォルトBWP対をアクティブ化し、アクティブBWP対を非アクティブ化するために前記端末装置によって使用されるタイマーである、処理ユニットとを含んでいてもよい。
【００３６】
ある可能な実装では、端末装置のアクティブ下りリンクBWPがデフォルト下りリンクBWPではなく、端末装置のアクティブ下りリンクBWPがキャリア・インデックスによって示されるキャリアまたはサービス・セルの下りリンクBWPである場合、または端末装置のアクティブBWP対がデフォルトBWP対ではなく、端末装置のアクティブBWP対がキャリア・インデックスによって示されるキャリアまたはサービス・セルのBWP対である場合、前記タイマーは前記キャリアまたは前記サービス・セルのタイマーである。
【００３７】
ある可能な実装では、端末装置のアクティブ下りリンクBWPがデフォルト下りリンクBWPではなく、端末装置のアクティブ下りリンクBWPが第1のメッセージを受信するために使用されるキャリアまたはサービス・セルの下りリンクBWPである場合、または、端末装置のアクティブBWP対がデフォルトBWP対ではなく、端末装置のアクティブBWP対が第1のメッセージを受信するために使用されるキャリアまたはサービス・セルのBWP対である場合、前記タイマーは、第1のメッセージを受信するために使用される前記キャリアまたは前記サービス・セルのタイマーである。
【００３８】
ある可能な実装では、前記タイマーは、端末装置のアクティブ下りリンクBWPに関連付けられたタイマーである、または前記タイマーは、キャリア上またはサービス・セル内の端末装置のアクティブ下りリンクBWPに関連付けられたタイマーである、または前記タイマーは、端末装置のアクティブBWP対に関連付けられたタイマーである、または前記タイマーは、キャリア上またはサービス・セル内の端末装置のアクティブBWP対に関連付けられたタイマーである。
【００３９】
第9の側面によれば、本願のある実施形態は、さらに、端末装置を提供する。本端末装置は：
少なくとも一つの構成された資源が存在することを判別するように構成された判別ユニットと；
端末装置のアクティブ帯域幅部分BWP対がデフォルトBWP対でない場合、存在する前記少なくとも一つの構成された資源に基づいてタイマーを始動または再始動するように構成された処理ユニットであって、前記タイマーは、前記アクティブBWP対から前記デフォルトBWP対に切り換えるために前記端末装置によって使用されるタイマーである、または前記タイマーは、前記デフォルトBWP対をアクティブ化し、前記アクティブBWP対を非アクティブ化するために使用されるタイマーである、処理ユニットとを含んでいてもよい。
【００４０】
ある可能な実装では、構成された資源上でデータが送信される。
【００４１】
ある可能な実装では、構成された資源は、下りリンク資源または上りリンク資源であり；
前記処理ユニットは、具体的には、前記少なくとも一つの構成された資源が存在するときに、前記タイマーを始動または再始動する；または、構成された資源が下りリンク資源であり、下りリンク・データが前記下りリンク資源上で送信されるときに、前記タイマーを始動または再始動する；または、構成された資源が上りリンク資源であり、上りリンク・データが上りリンク資源上で送信されるとき、前記タイマーを始動または再始動するように構成される。
【００４２】
ある可能な実装では、前記タイマーは、端末装置のアクティブBWP対に関連付けられたタイマーである。
【００４３】
第10の側面によれば、本願のある実施形態は、さらに、端末装置を提供する。本端末装置は、プロセッサおよびメモリを含んでいてもよく、
前記メモリはプログラム命令を格納するように構成されており；
前記プロセッサは、メモリに記憶されたプログラム命令を呼び出して実行し、第1の側面ないし第3の側面のいずれか一つに従ってタイマー処理方法を実行するように構成される。
【００４４】
第11の側面によれば、本願のある実施形態は、さらに、端末装置を提供する。端末装置は、受信機およびプロセッサを含んでいてもよく、
前記受信機は、ネットワーク装置によって送信される第1のメッセージを受信するように構成され、第1のメッセージは、下りリンク割り当てまたは上りリンク承認を示すために使用される、または第1のメッセージは、帯域幅部分BWP切り換えを示すために使用され；
前記プロセッサは、端末装置のアクティブ下りリンクBWPがデフォルト下りリンクBWPでない場合、第1のメッセージのスクランブル識別子に基づいてタイマーを始動または再始動するように構成され、前記タイマーは、アクティブ下りリンクBWPからデフォルト下りリンクBWPに切り換えるために端末装置によって使用するタイマーである、または前記タイマーは、デフォルト下りリンクBWPをアクティブ化し、アクティブ下りリンクBWPを非アクティブ化するために端末装置によって使用されるタイマーであり；
前記プロセッサは：端末装置のアクティブBWP対がデフォルトBWP対でない場合、第1のメッセージのスクランブル識別子に基づいてタイマーを始動または再始動するように構成され、前記タイマーは、アクティブBWP対からデフォルトBWP対に切り換えるために端末装置によって使用されるタイマーである、または、前記タイマーは、デフォルトBWP対をアクティブ化し、アクティブBWP対を非アクティブ化するために端末装置によって使用されるタイマーである。
【００４５】
ある可能な実装では、前記プロセッサは、具体的には、前記スクランブル識別子がランダムアクセス無線ネットワーク一時識別子RA-RNTIまたは一時セル無線ネットワーク一時識別子TC-RNTIでないときに、前記タイマーを始動または再始動するように構成される。
【００４６】
ある可能な実装では、前記プロセッサは、具体的には、前記スクランブル識別子が第1のスクランブル識別子であるときに前記タイマーを始動または再始動するように構成され、前記第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【００４７】
ある可能な実装では、前記プロセッサは具体的には、前記スクランブル識別子がランダムアクセス無線ネットワーク一時識別子RA-RNTIであり、端末装置が非競合ベースのランダムアクセスを実行するときに、前記タイマーを始動または再始動するように構成される。
【００４８】
ある可能な実装では、前記プロセッサは、前記スクランブル識別子がRA-RNTIであり、端末装置が競合ベースのランダムアクセスを実行するときに、前記タイマーを制御してもとの状態を維持するようにさらに構成される。
【００４９】
ある可能な実装では、前記タイマーは、端末装置のアクティブ下りリンクBWPに関連付けられたタイマーである、または前記タイマーは、端末装置のアクティブBWP対に関連付けられたタイマーである。
【００５０】
第12の側面によれば、本願のある実施形態は、さらに、端末装置を提供する。端末装置は、受信機およびプロセッサを含んでいてもよい。
前記受信機は、ネットワーク装置によって送信される第1のメッセージを受信するように構成され、前記第1のメッセージは、下りリンク割り当てまたは上りリンク承認を示すために使用される、または前記第1のメッセージは、帯域幅部分BWP切り換えを示すために使用され；
前記プロセッサは、第1のメッセージのキャリア・インデックスに基づいてタイマーを始動または再始動するように構成され、前記タイマーは、アクティブ下りリンクBWPからデフォルト下りリンクBWPに切り換えるために端末装置によって使用されるタイマーである、または前記タイマーは、デフォルト下りリンクBWPをアクティブ化し、アクティブ下りリンクBWPを非アクティブ化するために端末装置によって使用されるタイマーである、または前記タイマーは、アクティブBWP対からデフォルトBWP対に切り換えるために端末装置によって使用されるタイマーである、または前記タイマーは、デフォルトBWP対をアクティブ化し、アクティブBWP対を非アクティブ化するために端末装置によって使用されるタイマーである。
【００５１】
ある可能な実装では、端末装置のアクティブ下りリンクBWPがデフォルト下りリンクBWPではなく、端末装置のアクティブ下りリンクBWPがキャリア・インデックスによって示されるキャリアまたはサービス・セルの下りリンクBWPである場合、または端末装置のアクティブBWP対がデフォルトBWP対ではなく、端末装置のアクティブBWP対がキャリア・インデックスによって示されるキャリアまたはサービス・セルのBWP対である場合、前記タイマーは前記キャリアまたは前記サービス・セルのタイマーである。
【００５２】
ある可能な実装では、端末装置のアクティブ下りリンクBWPがデフォルト下りリンクBWPではなく、端末装置のアクティブ下りリンクBWPが第1のメッセージを受信するために使用されるキャリアまたはサービス・セルの下りリンクBWPである場合、または、端末装置のアクティブBWP対がデフォルトBWP対ではなく、端末装置のアクティブBWP対が第1のメッセージを受信するために使用されるキャリアまたはサービス・セルのBWP対である場合、前記タイマーは、第1のメッセージを受信するために使用されるキャリアまたはサービス・セルのタイマーである。
【００５３】
ある可能な実装では、前記タイマーは、端末装置のアクティブ下りリンクBWPに関連付けられたタイマーである、または前記タイマーは、キャリア上またはサービス・セル内の端末装置のアクティブ下りリンクBWPに関連付けられたタイマーである、または前記タイマーは、端末装置のアクティブBWP対に関連付けられたタイマーである、または前記タイマーは、キャリア上またはサービス・セル内の端末装置のアクティブBWP対に関連付けられたタイマーである。
【００５４】
第13の側面によれば、本願のある実施形態は、さらに、端末装置を提供する。端末装置は、プロセッサを含んでいてもよく、
前記プロセッサは、少なくとも一つの構成された資源が存在することを判別するように構成されており；
前記プロセッサは、端末装置のアクティブ帯域幅部分BWP対がデフォルトBWP対でない場合、存在する前記少なくとも一つの構成された資源に基づいてタイマーを始動または再始動するように構成され、前記タイマーは、アクティブBWP対からデフォルトBWP対に切り換えるために端末装置によって使用されるタイマーである、または前記タイマーは、デフォルトBWP対をアクティブ化し、アクティブBWP対を非アクティブ化するために端末装置によって使用されるタイマーである。
【００５５】
ある可能な実装では、構成された資源上でデータが送信される。
【００５６】
ある可能な実装では、構成された資源は、下りリンク資源または上りリンク資源であり；
前記プロセッサは、具体的には：前記少なくとも一つの構成された資源が存在することを判断するときに前記タイマーを始動または再始動する；または前記構成された資源が下りリンク資源であり、下りリンク・データが前記下りリンク資源上で送信されるときに前記タイマーを始動または再始動する；または前記構成された資源が上りリンク資源であり、上りリンク・データが前記上りリンク資源上で送信されるときに前記タイマーを始動または再始動するように構成される。
【００５７】
ある可能な実装では、前記タイマーは、端末装置のアクティブBWP対に関連付けられたタイマーである。
【００５８】
第14の側面によれば、本願のある実施形態は、さらに、端末装置を提供する。本端末装置は、プロセッサおよびメモリを含んでいてもよく、
前記メモリはプログラム命令を格納するように構成されており；
前記プロセッサは、メモリに格納された前記プログラム命令を呼び出して実行し、第1の側面ないし第3の側面のいずれか一つに従ってタイマー処理方法を実行するように構成される。
【００５９】
第15の側面によれば、本願のある実施形態は、コンピュータ読取可能な記憶媒体をさらに提供し、
前記コンピュータ読取可能な記憶媒体は、コンピュータ・プログラムを記憶し、プロセッサによって実行されると、前記コンピュータ・プログラムは、第1の側面ないし第3の側面のいずれか一つに従ってタイマー処理方法を実行する。
【００６０】
第16の側面によれば、本願のある実施形態は、さらに、チップを提供し、前記チップは、コンピュータ・プログラムを記憶し、プロセッサによって実行されると、前記コンピュータ・プログラムは、第1の側面ないし第3の側面のいずれか一つに従って、タイマー処理方法を実行する。
【００６１】
本願の実施形態において提供されるタイマー処理方法および端末装置によれば、タイマーを始動または再始動するかどうかの判断において、端末装置は、ネットワーク装置によって送信された第1のメッセージを受信する。端末装置のアクティブ下りリンク帯域幅部分BWPがデフォルト下りリンクBWPでない場合、端末装置は、第1のメッセージのスクランブル識別子に基づいてタイマーを始動または再始動し、ここで、前記タイマーは、アクティブ下りリンクBWPからデフォルト下りリンクBWPに切り換えるために端末装置によって使用されるタイマーである、または前記タイマーは、デフォルト下りリンクBWPをアクティブ化し、アクティブ下りリンクBWPを非アクティブ化するために端末装置によって使用されるタイマーである。端末装置のアクティブBWP対がデフォルトBWP対でない場合、端末装置は、第1のメッセージのスクランブル識別子に基づいてタイマーを始動または再始動する。ここで、前記タイマーは、アクティブBWP対からデフォルトBWP対に切り換えるために端末装置によって使用されるタイマーである、または前記タイマーは、デフォルトBWP対をアクティブ化し、アクティブBWP対を非アクティブ化するために端末装置によって使用されるタイマーである。これは、端末装置がデフォルトの下りリンクBWPに正しく切り換えることができず、端末装置の電力消費が削減できないという問題を解決し、端末装置の電力消費を削減する。
【図面の簡単な説明】
【００６２】
【図１】本願のある実施形態による適用シナリオの概略図である。
【００６３】
【図２】本願のある実施形態によるタイマー処理方法の概略図である。
【００６４】
【図３】本願のある実施形態による別のタイマー処理方法の概略図である。
【００６５】
【図４】本願のある実施形態による別のタイマー処理方法の概略図である。
【００６６】
【図５】本願のある実施形態による別のタイマー処理方法の概略図である。
【００６７】
【図６】本願のある実施形態による別のタイマー処理方法の概略図である。
【００６８】
【図７】本願のある実施形態による別のタイマー処理方法の概略図である。
【００６９】
【図８】本願のある実施形態による端末装置の概略構造図である。
【００７０】
【図９】本願のある実施形態による別の端末装置の概略構造図である。
【００７１】
【図１０】本願のある実施形態による別の端末装置の概略構造図である。
【００７２】
【図１１】本願のある実施形態による端末装置の概略構造図である。
【００７３】
【図１２】本発明のある実施形態による別の端末装置の概略構造図である。
【００７４】
【図１３】本願のある実施形態に係る別の端末装置の概略構造図である。
【００７５】
【図１４】本願のある実施形態による別の端末装置の概略構造図である。
【発明を実施するための形態】
【００７６】
本願の実施形態は、将来登場しうる5G通信システムまたは別のシステムに適用される。下記は、当業者の理解を容易にするために、本願で使用されるいくつかの用語を記述する。本願の実施形態における解決策が、5G通信システムまたは将来登場しうる上記別のシステムに適用されるとき、ネットワーク装置および端末の名称が変わることがありうるが、これは本願の実施形態における解決策の実施に影響しない。
【００７７】
図1は、本願のある実施形態による適用シナリオの概略図である。図1に示されるネットワーク・アーキテクチャは、主としてネットワーク装置10と端末装置20とを含む。端末装置はネットワーク機器と通信しうる。本願では、ネットワーク装置は、少なくとも一つの下りリンクBWPおよび少なくとも一つの上りリンクBWPの両方を一つの端末装置のために構成しうる。対スペクトル・シナリオでは、前記少なくとも一つの下りリンクBWPは、一つのデフォルト下りリンクBWPを含む。非対スペクトル・シナリオでは、前記少なくとも一つの下りリンクBWPは一つのデフォルト下りリンクBWPを含み、前記少なくとも一つの上りリンクBWPは一つのデフォルト上りリンクBWPを含み、前記デフォルト下りリンクBWPおよび前記デフォルト上りリンクBWPは対にされて、一つのデフォルトBWP対を形成する。デフォルトの下りリンクBWPは、比較的狭い下りリンク帯域幅に対応する。よって、端末装置がデフォルトの下りリンクBWP上でデータを送信する場合、端末装置は狭帯域の下りリンク制御情報を傾聴し、比較的小さな探索空間でブラインド検出を実行する必要があるだけで、それにより端末装置の電力消費を低減する。
【００７８】
（1）端末装置は、端末またはユーザー装置とも呼ばれ、ユーザーのために音声および／またはデータ接続性を提供する装置、たとえば、無線接続機能を有するハンドヘルド装置またはビークル搭載装置である。たとえば、一般的な端末装置は、携帯電話、タブレットコンピュータ、ノートブックコンピュータ、パームトップコンピュータ、モバイルインターネット装置（mobile  internet  device、MID）、およびウェアラブル装置を含む。たとえば、ウェアラブル装置は、スマートウォッチ、スマートバンド、および歩数計を含む。
【００７９】
（2）ネットワーク装置は、無線アクセスネットワーク（Radio  Access  Network、RAN）装置とも呼ばれ、端末装置を無線ネットワークに接続する装置である。ネットワーク装置は、たとえば、基地局、進化型ノードB（evolved  Node  B、eNB）、無線ネットワークコントローラ（radio  network  controller、RNC）、ノードB（Node  B、NB）、基地局コントローラ（Base  Station  Controller、BSC）、ベーストランシーバステーション（Base  Transceiver  Station、BTS）、ホームネットワーク装置（たとえば、ホーム進化型ノードBまたはホームノードB、HNB）、ベースバンドユニット（Base  Band  Unit、BU）を含むが、これらに限定されない、さまざまな通信規格のネットワーク装置を含む。
【００８０】
（3）帯域幅部分（band  width  part、BWP）：セルの帯域幅が大きいとき、端末装置はセルの帯域幅の一部のみで動作することがある。セルの帯域幅の各部分がBWPと呼ばれる。
【００８１】
（4）ネットワーク装置は、たとえば、低周波ネットワーク装置および高周波ネットワーク装置を含むが、これらに限定されない、さまざまな周波数規格のネットワーク装置を含む。
【００８２】
（5）「複数の」とは二つ以上を意味し、別の数量詞もこれと同様である。用語「および／または」は、関連付けられた対象を記述するための関連付け関係を記述し、三つの関係が存在しうることを表わす。たとえば、Aおよび／またはBは、Aのみが存在、AとBの両方が存在、Bのみが存在という三つの場合を表わす。記号「／」は、一般に、関連付けられる対象の間の「または」関係を示す。
【００８３】
従来技術では、BWP不活動タイマーが開始されるかどうかは、端末によって受信されたPDCCHに基づいて決定される。具体的には、端末によって受信されたPDCCHが下りリンク割り当てを示すか、またはデフォルト以外のBWPへの切り換えを示せば、BWP不活動タイマーが始動または再始動される。しかしながら、従来技術では、タイマーの始動または再始動中にエラーまたは省略があり、その結果、端末はデフォルトの下りリンクBWPに正しく切り換えることができず、端末の電力消費を低減することができない。従来技術の問題を解決するために、本願のある実施形態は、タイマー処理方法を提供する。この方法では、端末装置は、ネットワーク装置によって送信された第1のメッセージを受信したすぐ後にタイマーを始動または再始動させず、タイマーを始動または再始動するかどうかをさらに決定するために、第1のメッセージのスクランブル識別子または第1のメッセージのキャリア・インデックスを決定する必要がある。さらに、本願のこの実施形態は、非動的なスケジューリング・シナリオにおいて、存在する少なくとも一つの構成された資源に基づいてタイマーを始動または再始動するための方法をさらに提供する。これは、端末装置がデフォルト下りリンクBWPに正しく切り換えることができず、端末の電力消費を低減できないという従来技術の問題を解決する。
【００８４】
前述の3つの仕方でタイマーが始動または再始動されるとき、タイマーは、サービス・セルに関連付けられたタイマー、またはBWPに関連付けられたタイマーであってもよいことを注意しておくべきである。5G  NRの初回リリースでは、第1の帯域幅キャリア上では、一つの端末装置は、任意の瞬間に、サービス・セル内に一つのアクティブな下りリンクBWPまたは上りリンクBWPを有するだけである。したがって、有効な稼働中のタイマーは一つだけである。この場合、タイマーは、タイマーがサービス・セルに関連付けられているかBWPに関連付けられているかにかかわりなく、唯一のBWPを制御する。将来の5Gリリースにおいては、第1の帯域幅キャリア上で、一つの端末装置は、任意の瞬間に、サービス・セル内に少なくとも一つのアクティブ下りリンクBWPまたは少なくとも一つの上りリンクBWPを有する。この場合、タイマーがサービス・セルに関連付けられている場合、タイマーは複数のBWPを制御する必要がある。対照的に、タイマーがBWPに関連付けられている場合には、複数のタイマーが存在し、各タイマーが一つの対応するBWPを制御する。以下では、具体的な実施形態を使用することによって、種々の関連付けシナリオを別個に説明する。具体的には、タイマーがサービス・セルに関連付けられている、またはタイマーがBWPに関連付けられているときに、タイマーをどのように始動または再始動するかを説明する。BWPという用語が現れる場合、BWPは対スペクトルのシナリオでは下りリンクBWPとして理解されてもよく、非対スペクトルではBWP対として理解されてもよいことに注意すべきである。
【００８５】
第1の関連付けシナリオでは、タイマーがサービス・セルに関連付けられているとき、タイマーは、複数の可能な実装において始動または再始動されうる。以下に、複数の可能な実装でタイマーをどのように始動または再始動するかを詳細に説明する。
【００８６】
ある可能な実装では、端末装置は、第1のメッセージのスクランブル識別子に基づいて、タイマーを始動または再始動するかどうかを決定してもよい。図2は、本願のある実施形態によるタイマー処理方法の概略図である。タイマー処理方法は、以下の段階を含んでいてもよい。
【００８７】
S201：端末装置が、ネットワーク装置から送信された第1のメッセージを受信する。
【００８８】
第1のメッセージは、下りリンク割り当てまたは上りリンク承認を示す、または第1のメッセージは、帯域幅部分BWP切り換えを示す。
【００８９】
第1のメッセージは、PDCCH上で搬送される下りリンク制御情報のようなメッセージであってもよいことを注意しておくべきである。たとえば、第1のメッセージを受信することは、PDCCHを受信すること、または下りリンク制御情報を受信すること、またはPDCCH上で搬送される下りリンク制御情報を受信すること、またはPDCCHを使用して送信される下りリンク制御情報を受信することと理解されうる。対スペクトル・シナリオでは、第1のメッセージは下りリンク割り当てを示してもよい。第1のメッセージが下りリンク割り当てを示すときは、タイマーを始動または再始動するかどうかがさらに決定される必要がある。あるいはまた、第1のメッセージが上りリンク承認を示してもよい。第1のメッセージが上りリンク承認を示すときは、タイマーは始動または再始動されない。むろん、第1のメッセージは、BWP切り換えと、切り換え先のBWPがデフォルトの下りリンクBWPではないことを示してもよい。非対スペクトル・シナリオでは、上りリンクBWPと下りリンクBWPがペアで現われる、すなわち、上りリンクと下りリンクBWPの対がBWP切り換えの間に両方とも切り換えられるので、デフォルトBWPは上りリンクBWPと下りリンクBWPの対を含むと考えられてもよい。この場合、第1のメッセージは下りリンク割り当てまたは上りリンク承認（uplink  grant）を示す、あるいは第1のメッセージはBWP切り換えを示し、切り換え先のBWP対はデフォルトのBWP対ではない。
【００９０】
対スペクトル・シナリオと非対スペクトル・シナリオは異なり、よって、第1のメッセージのスクランブル識別子に基づいてタイマーを始動または再始動する方法も異なり、それぞれS202およびS203に対応する。
【００９１】
S202：端末装置のアクティブ下りリンクBWPがデフォルトの下りリンクBWPでない場合、端末装置は、第1のメッセージのスクランブル識別子に基づいてタイマーを始動または再始動する。
【００９２】
タイマーは、アクティブ下りリンクBWPからデフォルト下りリンクBWPに切り換えるために端末装置によって使用されるタイマーである、あるいは、タイマーは、デフォルト下りリンクBWPをアクティブ化し、アクティブ下りリンクBWPを非アクティブ化するために端末装置によって使用されるタイマーである。対スペクトル・シナリオでは、第1のメッセージが下りリンク割り当てを示し、BWP切り換えを示さない場合、端末装置のアクティブ下りリンクBWPは、第1のメッセージを受信するために使用される下りリンクBWPであると考えられてもよい；または、第1のメッセージが帯域幅部分BWP切り換えを示す場合、端末装置のアクティブ下りリンクBWPは、切り換え先の下りリンクBWPであると考えられてもよい。あるいはまた、端末装置のアクティブ下りリンクBWPは、第1のメッセージによって示されるBWP、たとえば、下りリンク制御情報において示されるアクティブ下りリンクBWPであると考えられてもよい。
【００９３】
本稿における第1のメッセージのスクランブル識別子は、第1のメッセージの巡回冗長検査（Cyclic  Redundancy  Check、CRC）コードをスクランブルするために使用される無線ネットワーク一時識別子であることを注意しておくべきである。たとえば、第1のメッセージが下りリンク制御情報である場合、スクランブル識別子は、該下りリンク制御情報の巡回冗長検査コードをスクランブルするために使用される無線ネットワーク一時識別子である。第1のメッセージをスクランブルすることは、第1のメッセージの巡回冗長検査コードをスクランブルすることと理解されてもよい。
【００９４】
S202に示される解決策では、対スペクトル・シナリオでは、端末装置が下りリンク割り当てを示す第1のメッセージを受信した後、または端末装置が、BWP切り換えと、切り換え先の下りリンクBWPがデフォルト下りリンクBWPでないこととを示す第1のメッセージを受信した後、この場合、端末装置のアクティブ下りリンクBWPがデフォルト下りリンクBWPでない場合、端末装置は、第1のメッセージのスクランブル識別子に基づいてタイマーを始動または再始動してもよい。ここで、タイマーは、アクティブ下りリンクBWPからデフォルト下りリンクBWPに切り換えるために端末装置によって使用されるタイマーである、または、タイマーは、デフォルト下りリンクBWPをアクティブ化し、アクティブ下りリンクBWPを非アクティブ化するために端末装置によって使用されるタイマーである。これは、PDCCHが直接受信された後すぐにタイマーが始動または再始動される従来技術の慣行を回避し、端末装置がデフォルト下りリンクBWPに正しく切り換えることができず、端末装置の電力消費が低減できないという問題を解決し、端末装置の電力消費を低減する。
【００９５】
S203：端末装置のアクティブBWP対がデフォルトBWP対でない場合、端末装置は、第1のメッセージのスクランブル識別子に基づいてタイマーを始動または再始動する。
【００９６】
タイマーは、アクティブなBWP対からデフォルトBWP対に切り換えるために端末装置によって使用されるタイマーである、またはタイマーは、デフォルトBWP対をアクティブにし、アクティブなBWP対を非アクティブ化するために端末装置によって使用されるタイマーである。
【００９７】
非対スペクトル・シナリオでは、第1のメッセージが下りリンク割り当てまたは上りリンク承認を示し、かつ、BWP切り換えを示さない場合、端末装置のアクティブなBWP対は、第1のメッセージを受信するために使用される下りリンクBWPに対応するBWP対である、または第1のメッセージを受信するために使用される下りリンクBWPが属するBWP対であると考えられてもよく；または、第1のメッセージが帯域幅部分BWP切り換えを示す場合、端末装置のアクティブなBWP対が切り換え先のBWP対であると考えられてもよい。あるいはまた、端末装置のアクティブなBWP対は、第1のメッセージによって示されるBWP対、たとえば、下りリンク制御情報において示されるアクティブなBWP対であると考えられてもよい。あるいはまた、端末装置のアクティブなBWP対は、第1のメッセージによって示される下りリンクBWPに対応するBWP対、または第1のメッセージによって示される下りリンクBWPが属するBWP対、たとえば、下りリンク制御情報において示す下りリンクBWPに対応するアクティブなBWP対、または下りリンク制御情報において示される下りリンクBWPが属するアクティブなBWP対であると考えられてもよい。
【００９８】
【００９９】
【０１００】
【０１０１】
S203に示される解決策では、非対スペクトル・シナリオにおいて、端末装置が上りリンク承認もしくは下りリンク割り当てを示す第1のメッセージを受信した後、または端末装置がBWP切り換えと、切り換え先のBWP対がデフォルトBWP対ではないこととを示す第1のメッセージを受信した後、この場合、端末装置のアクティブなBWP対がデフォルトBWP対でなければ、端末装置は、第1のメッセージのスクランブル識別子に基づいてタイマーを始動または再始動してもよく、タイマーは、アクティブなBWP対からデフォルトBWP対に切り換えるために端末装置によって使用されるタイマーである、またはタイマーは、デフォルトBWP対をアクティブ化し、アクティブBWP対を非アクティブ化するために端末装置によって使用されるタイマーである。これは、PDCCHを直接受信された後すぐにタイマーが始動または再始動される従来技術の慣行を回避し、端末装置がデフォルトBWP対に正しく切り換えることができず、端末装置の電力消費を低減できないという問題を解決し、端末装置の電力消費を低減する。
【０１０２】
あるスケジューリング・プロセスにおいては、S201の実行後にS202またはS203のいずれかのみが実行される、すなわち、S202とS203は同期して実行されない。
【０１０３】
上記のS202またはS203では、端末装置の異なるアクティブBWPは、第1のメッセージのスクランブル識別子に基づいてタイマーを始動または再始動する異なる仕方につながる。しかしながら、これら2つの仕方でタイマーを始動または再始動するための制御条件は同じであり、具体的には、S202およびS203において第1のメッセージのスクランブル識別子に基づいて、端末装置がタイマーを始動および再始動するための制御条件は同じである。端末装置は、以下の可能な諸態様で、第1のメッセージのスクランブル識別子に基づいてタイマーを始動または再始動しうる。
【０１０４】
態様１：端末装置は、スクランブル識別子がランダムアクセス無線ネットワーク一時識別子RA-RNTIまたは一時セル無線ネットワーク一時識別子TC-RNTIでないときに、タイマーを始動または再始動する。
【０１０５】
RA-RNTIについては、タイマーはランダムアクセス・トリガー・プロセスにおいて停止される必要があることを注意しておくべきである。換言すれば、タイマーはランダムアクセス・プロセスでは予期されない稼働状態にある。タイマーがランダムアクセス・プロセスにおいて期限切れとなる場合を避けるためである。RA-RNTIを使用してスクランブルされた第1のメッセージは、ランダムアクセス応答（Random  Access  Response、RAR）、すなわち、ランダムアクセス・プロセスにおけるメッセージ2をスケジュールする。競合ベースのランダムアクセス・プロセスにおいては、RARを受信することは、競合が成功裏に対処されることを意味しない。すなわち、ランダムアクセス・プロセスは失敗する可能性がある。RA-RNTIを使用してスクランブルされた第1のメッセージが受信された直後にタイマーが始動された場合、タイマーはランダムアクセス・プロセスにおいて満了してもよく、あるいはランダムアクセスが失敗したときにタイマーが誤って稼働状態にある可能性がある。
【０１０６】
TC-RNTIについては、端末装置がアイドル（idle）状態にある競合ベースのランダムアクセス・プロセスのみが発生することを注意しておくべきである。この場合、アイドル状態の端末装置は、初期BWP上で機能する。TC-RNTIを使用してスクランブルされたPDCCHは、ランダムアクセス・プロセスにおいてメッセージをスケジュールする。この場合、アイドル状態のユーザー装置は、基地局の構成メッセージを受信していない、すなわち、デフォルトBWPの概念がない。したがって、TC-RNTIはタイマーの始動または再始動とは無関係である。
【０１０７】
態様1においては、第1のメッセージを受信した後、端末装置は、第1のメッセージをスクランブルするために使用されるスクランブル識別子がRA-RNTIまたはTC-RNTIであるかどうかを判定する。スクランブル識別子がRA-RNTIまたはTC-RNTIでない場合、それは、端末装置がタイマーを始動または再始動しうることを示す。この場合、端末装置は、スクランブル識別子に基づいてタイマーを始動または再始動する。これは、タイマーがランダムアクセス・プロセスにおいて満了する場合、またはランダムアクセスが失敗するときにタイマーが誤って稼働状態にある場合を回避し、端末装置がデフォルト下りリンクBWPに正しく切り換えることができず、端末装置の電力消費を低減できないという問題を解決し、端末装置の電力消費を低減する。
【０１０８】
態様１は、第1のメッセージのスクランブル識別子がRA-RNTIでないときに、タイマーが直接始動または再始動される場合を記述する。逆に、第1のメッセージのスクランブル識別子がRA-RNTIである場合は、タイマーを始動または再始動するかどうかを決定するために、端末装置によってランダムアクセスを実行する態様がさらに決定される必要がある。これが下記の態様２で記述される。
【０１０９】
態様２：スクランブル識別子がランダムアクセス無線ネットワーク一時識別子RA-RNTIであり、端末装置が非競合ベースのランダムアクセスを実行するとき、端末装置はタイマーを始動または再始動する。スクランブル識別子がRA-RNTIであり、端末装置が競合ベースのランダムアクセスを実行するとき、端末装置はタイマーを制御し、もとの状態を維持する。
【０１１０】
態様２において、競合ベースのランダムアクセス・プロセスにおいて端末装置によってランダムアクセス応答を受信することは、競合が成功裏に対処されたことを意味せず、具体的には、ランダムアクセス・プロセスが失敗する可能性がある。RA-RNTIを使用してスクランブルされた第1のメッセージを受信した直後にタイマーが開始された場合、タイマーはランダムアクセス・プロセスにおいて満了することがあり、あるいはランダムアクセスが失敗するときにタイマーが誤って稼働状態にある可能性がある。よって、第1のメッセージのスクランブル識別子がRA-RNTIであり、端末装置が競合ベースのランダムアクセスを実行すると判別するとき、端末装置はタイマーを始動または再始動しない。すなわち、タイマーはもとの状態を維持する。対照的に、非競合ベースのランダムアクセス・プロセスにおいては、端末装置によってランダムアクセス応答を受信することは、競合が成功裏に対処されることを意味する。したがって、第1のメッセージのスクランブル識別子がRA-RNTIであり、端末が非競合ベースのランダムアクセスを実行することを判別するとき、端末装置は、タイマーを直接制御して始動または再始動するか、または、C-RNTIを使用してスクランブルされた第1のメッセージが初めて動的に受信された後にタイマーを始動または再始動する。これは、ランダムアクセス・プロセスにおいてタイマーが満了する場合、またはランダムアクセスが失敗するときにタイマーが誤って稼働状態にある場合を回避し、端末装置がデフォルト下りリンクBWPに正しく切り換えることができず、端末装置の電力消費を低減できないという問題を解決し、端末装置の電力消費を低減する。
【０１１１】
態様３：スクランブル識別子が第1のスクランブル識別子であるとき、端末装置はタイマーを始動または再始動する。
【０１１２】
第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【０１１３】
第1のスクランブル識別子は、前述の4つの無線ネットワーク一時識別子のいずれか一つまたは組み合わせでありうることを注意しておくべきである。具体的には、第1のメッセージをスクランブルするために、前述の4つの無線ネットワーク一時識別子のいずれか一つが選択されてもよく、あるいは第1のメッセージをスクランブルするために、前述の4つの無線ネットワーク一時識別子のうちのいずれか2つまたは3つが選択されてもよい。むろん、代わりに、前述の4つの無線ネットワーク一時識別子がすべて、第1のメッセージをスクランブルするために選択されてもよい。
【０１１４】
同様に、態様３では、第1のメッセージを受信した後、端末装置は、第1のメッセージをスクランブルするために使用されたスクランブル識別子を判断する。もしスクランブル識別子が第1のスクランブル識別子であれば、それは端末装置がタイマーを始動または再始動しうることを示す。この場合、端末装置は、スクランブル識別子に基づいてタイマーを始動または再始動する。これは、端末装置がデフォルトの下りリンクBWPに正しく切り換えることができず、端末装置の電力消費を削減できないという問題を解決し、それにより端末装置の電力消費を削減する。
【０１１５】
本発明のこの実施形態で提供されるタイマー処理方法によれば、タイマーを始動または再始動するかどうかを判定している間に、端末装置は、ネットワーク装置によって送信された第1のメッセージを受信する。端末装置のアクティブ下りリンク帯域幅部分BWPがデフォルト下りリンクBWPでない場合、端末装置は、第1のメッセージのスクランブル識別子に基づいてタイマーを始動または再始動し、ここで、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。端末装置のアクティブなBWP対がデフォルトBWP対でない場合、端末装置は、第1のメッセージのスクランブル識別子に基づいてタイマーを始動または再始動する。ここで、タイマーは、端末装置がアクティブなBWP対からデフォルトBWP対に切り換えるために端末装置によって使用されるタイマーである、またはタイマーは、デフォルトBWP対をアクティブ化し、アクティブなBWP対を非アクティブ化するために端末装置によって使用されるタイマーである。これは、端末装置がデフォルトの下りリンクBWPに正しく切り換えることができず、端末装置の電力消費を削減できないという問題を解決し、それにより端末装置の電力消費を削減する。
【０１１６】
図2に示される実施形態は、第1のメッセージのスクランブル識別子に基づいて、タイマーを始動または再始動するかどうかを端末装置がどのように決定するかについての解決策を詳細に記述している。下記は、端末装置が、第1のメッセージのキャリア・インデックスに基づいて、タイマーを開始するか再開するかを決定しうる、別の可能な実装を詳細に記述する。たとえば、タイマー処理方法は、キャリア集約シナリオに適用可能である。図3は、本発明のある実施形態による別のタイマー処理方法の概略図である。タイマー処理方法は、以下の段階を含んでいてもよい。
【０１１７】
S301：端末装置が、ネットワーク装置によって送信された第1のメッセージを受信する。
【０１１８】
第1のメッセージは、下りリンク割り当てまたは上りリンク承認を示す、または第1のメッセージは、帯域幅部分BWP切り換えを示すために使用される。
【０１１９】
第1のメッセージは、PDCCH上で搬送される下りリンク制御情報のようなメッセージであってもよいことも注意しておくべきである。第1のメッセージを受信することは、PDCCHを受信すること、または下りリンク制御情報を受信すること、またはPDCCH上で搬送される下りリンク制御情報を受信すること、またはPDCCHを使用して送信される下りリンク制御情報を受信することと理解されうる。対スペクトル・シナリオでは、第1のメッセージは下りリンク割り当てを示す、または第1のメッセージはBWP切り換えと、切り換え先の下りリンクBWPがデフォルトの下りリンクBWPではないこととを示す。非対スペクトル・シナリオでは、上りリンクBWPと下りリンクBWPがペアで現われるので、すなわち、上りリンクBWPと下りリンクBWPのペアが両方ともBWP切り換え中に切り換えられるので、デフォルトBWPは上りリンクBWPと下りリンクBWPのペアを含むと考えられてもよい。この場合、第1のメッセージは下りリンク割り当てまたは上りリンク承認（uplink  grant）を示す、または第1のメッセージはBWP切り換えと、切り換え先のBWP対はデフォルトのBWP対ではないこととを示す。
【０１２０】
S302：端末装置は、第1のメッセージのキャリア・インデックスに基づいてタイマーを始動または再始動する。
【０１２１】
タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである、またはタイマーは、アクティブBWP対からデフォルトBWP対に切り換えるために端末装置によって使用されるタイマーである、またはタイマーは、デフォルトBWP対をアクティブ化し、アクティブBWP対を非アクティブ化するために端末装置によって使用されるタイマーである。
【０１２２】
本稿における第1のメッセージのキャリア・インデックスは、第1のメッセージにおけるキャリア・インデックス、または第1のメッセージによって示されるキャリア・インデックス、または第1のメッセージに含まれるキャリア・インデックス、またはもちろん第1のメッセージによって担持されるキャリア・インデックスとして理解されうることを注意しておくべきである。
【０１２３】
対スペクトル・シナリオと非対スペクトル・シナリオは異なり、よって、第1のメッセージのキャリア・インデックスに基づいて始動または再始動されるタイマーも異なる。詳細な記述は以下の通りである。
【０１２４】
一つのシナリオ、すなわち、対スペクトル・シナリオでは、端末装置のアクティブ下りリンクBWPがデフォルト下りリンクBWPではなく、端末装置のアクティブ下りリンクBWPが、キャリア・インデックスによって示されるキャリアまたはサービス・セルの下りリンクBWPである場合、タイマーは該キャリアまたはサービス・セルのタイマーである。
【０１２５】
タイマーは、アクティブ下りリンクBWPからデフォルト下りリンクBWPに切り換えるために端末装置によって使用されるタイマーであり、あるいは、タイマーは、デフォルト下りリンクBWPをアクティブ化し、アクティブ下りリンクBWPを非アクティブ化するために端末装置によって使用されるタイマーである。
【０１２６】
対スペクトル・シナリオでは、第1のメッセージが下りリンク割り当てを示し、BWP切り換えを示さない場合、端末装置のアクティブ下りリンクBWPが、第1のメッセージを受信するために使用される下りリンクBWPであると考えられてもよい；または、第1のメッセージが帯域幅部分BWP切り換えを示す場合、端末装置のアクティブ下りリンクBWPが、切り換え先の下りリンクBWPであると考えられてもよい。あるいはまた、端末装置のアクティブ下りリンクBWPは、第1のメッセージによって示されたBWP、たとえば、下りリンク制御情報において示されたアクティブ下りリンクBWPであると考えられてもよい。
【０１２７】
対スペクトル・シナリオでは、端末装置のアクティブ下りリンク帯域幅部分BWPがデフォルト下りリンクBWPではなく、端末装置のアクティブ下りリンクBWPがキャリア・インデックスによって示されるキャリアまたはサービス・セルの下りリンクBWPである、または端末装置のアクティブ下りリンクBWPが伝送されるデータをもつキャリアまたはサービス・セルの下りリンクBWPである場合、タイマーはキャリア・インデックスによって示されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルの下りリンクBWPがデフォルト下りリンクBWPでない場合、タイマーはキャリア・インデックスによって示されるキャリアまたはサービス・セルのタイマー、すなわちキャリア2またはサービス・セル2のタイマーである。
【０１２８】
任意的に、さらに、端末装置のアクティブ下りリンクBWPがデフォルト下りリンクBWPではなく、端末装置のアクティブ下りリンクBWPが第1のメッセージを受信するために使用されるキャリアまたはサービス・セルの下りリンクBWPである場合、タイマーは第1のメッセージを受信するために使用されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルの下りリンクBWPがデフォルト下りリンクBWPでない場合、タイマーはキャリア・インデックスによって示されるキャリアまたはサービス・セルのタイマー、すなわちキャリア2またはサービス・セル2のタイマーである。第1のメッセージを受信するために使用されるキャリアまたはサービス・セルの下りリンクBWPがデフォルト下りリンクBWPでない場合、タイマーは、第1のメッセージを受信するために使用されるキャリアまたはサービス・セルのタイマー、すなわち、キャリア1またはサービス・セル1のタイマーである。換言すれば、前述の条件が満たされるとき、始動または再始動されるタイマーは、キャリア・インデックスによって示されたキャリアまたはサービス・セルのタイマー、および第1のメッセージを受信するために使用されるキャリアまたはサービス・セルのタイマーを含む。これは、端末装置がデフォルト下りリンクBWPに正しく切り換えることができず、端末装置の電力消費を削減できないという問題を解決し、それにより端末装置の電力消費を削減する。
【０１２９】
別のシナリオ、すなわち、非対スペクトル・シナリオでは、端末装置のアクティブBWP対がデフォルトBWP対ではなく、端末装置のアクティブBWP対がキャリア・インデックスによって示されるキャリアまたはサービス・セルのBWP対である場合、タイマーは該キャリアまたは該サービス・セルのタイマーである。
【０１３０】
タイマーは、アクティブBWP対からデフォルトBWP対に切り換えるために端末装置によって使用されるタイマー、またはデフォルトBWP対をアクティブにし、アクティブBWP対を非アクティブにするために端末装置によって使用されるタイマーである。
【０１３１】
非対スペクトル・シナリオでは、第1のメッセージが下りリンク割り当てまたは上りリンク承認を示し、かつ、BWP切り換えを示さない場合、端末装置のアクティブBWP対は、第1のメッセージを受信するために使用される下りリンクBWPに対応するBWP対または第1のメッセージを受信するために使用される下りリンクBWPが属するBWP対であると考えられてもよい；または、第1のメッセージが帯域幅部分BWP切り換えを示す場合、端末装置のアクティブBWP対は、切り換え先のBWP対であると考えられてもよい。あるいはまた、端末装置のアクティブBWP対は、第1のメッセージによって示されるBWP対、たとえば、下りリンク制御情報において示されるアクティブBWP対であると考えられてもよい。あるいはまた、端末装置のアクティブBWP対は、第1のメッセージによって示される下りリンクBWPに対応するBWP対、または第1のメッセージによって示される下りリンクBWPが属するBWP対、たとえば、下りリンク制御情報において示される下りリンクBWPに対応するアクティブBWP対、または下りリンク制御情報において示される下りリンクBWPが属するアクティブBWP対であると考えられてもよい。
【０１３２】
非対スペクトル・シナリオでは、端末装置のアクティブ帯域幅部分BWP対がデフォルトのBWP対ではなく、端末装置のアクティブBWP対がキャリア・インデックスによって示されるキャリアまたはサービス・セルのBWP対である場合、または端末装置のアクティブBWP対が送信されるデータをもつキャリアまたはサービス・セルのBWP対である場合、タイマーはキャリア・インデックスによって示されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルのBWP対がデフォルトのBWP対でない場合、タイマーは、キャリア・インデックスによって示されるキャリアまたはサービス・セルのタイマー、すなわちキャリア2またはサービス・セル2のタイマーである。
【０１３３】
任意的に、さらに、端末装置のアクティブBWP対がデフォルトBWP対でなく、端末装置のアクティブBWP対が第1のメッセージを受信するために使用されるキャリアまたはサービス・セルのBWP対である場合、タイマーは、第1のメッセージを受信するために使用されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルのBWP対がデフォルトのBWP対でない場合、タイマーは、キャリア・インデックスによって示されるキャリアまたはサービス・セルのタイマー、すなわちキャリア2またはサービス・セル2のタイマーである。第1のメッセージを受信するために使用されるキャリアまたはサービス・セルのBWP対がデフォルトのBWP対でない場合、タイマーは、第1のメッセージを受信するために使用されるキャリアまたはサービス・セルのタイマー、すなわち、キャリア1またはサービス・セル1のタイマーである。換言すれば、前述の条件が満たされる場合、始動または再始動されたタイマーは、キャリア・インデックスによって示されるキャリアまたはサービス・セルのタイマーおよび第1のメッセージを受信するために使用されるキャリアまたはサービス・セルのタイマーを含む。これは、端末装置がデフォルトの下りリンクBWPに正しく切り換えることができず、端末装置の電力消費を削減できないという問題を解決し、端末装置の電力消費を削減する。
【０１３４】
本発明の本実施形態で提供されるタイマー処理方法によれば、端末装置は、タイマーを始動または再始動するかどうかを判断する間に、ネットワーク装置によって送信された第1のメッセージを受信する。端末装置は、第1のメッセージのキャリア・インデックスに基づいてタイマーを始動または再始動し、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである、またはタイマーは、アクティブBWP対からデフォルトBWP対に切り換えるために端末装置によって使用されるタイマーである、またはタイマーは、デフォルトBWP対をアクティブ化し、アクティブBWP対を非アクティブ化するために端末装置によって使用されるタイマーである。これは、端末装置がデフォルトの下りリンクBWPに正しく切り換えることができず、端末装置の電力消費を削減できないという問題を解決し、端末装置の電力消費を削減する。
【０１３５】
図3に示される実施形態は、第1のメッセージのキャリア・インデックスに基づいて、タイマーを始動または再始動するかどうかを端末装置がどのように決定するかについての解決策を詳細に記載している。さらに、従来技術においては、PDCCHが受信されたときにのみ、タイマーが始動または再始動される。よって、非動的スケジューリング・プロセスにはタイマー再始動条件がなく、端末装置は、非動的スケジューリング・プロセスにおいては、デフォルトBWPに戻る可能性がある。その結果、端末装置の現在のデータ伝送が影響を受ける。したがって、本発明のある実施形態では、非動的スケジューリング・プロセスにおいてタイマーをどのように始動または再始動するかに関する記述が加えられる。図4は、本発明のある実施形態による別のタイマー処理方法の概略図である。このタイマー処理方法は、以下の段階を含んでいてもよい。
【０１３６】
S401：端末装置が、少なくとも一つの構成された資源が存在することを判別する。
【０１３７】
対スペクトル・シナリオでは、端末装置のアクティブ下りリンクBWPはデフォルト下りリンクBWPではないことも注意しておくべきである。非対スペクトル・シナリオでは、上りリンクBWPと下りリンクBWPがペアで現われるので、すなわち、BWP切り換え中に上りリンクBWPと下りリンクBWPの対が両方とも切り換えられるので、デフォルトBWPは上りリンクBWPと下りリンクBWPの対を含むと考えられてもよい。この場合、端末装置のアクティブなBWP対はデフォルトのBWP対ではない。
【０１３８】
少なくとも一つの構成された資源が存在することは、本稿では：少なくとも一つの構成された資源がある、または少なくとも一つの構成された資源が現われる、またはもちろん少なくとも一つの構成された資源が生起する、などとして理解されうることを注意しておくべきである。
【０１３９】
異なるシナリオがあるので、端末装置によって、存在する前記少なくとも一つの構成された資源に基づいてタイマーを始動または再始動する方法は異なり、それぞれS402およびS403に対応する。
【０１４０】
S402：端末装置のアクティブ下りリンクBWPがデフォルト下りリンクBWPでない場合、端末装置は、存在する前記少なくとも一つの構成された資源に基づいてタイマーを始動または再始動する。
【０１４１】
タイマーは、アクティブ下りリンクBWPからデフォルト下りリンクBWPに切り換えるために端末装置によって使用されるタイマーである、または、タイマーは、デフォルト下りリンクBWPをアクティブ化し、アクティブ下りリンクBWPを非アクティブ化するために端末装置によって使用されるタイマーである。
【０１４２】
S402に示される解決策では、対スペクトル・シナリオにおいて、端末装置のアクティブ下りリンクBWPがデフォルト下りリンクBWPではなく、かつ、構成された資源が下りリンク資源である場合、端末装置は、存在する前記少なくとも一つの構成された資源に基づいてタイマーを始動または再始動してもよい。
【０１４３】
任意的に、S402において、端末装置が、存在する前記少なくとも一つの構成された資源に基づいてタイマーを始動または再始動することは、以下の可能な態様を含みうる。
【０１４４】
態様１：端末装置が、前記少なくとも一つの構成された資源が存在すると判断するとき、端末装置はタイマーを始動または再始動する。
【０１４５】
態様１では、たとえば、非動的スケジューリング、たとえば、下りリンク半永続的スケジューリング（Semi-Persistent  Scheduling、SPS）で、端末装置が少なくとも一つの構成された下りリンク資源が存在すると判断するとき、すなわち、少なくとも一つの構成された下りリンク割り当て（downlink  assignment）が存在するとき、端末装置はタイマーを始動または再始動する。ここで、タイマーは、アクティブ下りリンクBWPからデフォルト下りリンクBWPに切り換えるために端末装置によって使用されるタイマーである、または、タイマーは、デフォルト下りリンクBWPをアクティブ化し、アクティブ下りリンクBWPを非アクティブ化するために端末装置によって使用されるタイマーである。これは、PDCCHが受信されるときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。前記少なくとも一つの構成された資源は、端末装置のアクティブ下りリンクBWP上の少なくとも一つの構成された資源であることを注意しておくべきである。
【０１４６】
態様１は、少なくとも一つの構成された資源が存在するときに実行される直接タイマー始動または再始動を記述している。むろん、タイマーを始動または再始動するかどうかを決定するために、構成された資源上でデータが伝送されるかどうかがさらに判定されてもよい。これについては下記の態様２で述べる。
【０１４７】
態様２：構成された資源上で伝送されるデータがあると判断するとき、端末装置はタイマーを始動または再始動する。
【０１４８】
態様２では、端末装置は、少なくとも一つの構成された資源が存在すると判定した後、タイマーを始動または再始動しない。その代わりに、端末装置は、構成された資源上でデータが伝送されるかどうかをさらに判定する。たとえば、非動的スケジューリング、たとえば下りリンク半永続的スケジューリング（Semi-Persistent  Scheduling、SPS）では、端末装置が、下りリンク・データが少なくとも一つの構成された下りリンク資源上で伝送される、すなわち、少なくとも一つの構成された下りリンク割り当て（downlink  assignment）上で下りリンク・データが伝送されると判断するとき、端末装置は、タイマーを始動または再始動する。タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。これは、PDCCHが受信されるときにのみタイマーが始動または再始動されるため、非動的スケジューリング・プロセスにおいて端末装置がデフォルトBWPに戻る可能性があるという従来技術の問題を回避し、それにより、端末装置の現在のデータ伝送への影響を回避する。データ伝送は、端末装置のアクティブ下りリンクBWP上でのデータ伝送であることも注意しておくべきである。
【０１４９】
S403：端末装置のアクティブBWP対がデフォルトBWP対でない場合、端末装置は、存在する前記少なくとも一つの構成された資源に基づいてタイマーを始動または再始動する。
【０１５０】
タイマーは、アクティブBWP対からデフォルトBWP対に切り換えるために端末装置によって使用されるタイマー、またはデフォルトBWP対をアクティブにし、アクティブBWP対を非アクティブにするために端末装置によって使用されるタイマーである。
【０１５１】
S403に示される解決策では、非対スペクトル・シナリオにおいて、端末装置のアクティブBWP対がデフォルトBWP対ではなく、構成された資源が下りリンク資源または上りリンク資源である場合、端末装置は、存在する前記少なくとも一つの構成された資源に基づいてタイマーを始動または再始動してもよい。
【０１５２】
任意的に、S403において端末装置が、存在する前記少なくとも一つの構成された資源に基づいてタイマーを始動または再始動することは、以下の可能な態様を含みうる。
【０１５３】
態様１：端末装置が、前記少なくとも一つの構成された資源が存在すると判断するとき、端末装置はタイマーを始動または再始動する。
【０１５４】
態様１では、たとえば、非動的スケジューリング、たとえば下りリンク半永続的スケジューリング（Semi-Persistent  Scheduling、SPS）、承認不要（Grant  Free、GF）スケジューリング、または上りリンク半永続的スケジューリングでは、承認不要（Grant  Free、GF）スケジューリングは、構成承認されたタイプ1（configured  grant  Type  1）とも呼ばれ、上りリンク半永続的スケジューリングは、構成された承認タイプ2（configured  grant  Type  2）とも呼ばれ、端末装置が、少なくとも一つの構成された下りリンク資源または構成された上りリンク資源が存在すると判断するとき、すなわち、少なくとも一つの構成された下りリンク割り当て（downlink  assignment）が存在する、または少なくとも一つの構成された上りリンク承認（uplink  grant）が存在すると判断するとき、端末装置は、タイマーを始動または再始動する。タイマーは、アクティブ下りリンクBWP対からデフォルト下りリンクBWP対に切り換えるために端末装置によって使用されるタイマーである、または、タイマーは、デフォルトのBWP対をアクティブにし、アクティブBWP対を非アクティブにするために端末装置によって使用されるタイマーである。これは、PDCCHが受信されるときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。前記少なくとも一つの構成された資源は、端末装置のアクティブBWP対上の少なくとも一つの構成された資源であることに注意しておくべきである。
【０１５５】
態様１は、少なくとも一つの構成された資源が存在するときに実行される直接的なタイマー始動または再始動を記述している。むろん、タイマーを始動または再始動するかどうかを決定するために、構成された資源上でデータが伝送されるかどうかがさらに判定されてもよい。これについては下記の態様２において述べる。
【０１５６】
態様２：端末装置が、判定された構成された資源上でデータを送信するとき、端末装置はタイマーを始動または再始動する。
【０１５７】
態様２では、端末装置は、少なくとも一つの構成された資源が存在することを判別した後、タイマーを始動または再始動しない。その代わりに、端末装置は、構成された資源上でデータが伝送されるかどうかをさらに判定する。たとえば、非動的スケジューリング、たとえば下りリンク半永続的スケジューリング（Semi-Persistent  Scheduling、SPS）、承認不要（Grant  Free、GF）スケジューリングまたは上りリンク半永続的スケジューリングでは、承認不要（Grant  Free、GF）スケジューリングは、構成された承認タイプ1（configured  grant  Type  1）とも呼ばれ、上りリンク半永続的スケジューリングは、構成された承認タイプ2（configured  grant  Type  2）とも呼ばれ、端末装置が、少なくとも一つの構成された下りリンク資源上で下りリンク・データが伝送されると判別するとき、すなわち、少なくとも一つの構成された下りリンク割り当て（downlink  assignment）上で下りリンク・データが伝送されると判別するとき、端末装置は、タイマーを始動または再始動する；または、端末装置が、上りリンク・データが少なくとも一つの構成された上りリンク資源上で伝送されること、すなわち、上りリンク・データが少なくとも一つの構成された上りリンク承認（uplink  grant）上で伝送されることを判別すると、端末装置は、タイマーを始動または再始動する。ここで、タイマーは、アクティブBWP対からデフォルトBWP対に切り換えるために端末装置によって使用されるタイマーである、または、タイマーは、デフォルト下りリンクBWP対をアクティブにし、アクティブ下りリンクBWP対を非アクティブにするために端末装置によって使用するタイマーである。これは、PDCCHが受信されるときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。データ伝送は、端末装置のアクティブBWP対上でのデータ伝送であることを注意しておくべきである。
【０１５８】
一つのスケジューリング・プロセスにおいては、S401が実行された後にS402またはS403のいずれかのみが実行される、すなわち、S402とS403は同期的に実行されないことを注意しておくべきである。
【０１５９】
本発明のこの実施形態において提供されるタイマー処理方法によれば、タイマーを始動または再始動するかどうかの判断中に、端末装置は、少なくとも一つの構成された資源が存在することを判別する、または前記少なくとも一つの構成された資源上でデータが伝送されることを判別する。端末装置のアクティブ下りリンクBWPがデフォルト下りリンクBWPでない場合、端末装置は、存在する前記少なくとも一つの構成された資源に基づいてタイマーを始動または再始動する、または、端末装置は、前記少なくとも一つの構成された資源上でデータが伝送されるという事実に基づいてタイマーを始動または再始動する。ここで、タイマーは、アクティブ下りリンクBWPからデフォルト下りリンクBWPに切り換えるために端末装置によって使用されるタイマーである、または、タイマーは、デフォルト下りリンクBWPをアクティブ化し、アクティブ下りリンクBWPを非アクティブ化するために端末装置によって使用されるタイマーである。端末装置のアクティブBWP対がデフォルトBWP対でない場合、端末装置は、存在する前記少なくとも一つの構成された資源に基づいてタイマーを始動または再始動する、または、端末装置は、前記少なくとも一つの構成された資源上でデータが伝送されるという事実に基づいてタイマーを始動または再始動する。ここで、タイマーは、アクティブBWP対からデフォルトBWP対に切り換えるために端末装置によって使用されるタイマーである、または、タイマーは、デフォルトのBWP対をアクティブにし、アクティブなBWP対を非アクティブにするために端末装置によって使用されるタイマーである。これは、端末装置が、非動的スケジューリング・プロセスにおいてデフォルトBWPに戻るという問題を解決し、それにより、端末装置の現在のデータ伝送への影響を回避する。
【０１６０】
図2から図4に示される実施形態におけるタイマーは、さらに別のタイプのタイマーであってもよいことを注意しておくべきである。該別のタイプのタイマーは、アクティブ下りリンクBWPを非アクティブ化するために端末装置によって使用されるタイマーであってもよく、または該別のタイプのタイマーは、端末装置のアクティブBWP対を非アクティブ化するために端末装置によって使用されてもよい。加えて、対スペクトル・シナリオにおける下りリンクBWPは、BWP対の下りリンクBWPを表わしてもよく、下りリンクBWPと対にされる上りリンクBWPをも表わしてもよい、換言すれば、下りリンクBWPは、下りリンクBWPに対応するBWP対として理解されうることを注意しておくべきである。
【０１６１】
図2ないし図4に示される実施形態は、タイマーがサービス・セルに関連付けられているときに、タイマーをどのように始動または再始動するかについての技術的解決策を詳細に記載している。下記では、第2の関連付けシナリオにおいて、タイマーがBWPに関連付けられるときに、端末装置がタイマーをどのように始動または再始動するかを詳細に記述する。
【０１６２】
ある可能な実装では、端末装置は、第1のメッセージのスクランブル識別子に基づいて、タイマーを始動または再始動するかどうかを決定してもよい。図5は、本願のある実施形態によるタイマー処理方法の概略図である。このタイマー処理方法は、以下の段階を含んでいてもよい。
【０１６３】
S501：端末装置が、ネットワーク装置によって送信された第1のメッセージを受信する。
【０１６４】
第1のメッセージは、下りリンク割り当てまたは上りリンク承認を示し、または第1のメッセージは、帯域幅部分BWP切り換えを示す。
【０１６５】
第1のメッセージは、PDCCH上で搬送される下りリンク制御情報のようなメッセージであってもよいことを注意しておくべきである。たとえば、第1のメッセージを受信することは、PDCCHを受信すること、または下りリンク制御情報を受信すること、またはPDCCH上で搬送される下りリンク制御情報を受信すること、またはPDCCHを使用して送信される下りリンク制御情報を受信することと理解されうる。対スペクトル・シナリオでは、第1のメッセージは下りリンク割り当てを示してもよい。第1のメッセージが下りリンク割り当てを示すとき、タイマーを始動または再始動するどうかがさらに決定される必要がある。あるいはまた、第1のメッセージが上りリンクのグラントを示してもよい。第1のメッセージが上りリンク承認を示すときは、タイマーは始動または再始動されない。むろん、第1のメッセージはBWP切り換えと、切り換え先の下りリンクBWPがデフォルトの下りリンクBWPではないこととをも示してもよい。非対スペクトル・シナリオでは、上りリンクBWPと下りリンクBWPがペアで現われるので、すなわち、BWP切り換え中に上りリンクBWPと下りリンクBWPのペアが両方とも切り換えられるので、デフォルトBWPは上りリンクBWPと下りリンクBWPのペアを含むと考えられてもよい。この場合、第1のメッセージは下りリンク割り当てまたは上りリンク承認（uplink  grant）を示す、または第1のメッセージは、BWP切り換えと、切り換え先のBWP対はデフォルトのBWP対ではないこととを示す。
【０１６６】
対スペクトル・シナリオと非対スペクトル・シナリオとは異なり、よって、第1のメッセージのスクランブル識別子に基づいてタイマーを始動または再始動する方法も異なり、それぞれS202およびS203に対応する。
【０１６７】
S502：端末装置のアクティブ下りリンクBWPがデフォルト下りリンクBWPでない場合、端末装置は、第1のメッセージのスクランブル識別子に基づいて、アクティブ下りリンクBWPに関連付けられたタイマーを始動または再始動する。
【０１６８】
タイマーは、アクティブ下りリンクBWPからデフォルト下りリンクBWPに切り換えるために端末装置によって使用されるタイマーであり、あるいは、タイマーは、デフォルト下りリンクBWPをアクティブ化し、アクティブ下りリンクBWPを非アクティブ化するために端末装置によって使用されるタイマーである。
【０１６９】
対スペクトル・シナリオでは、第1のメッセージが下りリンク割り当てを示し、BWP切り換えを示さない場合、端末装置のアクティブ下りリンクBWPは、第1のメッセージを受信するために使用される下りリンクBWPであると考えられてもよい；または、第1のメッセージが帯域幅部分BWP切り換えを示す場合、端末装置のアクティブ下りリンクBWPは、切り換え先の下りリンクBWPであると考えられてもよい。あるいはまた、端末装置のアクティブ下りリンクBWPは、第1のメッセージによって示されたBWP、たとえば、下りリンク制御情報において示されるアクティブ下りリンクBWPであると考えられてもよい。
【０１７０】
本明細書における第1のメッセージのスクランブル識別子とは、第1のメッセージの巡回冗長検査（Cyclic  Redundancy  Check、CRC）コードをスクランブルするために使用される無線ネットワーク一時識別子であることを注意しておくべきである。たとえば、第1のメッセージが下りリンク制御情報である場合、スクランブル識別子は、下りリンク制御情報の巡回冗長検査コードをスクランブルするために使用される無線ネットワーク一時識別子である。第1のメッセージをスクランブルすることは、第1のメッセージの巡回冗長検査コードをスクランブルすることと理解されてもよい。
【０１７１】
タイマーがBWPに関連付けられている対スペクトル・シナリオでは、端末装置のアクティブ下りリンクBWPがデフォルト下りリンクBWPでない場合、端末装置が第1のメッセージのスクランブル識別子に基づいてタイマーを始動または再始動するとき、タイマーは端末装置のアクティブ下りリンクBWPに関連付けられたタイマーであることを注意しておくべきである。次の2つの可能性が含まれうる。
【０１７２】
可能性１：第1のメッセージが下りリンク割り当てを示し、BWP切り換えを示さない場合、端末装置のアクティブ下りリンクBWPは第1のメッセージを受信するために使用される下りリンクBWPであると考えられてもよく、タイマーは、第1のメッセージを受信するために端末装置によって使用される下りリンクBWPに関連付けられたタイマーであると考えられてもよい。
【０１７３】
可能性２：第1のメッセージがBWP切り換えと、切り換え先の下りリンクBWPがデフォルトの下りリンクBWPではないこととを示す場合、端末装置のアクティブ下りリンクBWPは切り換え先の下りリンクBWPであり、タイマーは、端末装置が切り換えられる先の下りリンクBWPに関連付けられたタイマーであると考えられてもよい。たとえば、端末装置は、タイマー1とタイマー2である2つのタイマーを有し、タイマー1は下りリンクBWP1と関連付けられ、タイマー2は下りリンクBWP2と関連付けられる。端末装置が、現在のアクティブ下りリンクBWP1から、デフォルトの下りリンクBWPではない下りリンクBWP2への切り換えを示すために使用される第1のメッセージを受信した後、端末装置は、現在の下りリンクBWP1から下りリンクBWP2へ切り換える必要がある。端末装置がアクティブ下りリンクBWP1を非アクティブ化することを決定するとき、端末装置は、非アクティブ化されるべき下りリンクBWP1に関連付けられたタイマーを停止する。具体的には、端末装置が下りリンクBWP2をアクティブ化し、下りリンクBWP1を非アクティブ化すると決定するとき、対応して、端末装置は、アクティブ化されるべき下りリンクBWP2に関連付けられたタイマー2を始動または再始動し、非アクティブ化されるべき下りリンクBWP1に関連付けられたタイマー1を停止する必要がある。本願のこの実施形態では、本方法は、さらに：端末装置が、アクティブ下りリンクBWPを非アクティブにすることを決定するとき、端末装置が、非アクティブ化されるべき下りリンクBWPに関連付けられたタイマーを停止する；または、端末装置が、アクティブなBWP対を非アクティブにすると決定するとき、非アクティブ化されるべきBWP対に関連付けられたタイマーを停止する、ことを含んでいてもよいことを注意しておくべきである。端末装置は、第1のメッセージに基づいて、アクティブ下りリンクBWPを非アクティブにすることを決定し、非アクティブ化されるべき下りリンクBWPに関連付けられたタイマーを停止する。加えて、タイマーが満了することを判別するとき、端末装置は、アクティブ下りリンクBWPを非アクティブにすることを決定し、非アクティブ化されるべき下りリンクBWPに関連付けられたタイマーを停止する。
【０１７４】
S502に示される解決策では、端末装置が下りリンク割り当てを示す第1のメッセージを受信した後、または端末装置がBWP切り換えと、切り換え先の下りリンクBWPがデフォルト下りリンクBWPでないこととを示す第1のメッセージを受信した後、この場合、端末装置のアクティブ下りリンクBWPがデフォルト下りリンクBWPでなければ、端末装置は、第1のメッセージのスクランブル識別子に基づいて、タイマーを始動または再始動してもよい。ここで、タイマーは、アクティブ下りリンクBWPからデフォルト下りリンクBWPに切り換えるために端末装置によって使用されるタイマーであるか、または、タイマーは、デフォルト下りリンクBWPをアクティブ化し、アクティブ下りリンクBWPを非アクティブ化するために端末装置によって使用されるタイマーである。これは、PDCCHが直接受信された後すぐにタイマーが始動または再始動される従来技術の慣行を回避し、端末装置がデフォルト下りリンクBWPに正しく切り換えることができず、それにより端末装置の電力消費を低減できないという問題を解決し、端末装置の電力消費を低減する。
【０１７５】
S503：端末装置のアクティブBWP対がデフォルトBWP対でない場合、端末装置は、第1のメッセージのスクランブル識別子に基づいて、アクティブBWP対に関連付けられたタイマーを始動または再始動する。
【０１７６】
タイマーは、アクティブBWP対からデフォルトBWP対に切り換えるために端末装置によって使用されるタイマー、またはデフォルトBWP対をアクティブにし、アクティブBWP対を非アクティブにするために端末装置によって使用されるタイマーである。
【０１７７】
非対スペクトル・シナリオでは、第1のメッセージが下りリンク割り当てまたは上りリンク承認を示し、かつ、BWP切り換えを示さない場合、端末装置のアクティブBWP対は、第1のメッセージを受信するために使用される下りリンクBWPに対応するBWP対または第1のメッセージを受信するために使用される下りリンクBWPが属するBWP対であると考えられてもよい；または、第1のメッセージが帯域幅部分BWP切り換えを示す場合、端末装置のアクティブBWP対は、切り換え先のBWP対であると考えられてもよい。あるいはまた、端末装置のアクティブBWP対は、第1のメッセージによって示されるBWP対、たとえば、下りリンク制御情報において示されるアクティブBWP対であると考えられてもよい。あるいはまた、端末装置のアクティブBWP対は、第1のメッセージによって示される下りリンクBWPに対応するBWP対、または第1のメッセージによって示される下りリンクBWPが属するBWP対、たとえば、下りリンク制御情報において示される下りリンクBWPに対応するアクティブBWP対、または下りリンク制御情報において示される下りリンクBWPが属するアクティブBWP対であると考えられてもよい。
【０１７８】
タイマーがBWPに関連付けられている非対スペクトル・シナリオでは、端末装置のアクティブBWP対がデフォルトBWP対でない場合、端末装置が第1のメッセージのスクランブル識別子に基づいてタイマーを始動または再始動するとき、タイマーは端末装置のアクティブBWP対に関連付けられたタイマーであることを注意しておくべきである。次の2つの可能性が含まれうる。
【０１７９】
可能性１：第1のメッセージが下りリンク割り当てまたは上りリンク承認を示し、BWP切り換えを示さないときは、端末装置のアクティブ下りリンクBWPは第1のメッセージを受信するために使用される下りリンクBWPであると考えられてもよく、タイマーは、第1のメッセージを受信するために端末装置によって使用されるBWP対に関連付けられたタイマーである、または、タイマーは、第1のメッセージを受信するために端末装置によって使用される下りリンクBWPに対応するBWP対に関連付けられたタイマーである。
【０１８０】
可能性２：第1のメッセージがBWP切り換えを示し、切り換え先のBWP対がデフォルトBWP対でないときは、端末装置のアクティブBWP対は切り換え先のBWP対であると考えられてもよく、タイマーは端末装置が切り換えられる先のBWP対に関連付けられたタイマーである。たとえば、端末装置は、タイマー3およびタイマー4である2つのタイマーを有し、タイマー3はBWP3対に関連付けられ、タイマー4はBWP4対に関連付けられる。端末装置が現在のアクティブBWP3対からデフォルトBWP対ではないBWP4対への切り換えを示すために使用される第1のメッセージを受信した後、端末装置は、現在のBWP3対からBWP4対へ切り換える必要がある。端末装置がアクティブBWP3対を非アクティブにすることを決定するとき、端末装置は、非アクティブ化されるべきBWP3対に関連付けられたタイマーを停止する、具体的には、端末装置がBWP4対をアクティブにし、BWP3対を非アクティブにすることを決定するとき、対応して、端末装置は、アクティブ化されるべきBWP4対に関連付けられたタイマー4を始動または再始動し、非アクティブ化されるべきBWP3対に関連付けられたタイマー3を停止する必要がある。本願のこの実施形態では、本方法は、さらに：端末装置が、アクティブ下りリンクBWPを非アクティブにすることを決定するとき、端末装置は、非アクティブ化されるべき下りリンクBWPに関連付けられたタイマーを停止する；または、端末装置は、アクティブなBWP対を非アクティブにすることを決定するとき、端末装置は、非アクティブ化されるべきBWP対に関連付けられたタイマーを停止することを含んでいてもよいことを注意しておくべきである。端末装置は、第1のメッセージに基づいて、アクティブなBWP対を非アクティブにすることを決定し、非アクティブ化されるべきBWP対に関連付けられたタイマーを停止する。さらに、タイマーが満了することを判別するとき、端末装置は、アクティブなBWP対を非アクティブにし、非アクティブ化されるべきBWP対に関連付けられたタイマーを停止する。
【０１８１】
S503に示される解決策では、端末装置が上りリンク承認もしくは下りリンク割り当てを示す第1のメッセージを受信した後、または端末装置がBWP切り換えと、切り換え先のBWP対がデフォルトBWP対ではないこととを示す第1のメッセージを受信した後、この場合、端末装置のアクティブBWP対がデフォルトBWP対ではなければ、端末装置は、第1のメッセージのスクランブル識別子に基づいてタイマーを始動または再始動してもよい。ここで、タイマーは、アクティブBWP対からデフォルトBWP対に切り換えるために端末装置によって使用されるタイマーである、または、タイマーは、デフォルトBWP対をアクティブ化し、アクティブBWP対を非アクティブ化するために端末装置によって使用されるタイマーである。これは、PDCCHが直接受信された後すぐにタイマーが始動または再始動される従来技術の慣行を回避し、端末装置がデフォルトBWP対に正しく切り換えることができず、端末装置の電力消費を低減できないという問題を解決し、それにより端末装置の電力消費を低減する。
【０１８２】
一つのスケジューリング・プロセスにおいては、S501が実行された後にS502またはS503のいずれかのみが実行される、すなわち、S502とS503は同期的に実行されないことを注意しておくべきである。
【０１８３】
上記S502またはS503では、端末装置の異なるアクティブBWPは、第1のメッセージのスクランブル識別子に基づいて、タイマーを始動または再始動する異なる態様につながる。しかしながら、これら2つの態様でタイマーを始動または再始動するための制御条件は同じであり、具体的には、S502およびS503における第1のメッセージのスクランブル識別子に基づいて、端末装置がタイマーを始動または再始動するための制御条件は同じである。端末装置は、下記の可能な態様で、第1のメッセージのスクランブル識別子に基づいてタイマーを始動または再始動しうる。
【０１８４】
態様１：端末装置は、スクランブル識別子がランダムアクセス無線ネットワーク一時識別子RA-RNTIまたは一時セル無線ネットワーク一時識別子TC-RNTIでないとき、タイマーを始動または再始動する。
【０１８５】
RA-RNTIについては、ランダムアクセス・トリガー・プロセスにおいてタイマーが停止される必要があることを注意しておくべきである。換言すれば、タイマーが稼働状態にあることは、ランダムアクセス・プロセスにおいては期待されない。ランダムアクセス・プロセスにおいてタイマーが満了するケースを避けるためである。RA-RNTIを使用してスクランブルされた第1のメッセージは、ランダムアクセス応答（Random  Access  Response、RAR）、すなわち、ランダムアクセス・プロセスにおけるメッセージ2をスケジュールする。競合ベースのランダムアクセス・プロセスにおいて、RARを受信することは、競合が成功裏に対処されることを意味しない。すなわち、ランダムアクセス・プロセスが失敗する可能性がある。RA-RNTIを使用することによってスクランブルされた第1のメッセージが受信された直後にタイマーが開始された場合、タイマーは、ランダムアクセス・プロセスにおいて満了することがあり、あるいはタイマーは、ランダムアクセスが失敗するとき、誤って稼働状態にあることがありうる。
【０１８６】
TC-RNTIについては、端末装置がアイドル（idle）状態にある競合ベースのランダムアクセス・プロセスのみが生起することを注意しておくべきである。この場合、アイドル状態の端末装置は、初期BWP上で稼働する。TC-RNTIを使用することによってスクランブルされたPDCCHは、ランダムアクセス・プロセスにおいてメッセージをスケジュールする。この場合、アイドル状態のユーザー装置は、基地局の構成メッセージを受信していない、すなわち、デフォルトBWPの概念がない。したがって、TC-RNTIはタイマーの始動または再始動とは無関係である。
【０１８７】
態様１では、第1のメッセージを受信した後、端末装置は、第1のメッセージをスクランブルするために使用されるスクランブル識別子がRA-RNTIまたはTC-RNTIであるかを判定する。スクランブル識別子がRA-RNTIまたはTC-RNTIでない場合、そのことは、端末装置がタイマーを始動または再始動してもよいことを示す。この場合、端末装置は、スクランブル識別子に基づいてタイマーを始動または再始動する。これは、ランダムアクセス・プロセスにおいてタイマーが切れる場合や、ランダムアクセスが失敗するときにタイマーが誤って稼働状態にある場合を回避し、端末装置がデフォルト下りリンクBWPに正しく切り換えることができず、端末装置の電力消費を低減できないという問題を解決し、それにより端末装置の電力消費を低減する。
【０１８８】
態様１は、第1のメッセージのスクランブル識別子がRA-RNTIでないときは、タイマーが直接始動または再始動される場合を記述する。逆に、第1のメッセージのスクランブル識別子がRA-RNTIであるときは、タイマーを始動または再始動するかどうかを決定するために、端末装置によってランダムアクセスを実行する態様がさらに決定される必要がある。そのことは、以下の態様２で記述される。
【０１８９】
態様２：スクランブル識別子がランダムアクセス無線ネットワーク一時識別子RA-RNTIであり、端末装置が非競合ベースのランダムアクセスを実行するときは、端末装置はタイマーを始動または再始動する。スクランブル識別子がRA-RNTIであり、端末装置が競合ベースのランダムアクセスを実行するときは、端末装置はタイマーを制御し、もとの状態を維持する。
【０１９０】
態様２では、競合ベースのランダムアクセス・プロセスにおいて端末装置によってランダムアクセス応答を受信することは、競合が成功裏に対処されたことを意味せず、具体的には、ランダムアクセス・プロセスが失敗する可能性がある。RA-RNTIを使用してスクランブルされた第1のメッセージを受信した直後にタイマーが開始される場合、タイマーはランダムアクセス・プロセスにおいて満了する可能性があり、あるいはランダムアクセスが失敗するときにタイマーが誤って稼働状態にある可能性がある。よって、第1のメッセージのスクランブル識別子がRA-RNTIであり、端末装置が競合ベースのランダムアクセスを実行するときは、端末装置はタイマーを始動または再始動しない。すなわち、タイマーはもとの状態を維持する。対照的に、非競合ベースのランダムアクセス・プロセスにおいて、端末装置によってランダムアクセス応答を受信することは、競合が成功裏に対処されたことを意味する。したがって、第1のメッセージのスクランブル識別子がRA-RNTIであり、端末装置が非競合ベースのランダムアクセスを実行することを判別するときは、端末装置は、始動または再始動するようタイマーを直接制御するか、またはC-RNTIを使用してスクランブルされた第1のメッセージが初めて動的に受信された後にタイマーを始動または再始動する。これは、ランダムアクセス・プロセスにおいてタイマーが切れる場合や、ランダムアクセスが失敗するときにタイマーが誤って稼働状態にある場合を回避し、端末装置がデフォルト下りリンクBWPに正しく切り換えることができず、端末装置の電力消費を低減できないという問題を解決し、それにより端末装置の電力消費を低減する。
【０１９１】
態様３：スクランブル識別子が第1のスクランブル識別子であるとき、端末装置はタイマーを始動または再始動する。
【０１９２】
第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【０１９３】
第1のスクランブル識別子は、前述の4つの無線ネットワーク一時識別子のいずれか一つまたは組み合わせであってもよいことを注意しておくべきである。具体的には、前述の4つの無線ネットワーク一時識別子のいずれか一つが、第1のメッセージをスクランブルするために選択されてもよく、前述の4つの無線ネットワーク一時識別子のいずれか2つまたは3つが、第1のメッセージをスクランブルするために選択されてもよい。むろん、代替的に、前述の4つの無線ネットワーク一時識別子がすべて、第1のメッセージをスクランブルするために選択されてもよい。
【０１９４】
同様に、態様３において、第1のメッセージを受信した後、端末装置は、第1のメッセージをスクランブルするために使用されるスクランブル識別子を決定する。もしスクランブル識別子が第1のスクランブル識別子であるなら、そのことは、端末装置がタイマーを始動または再始動してもよいことを示す。この場合、端末装置は、スクランブル識別子に基づいてタイマーを始動または再始動する。これは、端末装置がデフォルトの下りリンクBWPに正しく切り換えることができず、端末装置の電力消費を削減できないという問題を解決し、それにより、端末装置の電力消費を削減する。
【０１９５】
本発明のこの実施形態で提供されるタイマー処理方法によれば、タイマーを始動するか再始動するかどうかを決定する間、端末装置は、ネットワーク装置によって送信された第1のメッセージを受信する。端末装置のアクティブ下りリンク帯域幅部分BWPがデフォルト下りリンクBWPでない場合、端末装置は、第1のメッセージのスクランブル識別子に基づいてタイマーを始動または再始動する。ここで、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。端末装置のアクティブBWP対がデフォルトBWP対でない場合、端末装置は、第1のメッセージのスクランブル識別子に基づいてタイマーを始動または再始動する。ここで、タイマーは、アクティブBWP対からデフォルトBWP対に切り換えるために端末装置によって使用されるタイマーである、またはタイマーは、デフォルトBWP対をアクティブ化し、アクティブBWP対を非アクティブ化するために端末装置によって使用されるタイマーである。これは、端末装置がデフォルトの下りリンクBWPに正しく切り換えることができず、端末装置の電力消費を削減できないという問題を解決し、それにより端末装置の電力消費を削減する。
【０１９６】
図5に示される実施形態は、第1のメッセージのスクランブル識別子に基づいて、タイマーを始動または再始動するかどうかを端末装置がどのように決定するかについての解決策を詳細に記載している。下記は、端末装置が、第1のメッセージのキャリア・インデックスに基づいて、タイマーを始動または再始動するかどうかを決定しうる、別の可能な実装を詳細に説明する。たとえば、タイマー処理方法は、キャリア集約シナリオに適用可能である。図6は、本発明のある実施形態による別のタイマー処理方法の概略図である。このタイマー処理方法は、以下の段階を含んでいてもよい。
【０１９７】
S601：端末装置が、ネットワーク装置によって送信された第1のメッセージを受信する。
【０１９８】
第1のメッセージは、下りリンク割り当てまたは上りリンク承認を示す、または第1のメッセージは、帯域幅部分BWP切り換えを示すために使用される。
【０１９９】
第1のメッセージは、PDCCH上で搬送される下りリンク制御情報のようなメッセージであってもよいことも注意しておくべきである。第1のメッセージを受信することは、PDCCHを受信すること、または下りリンク制御情報を受信すること、またはPDCCH上で搬送される下りリンク制御情報を受信すること、またはPDCCHを使用して送信される下りリンク制御情報を受信することとして理解されてもよい。対スペクトル・シナリオでは、第1のメッセージは下りリンク割り当てを示す、または第1のメッセージはBWP切り換えと、切り換え先の下りリンクBWPがデフォルトの下りリンクBWPではないこととを示す。非対スペクトル・シナリオでは、上りリンクBWPおよび下りリンクBWPがペアで現われるので、すなわち、BWP切り換え中に上りリンクBWPと下りリンクBWPのペアが両方とも切り換えられるので、デフォルトBWPは上りリンクと下りリンクBWPのペアを含むと考えられてもよい。この場合、第1のメッセージは下りリンク割り当てまたは上りリンク承認（uplink  grant）を示す、または第1のメッセージはBWP切り換えと、切り換え先のBWP対がデフォルトのBWP対でないこととを示す。
【０２００】
S602：端末装置は、第1のメッセージのキャリア・インデックスに基づいてタイマーを始動または再始動する。
【０２０１】
タイマーは、アクティブ下りリンクBWPからデフォルト下りリンクBWPに切り換えるために端末装置によって使用されるタイマーであり、またはタイマーは、デフォルト下りリンクBWPをアクティブ化し、アクティブ下りリンクBWPを非アクティブ化するために端末装置によって使用されるタイマーである、またはタイマーは、アクティブBWP対からデフォルトBWP対に切り換えるために端末装置によって使用されるタイマーであり、またはタイマーは、端末装置によってデフォルトBWP対をアクティブ化し、アクティブBWP対を非アクティブ化するために使用されるタイマーである。
【０２０２】
本明細書における第1のメッセージのキャリア・インデックスは、第1のメッセージにおけるキャリア・インデックス、または第1のメッセージによって示されるキャリア・インデックス、または第1のメッセージに含まれるキャリア・インデックス、またはもちろん第1のメッセージによって搬送されるキャリア・インデックスとして理解されうることを注意しておくべきである。
【０２０３】
対スペクトル・シナリオと非対スペクトル・シナリオは異なり、よって、第1のメッセージのキャリア・インデックスに基づいて始動または再始動されるタイマーも異なる。詳細な記述は以下の通りである。
【０２０４】
あるシナリオ、すなわち、対スペクトル・シナリオでは、端末装置のアクティブ下りリンクBWPがデフォルトの下りリンクBWPではなく、端末装置のアクティブ・下りリンクBWPがキャリア・インデックスによって示されるキャリアまたはサービス・セルの下りリンクBWPである場合、タイマーは該キャリアまたは該サービス・セルのタイマーである。
【０２０５】
タイマーは、アクティブ下りリンクBWPからデフォルト下りリンクBWPに切り換えるために端末装置によって使用されるタイマーである、あるいは、タイマーは、デフォルト下りリンクBWPをアクティブ化し、アクティブ下りリンクBWPを非アクティブ化するために端末装置によって使用されるタイマーである。次の2つの可能性が含まれうる。
【０２０６】
可能性１：第1のメッセージが下りリンク割り当てを示し、BWP切り換えを示さないときは、端末装置のアクティブ下りリンクBWPは第1のメッセージを受信するために使用される下りリンクBWPであると考えられてもよく、タイマーは第1のメッセージを受信するために端末装置によって使用される下りリンクBWPに関連付けられたタイマーである。
【０２０７】
可能性２：第1のメッセージがBWP切り換えと、切り換え先の下りリンクBWPがデフォルトの下りリンクBWPではないこととを示すときは、端末装置のアクティブ下りリンクBWPは切り換え先の下りリンクBWPであると考えられてもよく、タイマーは端末装置が切り換えられる切り換え先の下りリンクBWPに関連付けられたタイマーである。たとえば、端末装置は、タイマー1およびタイマー2である2つのタイマーを有し、タイマー1は下りリンクBWP1と関連付けられ、タイマー2は下りリンクBWP2と関連付けられる。端末装置が、現在のアクティブな下りリンクBWP1からデフォルトの下りリンクBWPではない下りリンクBWP2への切り換えを示すために使用される第1のメッセージを受信した後、端末装置は、現在の下りリンクBWP1から下りリンクBWP2へ切り換える必要がある。端末装置がアクティブ下りリンクBWP1を非アクティブ化することを決定するとき、端末装置は、非アクティブ化されるべき下りリンクBWP1に関連付けられたタイマーを停止する。具体的には、端末装置が下りリンクBWP2をアクティブ化し、下りリンクBWP1を非アクティブ化することを決定するときに、対応して、端末装置は、アクティブ化されるべき下りリンクBWP2に関連付けられたタイマー2を始動または再始動する必要があり、非アクティブ化されるべき下りリンクBWP1に関連するタイマー1を停止する。本願のこの実施形態では、本方法は、さらに：端末装置が、アクティブ下りリンクBWPを非アクティブにすることを決定するとき、端末装置が、非アクティブ化されるべき下りリンクBWPに関連付けられたタイマーを停止する；または、端末装置が、アクティブなBWP対を非アクティブにすることを決定するとき、端末装置は、非アクティブ化されるべきBWP対に関連付けられたタイマーを停止する、ことを含んでいてもよいことを注意しておくべきである。端末装置は、第1のメッセージに基づいて、アクティブ下りリンクBWPを非アクティブにすることを決定し、非アクティブ化されるべき下りリンクBWPに関連付けられたタイマーを停止する。加えて、タイマーが満了することを判別するとき、端末装置は、アクティブ下りリンクBWPを非アクティブ化することを決定し、非アクティブ化されるべき下りリンクBWPに関連付けられたタイマーを停止する。
【０２０８】
対スペクトル・シナリオでは、第1のメッセージが下りリンク割り当てを示し、BWP切り換えを示さない場合、端末装置のアクティブ下りリンクBWPは、第1のメッセージを受信するために使用される下りリンクBWPであると考えられてもよい；または、第1のメッセージが帯域幅部分BWP切り換えを示す場合、端末装置のアクティブ下りリンクBWPは、切り換え先のBWPであると考えられてもよい。あるいはまた、端末装置のアクティブ下りリンクBWPが、第1のメッセージによって示されるBWP、たとえば、下りリンク制御情報において示されるアクティブ下りリンクBWPであると考えられてもよい。
【０２０９】
対スペクトル・シナリオでは、端末装置のアクティブ下りリンク帯域幅部分BWPがデフォルト下りリンクBWPではなく、端末装置のアクティブ下りリンクBWPがキャリア・インデックスによって示されるキャリアまたはサービス・セルの下りリンクBWPである場合、または端末装置のアクティブ下りリンクBWPが、送信されるデータをもつキャリアまたはサービス・セルの下りリンクBWPである場合、タイマーはキャリア・インデックスによって示されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルの下りリンクBWPがデフォルトの下りリンクBWPでない場合、タイマーはキャリア・インデックスによって示されるキャリアまたはサービス・セルのタイマー、すなわちキャリア2またはサービス・セル2のタイマーである。
【０２１０】
任意的に、さらに、端末装置のアクティブ下りリンクBWPがデフォルト下りリンクBWPではなく、端末装置のアクティブ下りリンクBWPが第1のメッセージを受信するために使用されるキャリアまたはサービス・セルの下りリンクBWPである場合、タイマーは、第1のメッセージを受信するために使用されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために使用されるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルの下りリンクBWPがデフォルトの下りリンクBWPでない場合、タイマーはキャリア・インデックスによって示されるキャイラまたはサービス・セル、すなわちキャリア2またはサービス・セル2のタイマーである。第1のメッセージを受信するために使用されるキャリアまたはサービス・セルの下りリンクBWPがデフォルト下りリンクBWPでない場合、タイマーは、第1のメッセージを受信するために使用されるキャリアまたはサービス・セルのタイマー、すなわち、キャリア1またはサービス・セル1のタイマーである。換言すれば、前述の条件が満たされるとき、始動または再始動されるタイマーは、キャリア・インデックスによって示されるキャリアまたはサービス・セルのタイマー、および第1のメッセージを受信するために使用されるキャリアまたはサービス・セルのタイマーを含む。これは、端末装置がデフォルトの下りリンクBWPに正しく切り換えることができず、端末装置の電力消費を削減できないという問題を解決し、それにより端末装置の電力消費を削減する。
【０２１１】
別のシナリオ、すなわち、非対スペクトル・シナリオでは、端末装置のアクティブBWP対がデフォルトBWP対ではなく、端末装置のアクティブBWP対がキャリア・インデックスによって示されるキャリアまたはサービス・セルのBWP対である場合、タイマーは該キャリアまたは該サービス・セルのタイマーである。
【０２１２】
タイマーは、アクティブBWP対からデフォルトBWP対に切り換えるために端末装置によって使用されるタイマー、またはデフォルトBWP対をアクティブにし、アクティブBWP対を非アクティブにするために端末装置によって使用されるタイマーである。次の2つの可能性が含まれうる。
【０２１３】
可能性１：第1のメッセージが下りリンク割り当てまたは上りリンク承認を示し、BWP切り換えを示さないとき、端末装置のアクティブ下りリンクBWPは第1のメッセージを受信するために使用される下りリンクBWPであると考えられてもよく、タイマーは第1のメッセージを受信するために端末装置によって使用されるBWP対に関連付けられたタイマーである、または、タイマーは、第1のメッセージを受信するために端末装置によって使用される下りリンクBWPに対応するBWP対に関連付けられたタイマーである。
【０２１４】
可能性２：第1のメッセージがBWP切り換えと、切り換え先のBWP対がデフォルトBWP対でないこととを示すとき、端末装置のアクティブBWP対は切り換え先のBWP対であると考えられてもよく、タイマーは端末装置が切り換えられる切り換え先のBWP対に関連付けられたタイマーである。たとえば、端末装置は、タイマー3およびタイマー4である2つのタイマーを有し、タイマー3はBWP3対に関連付けられ、タイマー4はBWP4対に関連付けられる。端末装置が、現在のアクティブBWP3対からデフォルトBWP対ではないBWP4対への切り換えを示すために使用される第1のメッセージを受信した後、端末装置は、現在のBWP3対からBWP4対へ切り換える必要がある。端末装置が、アクティブなBWP3対を非アクティブにすることを決定するとき、端末装置は、非アクティブにされるべきBWP3対に関連付けられたタイマーを停止する。具体的には、端末装置が、BWP4対をアクティブ化し、BWP3対を非アクティブ化することを決定するとき、対応して、端末装置は、アクティブ化されるべきBWP4対に関連付けられたタイマー4を始動または再始動する必要があり、非アクティブ化されるべきBWP3対に関連付けられたタイマー3を停止する。本願のこの実施形態では、本方法は、さらに：端末装置が、アクティブ下りリンクBWPを非アクティブにすることを決定するとき、端末装置は、非アクティブ化されるべき下りリンクBWPに関連付けられたタイマーを停止する；または、端末装置が、アクティブなBWP対を非アクティブにすることを決定するとき、端末装置は、非アクティブ化されるべきBWP対に関連付けられたタイマーを停止する、ことを含んでいてもよいことを注意しておくべきである。端末装置は、第1のメッセージに基づいて、アクティブなBWP対を非アクティブにすることを決定し、非アクティブ化されるべきBWP対に関連付けられたタイマーを停止する。さらに、タイマーの期限が切れることを判別するとき、端末装置は、アクティブなBWP対を非アクティブにすることを決定し、非アクティブ化されるべきBWP対に関連付けられたタイマーを停止する。
【０２１５】
非対スペクトル・シナリオでは、第1のメッセージが下りリンク割り当てまたは上りリンク承認を示し、かつ、BWP切り換えを示さない場合、端末装置のアクティブBWP対は、第1のメッセージを受信するために使用される下りリンクBWPに対応するBWP対または第1のメッセージを受信するために使用される下りリンクBWPが属するBWP対であると考えられてもよく；または、第1のメッセージが帯域幅部分BWP切り換えを示す場合、端末装置のアクティブBWP対は、切り換え先のBWP対であると考えられてもよい。あるいはまた、端末装置のアクティブBWP対は、第1のメッセージによって示されるBWP対、たとえば、下りリンク制御情報において示されるアクティブBWP対であると考えられてもよい。あるいはまた、端末装置のアクティブBWP対は、第1のメッセージによって示される下りリンクBWPに対応するBWP対、または第1のメッセージによって示される下りリンクBWPが属するBWP対、たとえば、下りリンク制御情報において示される下りリンクBWPに対応するアクティブBWP対、または下りリンク制御情報において示される下りリンクBWPが属するアクティブBWP対であると考えられてもよい。
【０２１６】
非対スペクトル・シナリオでは、端末装置のアクティブ帯域幅部分BWP対がデフォルトのBWP対ではなく、端末装置のアクティブBWP対がキャリア・インデックスによって示されるキャリアまたはサービス・セルのBWP対である、または端末装置のアクティブBWP対が送信されるデータをもつキャリアまたはサービス・セルのBWP対である場合、タイマーはキャリア・インデックスによって示されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために使用されるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルのBWP対がデフォルトのBWP対でない場合、タイマーはキャリア・インデックスによって示されるキャリアまたはサービス・セルのタイマーである、すなわちキャリア2またはサービス・セル2のタイマーである。
【０２１７】
任意的に、さらに、端末装置のアクティブBWP対がデフォルトBWP対でなく、端末装置のアクティブBWP対が第1のメッセージを受信するために使用されるキャリアまたはサービス・セルのBWP対である場合、タイマーは、第1のメッセージを受信するために使用されるキャリアまたはサービス・セルのタイマーである。たとえば、キャリア集約シナリオにおけるキャリア横断スケジューリングでは、キャリア・インデックスによって示されるキャリアまたはサービス・セルは、第1のメッセージを受信するために用いられるキャリアまたはサービス・セルとは異なる。端末装置は、キャリア1上またはサービス・セル1内で第1のメッセージを受信し、第1のメッセージのキャリア・インデックスによって示されるキャリアまたはサービス・セルは、キャリア2またはサービス・セル2である。キャリア・インデックスによって示されるキャリアまたはサービス・セルのBWP対がデフォルトのBWP対でない場合、タイマーはキャリア・インデックスによって示されるキャリアまたはサービス・セルのタイマー、すなわちキャリア2またはサービス・セル2のタイマーである。第1のメッセージを受信するために使用されるキャリアまたはサービス・セルのBWP対がデフォルトのBWP対でない場合、タイマーは、第1のメッセージを受信するために使用されるキャリアまたはサービス・セルのタイマー、すなわち、キャリア1またはサービス・セル1のタイマーである。換言すれば、前述の条件が満たされるとき、始動または再始動されるタイマーは、キャリア・インデックスによって示されるキャリアまたはサービス・セルのタイマー、および第1のメッセージを受信するために使用されるキャリアまたはサービス・セルのタイマーを含む。これは、端末装置がデフォルトの下りリンクBWPに正しく切り換えることができず、端末装置の電力消費を削減できないという問題を解決し、それにより端末装置の電力消費を削減する。
【０２１８】
本発明のこの実施形態において提供されるタイマー処理方法によれば、タイマーを始動または再始動するかどうかを判断している間に、端末装置は、ネットワーク装置によって送信された第1のメッセージを受信する。端末装置は、第1のメッセージのキャリア・インデックスに基づいてタイマーを始動または再始動し、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである、またはタイマーは、アクティブBWP対からデフォルトBWP対に切り換えるために端末装置によって使用されるタイマーである、またはタイマーは、デフォルトBWP対をアクティブ化し、アクティブBWP対を非アクティブ化するために使用されるタイマーである。これは、端末装置がデフォルトの下りリンクBWPに正しく切り換えることができず、端末装置の電力消費を削減できないという問題を解決し、それにより、端末装置の電力消費を削減する。
【０２１９】
図6に示される実施形態は、第1のメッセージのキャリア・インデックスに基づいて、タイマーを始動または再始動するかどうかを端末装置がどのように決定するかについての解決策を詳細に記載している。さらに、従来技術においてPDCCHが受信されたときにのみ、タイマーが始動または再始動される。よって、非動的スケジューリング・プロセスにはタイマー再始動条件がなく、端末装置は、非動的スケジューリング・プロセスにおいてデフォルトBWPに戻る可能性がある。その結果、端末装置の現在のデータ伝送が影響を受ける。したがって、本発明のある実施形態では、非動的スケジューリング・プロセスにおいてどのようにタイマーを始動または再始動させるかに関する記述が追加される。図7は、本発明のある実施形態による別のタイマー処理方法の概略図である。タイマー処理方法は、以下の段階を含んでいてもよい。
【０２２０】
S701：端末装置が、少なくとも一つの構成された資源が存在することを判別する。
【０２２１】
対スペクトル・シナリオでは、端末装置のアクティブ下りリンクBWPはデフォルト下りリンクBWPではないことも注意しておくべきである。非対スペクトル・シナリオでは、上りリンクBWPと下りリンクBWPがペアで現われる、すなわち、BWP切り換えの間に上りリンクBWPと下りリンクBWPの対が両方とも切り換えられるので、デフォルトBWPは上りリンクBWPと下りリンクBWPの対を含むと考えられてもよい。この場合、端末装置のアクティブなBWP対はデフォルトのBWP対ではない。
【０２２２】
本明細書において、少なくとも一つの構成された資源が存在するとは：少なくとも一つの構成された資源がある、または少なくとも一つの構成された資源が現われる、またはもちろん少なくとも一つの構成された資源が生起する、などとして理解されうることを注意しておくべきである。
【０２２３】
異なるシナリオがあるので、端末装置によって、存在する前記少なくとも一つの構成された資源に基づくタイマーを始動または再始動する方法は異なり、それぞれS402およびS403に対応する。
【０２２４】
S702：端末装置のアクティブ下りリンクBWPがデフォルト下りリンクBWPでない場合、端末装置は、存在する前記少なくとも一つの構成された資源に基づいて、アクティブ下りリンクBWPに関連付けられたタイマーを始動または再始動する。
【０２２５】
タイマーは、アクティブ下りリンクBWPからデフォルト下りリンクBWPに切り換えるために端末装置によって使用されるタイマーであり、あるいは、タイマーは、デフォルト下りリンクBWPをアクティブ化し、アクティブ下りリンクBWPを非アクティブ化するために端末装置によって使用されるタイマーである。
【０２２６】
タイマーがBWPに関連付けられている対スペクトル・シナリオでは、端末装置のアクティブ下りリンクBWPがデフォルト下りリンクBWPでない場合、端末装置が第1のメッセージのスクランブル識別子に基づいてタイマーを始動または再始動するとき、タイマーは端末装置のアクティブ下りリンクBWPに関連付けられたタイマーである。次の2つの可能性が含まれうる。
【０２２７】
可能性１：第1のメッセージが下りリンク割り当てを示し、BWP切り換えを示さないとき、端末装置のアクティブ下りリンクBWPは第1のメッセージを受信するために使用される下りリンクBWPであると考えられてもよく、タイマーは第1のメッセージを受信するために端末装置によって使用される下りリンクBWPに関連付けられたタイマーである。
【０２２８】
可能性２：第1のメッセージがBWP切り換えと、切り換え先の下りリンクBWPがデフォルトの下りリンクBWPではないこととを示すとき、端末装置のアクティブ下りリンクBWPは切り換え先の下りリンクBWPであると考えられてもよく、タイマーは切り換え先の下りリンクBWPに関連付けられたタイマーである。たとえば、端末装置は、タイマー1およびタイマー2である2つのタイマーを有し、タイマー1は下りリンクBWP1と関連付けられ、タイマー2は下りリンクBWP2と関連付けられる。端末装置が、現在のアクティブ下りリンクBWP1からデフォルトの下りリンクBWPではない下りリンクBWP2への切り換えを示すために使用される第1のメッセージを受信した後、端末装置は、現在の下りリンクBWP1から下りリンクBWP2へ切り換える必要がある。端末装置がアクティブ下りリンクBWP1を非アクティブ化することを決定するとき、端末装置は、非アクティブ化されるべき下りリンクBWP1に関連付けられたタイマーを停止する。具体的には、端末装置が下りリンクBWP2をアクティブ化し、下りリンクBWP1を非アクティブ化することを決定するとき、対応して、端末装置は、非アクティブ化されるべき下りリンクBWP2に関連付けられたタイマー2を始動または再始動する必要があり、非アクティブ化されるべき下りリンクBWP1に関連付けられたタイマー1を停止する。本願のこの実施形態では、本方法は、さらに：端末装置が、アクティブ下りリンクBWPを非アクティブにすることを決定するとき、端末装置が、非アクティブにされるべき下りリンクBWPに関連付けられたタイマーを停止すること；または、端末装置が、アクティブなBWP対を非アクティブにすることを決定するとき、端末装置が、非アクティブにされるべきBWP対に関連付けられたタイマーを停止することを含んでいてもよいことを注意しておくべきである。端末装置は、第1のメッセージに基づいて、アクティブ下りリンクBWPを非アクティブにすることを決定し、非アクティブ化されるべき下りリンクBWPに関連付けられたタイマーを停止する。加えて、タイマーが満了することを判別するとき、端末装置は、アクティブ下りリンクBWPを非アクティブにすることを決定し、非アクティブ化されるべき下りリンクBWPに関連付けられたタイマーを停止する。
【０２２９】
S702に示される解決策では、対スペクトル・シナリオにおいて、端末装置のアクティブ下りリンクBWPがデフォルト下りリンクBWPではなく、構成された資源が下りリンク資源である場合、端末装置は、存在する前記少なくとも一つの構成された資源に基づいて、アクティブ下りリンクBWPに関連付けられたタイマーを始動または再始動してもよい。
【０２３０】
任意的に、端末装置が、S702において存在する前記少なくとも一つの構成された資源に基づいてタイマーを始動または再始動することは、以下の可能な態様を含んでいてもよい。
【０２３１】
態様１：端末装置が、前記少なくとも一つの構成された資源が存在することを判別するとき、端末装置は、アクティブ下りリンクBWPに関連付けられたタイマーを始動または再始動する。
【０２３２】
態様１では、たとえば、非動的スケジューリング、たとえば、下りリンク半永続的スケジューリング（Semi-Persistent  Scheduling、SPS）では、端末装置が少なくとも一つの構成された下りリンク資源が存在する、すなわち、少なくとも一つの構成された下りリンク割り当て（downlink  assignment）が存在することを判別するとき、端末装置はタイマーを始動または再始動する。ここで、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。これは、PDCCHが受信されたときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。前記少なくとも一つの構成された資源は、端末装置のアクティブ下りリンクBWP上の少なくとも一つの構成された資源であることを注意しておくべきである。
【０２３３】
態様１は、少なくとも一つの構成された資源が存在するときに実行される直接的なタイマー始動または再始動を記述している。もちろん、タイマーを始動または再始動するかどうかを決定するために、構成された資源上でデータが伝送されるかどうかがさらに判定されてもよい。そのことは、下記の態様２で記述される。
【０２３４】
態様２：構成された資源上で伝送されるデータがあることを判別するとき、端末装置は、アクティブ下りリンクBWPに関連付けられたタイマーを始動または再始動する。
【０２３５】
態様２では、端末装置は、少なくとも一つの構成された資源が存在することを判別した後、タイマーを始動または再始動しない。その代わりに、端末装置は、構成された資源上でデータが伝送されるかどうかをさらに判定する。たとえば、非動的スケジューリング、たとえば、下りリンク半永続的スケジューリング（Semi-Persistent  Scheduling、SPS）では、端末装置が、少なくとも一つの構成された下りリンク資源上で下りリンク・データが伝送される、すなわち、少なくとも一つの構成された下りリンク割り当て（downlink  assignment）上で下りリンク・データが伝送されることを判別するとき、端末装置は、タイマーを始動または再始動する。ここで、タイマーは、アクティブ下りリンクBWPからデフォルト下りリンクBWPに切り換えるために端末装置によって使用されるタイマーである、またはタイマーは、デフォルト下りリンクBWPをアクティブ化し、アクティブ下りリンクBWPを非アクティブにするために端末装置によって使用されるタイマーである。これは、PDCCHが受信されたときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。データ伝送は、端末装置のアクティブ下りリンクBWP上でのデータ伝送であることを注意しておくべきである。
【０２３６】
S703：端末装置のアクティブBWP対がデフォルトBWP対でない場合、端末装置は、存在する前記少なくとも一つの構成された資源に基づいてタイマーを始動または再始動する。
【０２３７】
タイマーは、アクティブBWP対からデフォルトBWP対に切り換えるために端末装置によって使用するタイマーである、またはタイマーは、デフォルトBWP対をアクティブにし、アクティブBWP対を非アクティブにするために端末装置によって使用されるタイマーである。
【０２３８】
タイマーがBWPに関連付けられている非対スペクトル・シナリオでは、端末装置のアクティブBWP対がデフォルトBWP対でない場合、端末装置が第1のメッセージのスクランブル識別子に基づいてタイマーを始動または再始動するとき、タイマーは端末装置のアクティブBWP対に関連付けられたタイマーであることを注意しておくべきである。次の2つの可能性が含まれうる。
【０２３９】
可能性１：第1のメッセージが下りリンク割り当てまたは上りリンク承認を示し、BWP切り換えを示さない場合、端末装置のアクティブ下りリンクBWPは第1のメッセージを受信するために使用される下りリンクBWPであると考えられてもよく、タイマーは、第1のメッセージを受信するために端末装置によって使用されるBWP対に関連付けられたタイマーである、または、タイマーは、第1のメッセージを受信するために端末装置によって使用される下りリンクBWPに対応するBWP対に関連付けられたタイマーである。
【０２４０】
可能性２：第1のメッセージがBWP切り換えと、切り換え先のBWP対がデフォルトBWP対でないこととを示すとき、端末装置のアクティブBWP対は切り換え先のBWP対であると考えられてもよく、タイマーは端末装置が切り換えられる切り換え先のBWP対に関連付けられたタイマーである。たとえば、端末装置は、タイマー3およびタイマー4である2つのタイマーを有し、タイマー3はBWP3対に関連付けられ、タイマー4はBWP4対に関連付けられる。端末装置が、現在のアクティブBWP3対からデフォルトBWP対ではないBWP4対への切り換えを示すために使用される第1のメッセージを受信した後、端末装置は、現在のBWP3対からBWP4対へ切り換える必要がある。端末装置がアクティブBWP3対を非アクティブにすることを決定するとき、端末装置は、非アクティブにされるべきBWP3対に関連付けられたタイマーを停止し、具体的には、端末装置がBWP4対をアクティブにし、BWP3対を非アクティブにすることを決定するとき、対応して、端末装置は、アクティブ化されるべきBWP4対に関連付けられたタイマー4を始動または再始動する必要があり、非アクティブ化されるべきBWP3対に関連付けられたタイマー3を停止する。本願のこの実施形態では、本方法は、さらに：端末装置が、アクティブ下りリンクBWPを非アクティブにすることを決定するとき、端末装置が、非アクティブ化されるべき下りリンクBWPに関連付けられたタイマーを停止すること；または、端末装置が、アクティブなBWP対を非アクティブにすることを決定するとき、端末装置は、非アクティブなBWP対に関連付けられたタイマーを停止することをさらに含んでいてもよいことを注意しておくべきである。端末装置は、第1のメッセージに基づいて、アクティブなBWP対を非アクティブにすることを決定し、非アクティブにされるべきBWP対に関連付けられたタイマーを停止する。さらに、タイマーの期限が切れることを判別するとき、端末装置は、アクティブなBWP対を非アクティブにすることを決定し、非アクティブにされるべきBWP対に関連付けられたタイマーを停止する。
【０２４１】
S703に示される解決策では、非対スペクトル・シナリオにおいて、端末装置のアクティブBWP対がデフォルトBWP対ではなく、構成された資源が下りリンク資源または上りリンク資源である場合、端末装置は、存在する前記少なくとも一つの構成された資源に基づいて、アクティブBWP対に関連付けられたタイマーを始動または再始動してもよい。
【０２４２】
任意的に、S703において、端末装置が、存在する前記少なくとも一つの構成された資源に基づいて、アクティブBWP対に関連付けられたタイマーを始動または再始動することは、以下の可能な態様を含みうる。
【０２４３】
態様１：端末装置が、前記少なくとも一つの構成された資源が存在することを判別するとき、端末装置は、アクティブなBWP対に関連付けられたタイマーを始動または再始動する。
【０２４４】
態様１では、たとえば、非動的スケジューリング、たとえば下りリンク半永続的スケジューリング（Semi-Persistent  Scheduling、SPS）、承認不要（Grant  Free、GF）スケジューリング、または上りリンク半永続的スケジューリングでは、ここで、承認不要（Grant  Free、GF）スケジューリングは、構成された承認タイプ1（configured  grant  Type  1）とも呼ばれ、上りリンク半永続的スケジューリングは、構成された承認タイプ2（configured  grant  Type  2）とも呼ばれるが、端末装置が少なくとも一つの構成された下りリンク資源または構成された上りリンク資源が存在する、すなわち、少なくとも一つの構成された下りリンク割り当て（downlink  assignment）が存在するまたは少なくとも一つの上りリンク承認（uplink  grant）が存在するとき、端末装置はタイマーを始動または再始動する。ここで、タイマーは、アクティブ下りリンクBWPからデフォルトの下りリンクBWPに切り換えるために端末装置によって使用されるタイマーである、またはタイマーは、デフォルトのBWP対をアクティブにし、アクティブなBWP対を非アクティブにするために端末装置によって使用されるタイマーである。これは、PDCCHが受信されたときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。前記少なくとも一つの構成された資源は、端末装置のアクティブBWP対上の少なくとも一つの構成された資源であることを注意しておくべきである。
【０２４５】
態様１は、少なくとも一つの構成された資源が存在するときに実行される直接的なタイマー始動または再始動を記述している。もちろん、タイマーを始動または再始動するかどうかを決定するために、構成された資源上でデータが伝送されるかどうかがさらに判定されてもよい。これについては、下記の態様２で述べる。
【０２４６】
態様２：構成された資源上で伝送されるデータがあることを判別するとき、端末装置は、アクティブなBWP対に関連付けられたタイマーを始動または再始動する。
【０２４７】
態様２では、端末装置は、少なくとも一つの構成された資源が存在することを判別した後、タイマーを始動または再始動しない。その代わりに、端末装置は、構成された資源上でデータが伝送されるかどうかをさらに判定する。たとえば、非動的スケジューリング、たとえば下りリンク半永続的スケジューリング（Semi-Persistent  Scheduling、SPS）、承認不要（Grant  Free、GF）スケジューリング、または上りリンク半永続的スケジューリングでは、ここで、承認不要（Grant  Free、GF）スケジューリングは、構成された承認タイプ1（configured  grant  Type  1）とも呼ばれ、上りリンク半永続的スケジューリングは、構成された承認タイプ2（configured  grant  Type  2）とも呼ばれるが、端末装置が少なくとも一つの構成された下りリンク資源上で下りリンク・データが伝送される、すなわち、少なくとも一つの構成された下りリンク割り当て（downlink  assignment）上で下りリンク・データが伝送されるとき、端末装置はタイマーを始動または再始動する；または、端末装置が少なくとも一つの構成された上りリンク資源上で上りリンク・データが伝送される、すなわち、少なくとも一つの構成された上りリンク承認（uplink  grant）上で上りリンク・データが伝送されるとき、端末装置はタイマーを始動または再始動する。ここで、タイマーは、アクティブBWP対からデフォルトBWP対に切り換えるために端末装置によって使用されるタイマーである、またはタイマーは、デフォルトの下りリンクBWPをアクティブにし、アクティブな下りリンクBWPを非アクティブにするために端末装置によって使用されるタイマーである。これは、PDCCHが受信されたときにのみタイマーが始動または再始動されるため、非動的スケジューリング・プロセスにおいて端末装置がデフォルトBWPに戻る可能性があるという従来技術の問題を回避し、それにより端末装置の現在のデータ伝送への影響を回避する。データ伝送は、端末装置のアクティブBWP対上でのデータ伝送であることを注意しておくべきである。
【０２４８】
一つのスケジューリング・プロセスにおいては、S701が実行された後にS702またはS703のいずれかのみが実行される、すなわち、S702とS703は同期して実行されないことを注意しておくべきである。
【０２４９】
本発明のこの実施形態において提供されるタイマー処理方法によれば、タイマーを始動または再始動するかどうかの判断中に、端末装置は、少なくとも一つの構成された資源が存在することを判別する、または、前記少なくとも一つの構成された資源上でデータが伝送されることを判別する。端末装置のアクティブ下りリンクBWPがデフォルト下りリンクBWPでない場合、端末装置は、存在する前記少なくとも一つの構成された資源に基づいてタイマーを始動または再始動する、または端末装置は、前記少なくとも一つの構成された資源上でデータが伝送されるという事実に基づいてタイマーを始動または再始動する。ここで、タイマーは、アクティブ下りリンクBWPからデフォルト下りリンクBWPに切り換えるために端末装置によって使用されるタイマーである、または、タイマーは、デフォルト下りリンクBWPをアクティブ化し、アクティブ下りリンクBWPを非アクティブ化するために端末装置によって使用されるタイマーである；端末装置のアクティブBWP対がデフォルトBWP対でない場合、端末装置は、存在する前記少なくとも一つの構成された資源に基づいてタイマーを始動または再始動する、または、端末装置は、前記少なくとも一つの構成された資源上でデータが伝送されるという事実に基づいてタイマーを始動または再始動する。ここで、タイマーは、アクティブBWP対からデフォルトBWP対に切り換えるために端末装置によって使用されるタイマーである。または、タイマーは、デフォルトのBWP対をアクティブにし、アクティブなBWP対を非アクティブにするために端末装置によって使用されるタイマーである。これは、端末装置が非動的スケジューリング・プロセスにおいてデフォルトBWPに戻るという問題を解決し、それにより、端末装置の現在のデータ伝送への影響を回避する。
【０２５０】
図5から図7に示される実施形態におけるタイマーは、さらに別のタイプのタイマーであってもよいことを注意しておくべきである。前記別のタイプのタイマーは、アクティブ下りリンクBWPを非アクティブ化するために端末装置によって使用されるタイマーであってもよく、または前記別のタイプのタイマーは、端末装置のアクティブBWP対を非アクティブ化するために端末装置によって使用されてもよい。加えて、対スペクトル・シナリオにおける下りリンクBWPは、BWP対における下りリンクBWPを表わしてもよく、下りリンクBWPと対にされる上りリンクBWPも表わしてもよく、換言すれば、下りリンクBWPは、該下りリンクBWPに対応するBWP対として理解されてもよいことを注意しておくべきである。
【０２５１】
本発明のある実施形態は、別のタイマー処理方法を提供する。本方法は具体的には以下のとおりである。
【０２５２】
端末装置が、ネットワーク装置によって送信された命令メッセージを受信し、前記命令メッセージは、少なくとも一つの二次サービス・セルをアクティブ化するように端末装置に命令する。
【０２５３】
端末装置は、二次サービス・セルに関連付けられたタイマーを始動または再始動する。
【０２５４】
対スペクトル・シナリオでは、タイマーは、アクティブ下りリンク帯域幅部分BWPからデフォルト下りリンクBWPに切り換えるために端末装置によって使用されるタイマーであり、または、タイマーは、デフォルト下りリンクBWPをアクティブ化し、アクティブ下りリンクBWPを非アクティブ化するために端末装置によって使用されるタイマーである。非対スペクトル・シナリオでは、タイマーは、アクティブBWP対からデフォルトBWP対に切り換えるために端末装置によって使用されるタイマーである、またはタイマーは、デフォルトBWP対をアクティブにし、アクティブBWP対を非アクティブにするために端末装置によって使用されるタイマーである。
【０２５５】
任意的に、二次サービス・セルは非アクティブ状態にある。
【０２５６】
任意的に、端末装置がネットワーク装置によって送信された命令メッセージを受信する前に、本方法はさらに以下を含む。
【０２５７】
端末装置が、ネットワーク装置によって送信された無線資源制御RRCメッセージを受信する。ここで、前記RRCメッセージは命令情報を含み、前記命令情報は、前記少なくとも一つの二次サービス・セルを追加または修正するように命令する。対スペクトル・シナリオでは、RRCメッセージは、さらに、二次サービス・セルの第1の下りリンクBWPを含み、該第1の下りリンクBWPは、二次サービス・セルがアクティブ化されるときに最初にアクティブにされる下りリンクBWPであり、該第1の下りリンクBWPは、デフォルトの下りリンクBWPではない。非対スペクトル・シナリオでは、RRCメッセージは、さらに、二次サービス・セルの第1のBWP対を含み、該第1のBWP対は、二次サービス・セルがアクティブ化されるときに最初にアクティブ化されるBWP対であり、該第一のBWP対は、デフォルトの下りリンクBWP対ではない。
【０２５８】
対スペクトル・シナリオでは、タイマーは、第1の下りリンクBWPに関連するタイマーであり、またはタイマーは、現在のアクティブ下りリンクBWPに関連付けられたタイマーであり、該現在のアクティブ下りリンクBWPは前記第1の下りリンクBWPであってもよい。端末装置が、二次サービス・セルに関連付けられたタイマーを始動または再始動することは、端末装置が、二次サービス・セルに関連付けられた第1の下りリンクBWPに関連付けられたタイマーを始動または再始動することとして理解されうる。非対スペクトルのシナリオでは、タイマーは第1のBWP対に関連付けられたタイマーである、または、タイマーは現在のアクティブBWP対に関連付けられたタイマーであり、該現在のアクティブBWP対は第1の下りリンクBWPであってもよい。端末装置が二次サービス・セルに関連付けられたタイマーを始動または再始動することは、端末装置が二次サービス・セルに関連付けられた第1のBWP対に関連付けられたタイマーを始動または再始動することとして理解されてもよい。
【０２５９】
本発明のある実施形態は、別のタイマー処理方法を提供する。本方法は、具体的には、以下のとおりである。
【０２６０】
端末装置が、ネットワーク装置によって送信された命令メッセージを受信する。ここで、前記命令メッセージは、前記端末装置に、少なくとも一つの二次サービス・セルを非アクティブ化するように命令し、前記二次サービス・セルに関連付けられたタイマーは、稼働状態にある。
【０２６１】
対スペクトル・シナリオでは、タイマーは、アクティブ下りリンク帯域幅部分BWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。非対スペクトル・シナリオでは、タイマーは、アクティブBWP対からデフォルトBWP対に切り換えるために端末装置によって使用されるタイマーである、またはタイマーは、デフォルトBWP対をアクティブにし、アクティブBWP対を非アクティブにするために使用されるタイマーである。
【０２６２】
端末装置は、二次サービス・セルに関連付けられたタイマーを停止またはリセットする、または端末装置は、二次サービス・セルに関連付けられたタイマーを停止およびリセットする。
【０２６３】
対スペクトル・シナリオでは、タイマーは、端末装置のアクティブ下りリンクBWPに関連付けられたタイマーである、またはタイマーは、二次サービス・セル内の端末装置のアクティブ下りリンクBWPに関連付けられたタイマーである。端末装置が二次サービス・セルに関連付けられたタイマーを停止またはリセットすることは、端末装置が二次サービス・セルのアクティブ下りリンクBWPに関連付けられたタイマーを停止またはリセットすることと理解されてもよく、あるいは、端末装置が二次サービス・セルに関連付けられたタイマーを停止またはリセットすることは、端末装置が二次サービス・セルのアクティブ下りリンクBWPのいずれかまたは全部に関連付けられたタイマーを停止またはリセットすることと理解されてもよい。非対スペクトル・シナリオでは、タイマーは、端末装置のアクティブBWP対に関連付けられたタイマーである、またはタイマーは、二次サービス・セル内の端末装置のアクティブBWP対に関連付けられたタイマーである。端末装置が二次サービス・セルに関連付けられたタイマーを停止またはリセットすることは、端末装置が二次サービス・セルのアクティブBWP対に関連付けられたタイマーを停止またはリセットすることと理解されてもよく、あるいは、端末装置が二次サービス・セルに関連付けられたタイマーを停止またはリセットすることは、端末装置が二次サービス・セルのアクティブBWP対のいずれかまたは全部に関連付けられたタイマーを停止またはリセットすることと理解されてもよい。
【０２６４】
本発明のある実施形態は、別のタイマー処理方法を提供する。本方法は、具体的には、以下のとおりである。
【０２６５】
端末装置が、二次サービス・セルの二次サービス・セル非アクティブ化タイマーが満了することを判別する。ここで、二次サービス・セルに関連付けられたタイマーが稼働状態にある。
【０２６６】
対スペクトル・シナリオでは、タイマーは、アクティブ下りリンク帯域幅部分BWPからデフォルト下りリンクBWPに切り換えるために端末装置によって使用されるタイマーである、またはタイマーは、デフォルト下りリンクBWPをアクティブ化し、アクティブ下りリンクBWPを非アクティブ化するために端末装置によって使用されるタイマーである。非対スペクトル・シナリオでは、タイマーは、アクティブBWP対からデフォルトBWP対に切り換えるために端末装置によって使用されるタイマーである、またはタイマーは、デフォルトBWP対をアクティブにし、アクティブBWP対を非アクティブにするために使用されるタイマーである。
【０２６７】
端末装置が、二次サービス・セルに関連付けられたタイマーを停止またはリセットする、または、端末装置は、二次サービス・セルに関連付けられたタイマーを停止およびリセットする。
【０２６８】
対スペクトル・シナリオでは、タイマーは、端末装置のアクティブ下りリンクBWPに関連付けられたタイマーである、またはタイマーは、二次サービス・セル内の端末装置のアクティブ下りリンクBWPに関連付けられたタイマーである。端末装置が二次サービス・セルに関連付けられたタイマーを停止またはリセットすることは、端末装置が二次サービス・セルのアクティブ下りリンクBWPに関連付けられたタイマーを停止またはリセットすることと理解されてもよく、あるいは、端末装置が二次サービス・セルに関連付けられたタイマーを停止またはリセットすることは、端末装置が二次サービス・セルのアクティブ下りリンクBWPのいずれかまたは全部に関連付けられたタイマーを停止またはリセットすることと理解されてもよい。非対スペクトル・シナリオでは、タイマーは、端末装置のアクティブBWP対に関連付けられたタイマーであり、または、タイマーは、二次サービス・セル内の端末装置のアクティブBWP対に関連付けられたタイマーである。端末装置が二次サービス・セルに関連付けられたタイマーを停止またはリセットすることは、端末装置が二次サービス・セルのアクティブBWP対に関連付けられたタイマーを停止またはリセットすることと理解されてもよく、あるいは、端末装置が二次サービス・セルに関連付けられたタイマーを停止またはリセットすることは、端末装置が二次サービス・セルのアクティブBWP対のいずれかまたは全部に関連付けられたタイマーを停止またはリセットすることと理解されてもよい。
【０２６９】
図8は、本願のある実施形態による端末装置80の概略構造図である。図8に示されるように、端末装置80は、受信ユニット801および処理ユニット802を含んでいてもよい。
【０２７０】
受信ユニット801は、ネットワーク装置によって送信される第1のメッセージを受信するように構成され、第1のメッセージは、下りリンク割り当てまたは上りリンク承認を示すために使用される、または第1のメッセージは、帯域幅部分BWP切り換えを示すために使用される。
【０２７１】
処理ユニット802は、端末装置80のアクティブ下りリンク帯域幅部BWPがデフォルト下りリンクBWPでない場合、第1のメッセージのスクランブル識別子に基づいてタイマーを始動または再始動するように構成される。ここで、タイマーは、アクティブ下りリンクBWPからデフォルト下りリンクBWPに切り換えるために端末装置80によって使用されるタイマーである、またはタイマーは、デフォルト下りリンクBWPをアクティブ化し、アクティブ下りリンクBWPを非アクティブ化するために端末装置80によって使用されるタイマーである。
【０２７２】
処理ユニット802は、さらに、端末装置80のアクティブBWP対がデフォルトBWP対でない場合、第1のメッセージのスクランブル識別子に基づいてタイマーを始動または再始動するように構成される。ここで、タイマーは、アクティブBWP対からデフォルトBWP対に切り換えるために端末装置80によって使用されるタイマーである、またはタイマーは、デフォルトBWP対をアクティブ化し、アクティブBWP対を非アクティブ化するために端末装置80によって使用されるタイマーである。
【０２７３】
任意的に、処理ユニット802は、スクランブル識別子がランダムアクセス無線ネットワーク一時識別子RA-RNTIまたは一時セル無線ネットワーク一時識別子TC-RNTIでないとき、タイマーを始動または再始動するように具体的に構成される。
【０２７４】
任意的に、処理ユニット802は、スクランブル識別子が第1のスクランブル識別子であるときにタイマーを始動または再始動するように具体的に構成される。ここで、第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【０２７５】
任意的に、処理ユニット802は、スクランブル識別子がランダムアクセス無線ネットワーク一時識別子RA-RNTIであり、端末装置80が非競合ベースのランダムアクセスを実行するとき、タイマーを始動または再始動するように具体的に構成される。
【０２７６】
任意的に、端末装置80は、さらに、以下を含んでいてもよい：
スクランブル識別子がRA-RNTIであり、端末装置が競合ベースのランダムアクセスを実行するとき、もとの状態を維持するようにタイマーを制御するように構成された維持ユニット803。
任意的に、タイマーは、端末装置80のアクティブ下りリンクBWPに関連付けられたタイマーである、またはタイマーは、端末装置80のアクティブBWP対に関連付けられたタイマーである。
本願のこの実施形態に示される端末装置80は、図2または図5に示される実施形態におけるタイマー処理方法の技術的解決策を実行してもよい。
実装原理およびその技術的効果は類似しており、ここで詳細を再び述べることはしない。
図9は、本願のある実施形態による別の端末装置90の概略構造図である。図9に示されるように、端末装置90は、受信ユニット901および処理ユニット902を含んでいてもよい。
受信ユニット901は、ネットワーク装置によって送信される第1のメッセージを受信するように構成され、該第1のメッセージは、下りリンク割り当てまたは上りリンク承認を示すために使用される、または該第1のメッセージは、帯域幅部分BWP切り換えを示すために使用される。
処理ユニット902は、第1のメッセージのキャリア・インデックスに基づいてタイマーを始動または再始動するように構成される。ここで、タイマーは、アクティブ下りリンクBWPからデフォルト下りリンクBWPに切り換えるために端末装置90によって使用されるタイマーである、またはタイマーは、デフォルト下りリンクBWPをアクティブ化し、アクティブ下りリンクBWPを非アクティブ化するために端末装置90によって使用されるタイマーである、またはタイマーは、アクティブBWP対からデフォルトBWP対に切り換えるために端末装置90によって使用されるタイマーである、またはタイマーは、デフォルトBWP対をアクティブ化し、アクティブBWP対を非アクティブ化するために端末装置90によって使用されるタイマーである。
【０２７７】
任意的に、端末装置90のアクティブ下りリンクBWPがデフォルト下りリンクBWPではなく、端末装置90のアクティブ下りリンクBWPがキャリア・インデックスによって示されるキャリアまたはサービス・セルの下りリンクBWPである場合、または、端末装置90のアクティブBWP対がデフォルトBWP対ではなく、端末装置90のアクティブBWP対がキャリア・インデックスによって示されるキャリアまたはサービス・セルのBWP対である場合、タイマーは該キャリアまたは該サービス・セルのタイマーである。
【０２７８】
任意的に、端末装置90のアクティブ下りリンクBWPがデフォルト下りリンクBWPでなく、端末装置90のアクティブ下りリンクBWPが第1のメッセージを受信するために使用されるキャリアまたはサービス・セルの下りリンクBWPである場合、または、端末装置90のアクティブBWP対がデフォルトBWP対でなく、端末装置90のアクティブBWP対が第1のメッセージを受信するために使用されるキャリアまたはサービス・セルのBWP対である場合、タイマーは、第1のメッセージを受信するために使用されるキャリアまたはサービス・セルのタイマーである。
【０２７９】
任意的に、タイマーは、端末装置90のアクティブ下りリンクBWPに関連付けられたタイマーである、またはタイマーは、前記キャリア上または前記サービス・セル内の端末装置90のアクティブ下りリンクBWPに関連付けられたタイマーである、またはタイマーは、端末装置90のアクティブBWP対に関連付けられたタイマーである、またはタイマーは、前記キャリア上または前記サービス・セル内の端末装置90のアクティブBWP対に関連付けられたタイマーである。
【０２８０】
本願のこの実施形態において示される端末装置90は、図3または図6に示される実施形態におけるタイマー処理方法の技術的解決策を実行しうる。実装原理およびその技術的効果は類似しており、ここで詳細を再び述べることはしない。
【０２８１】
図10は、本願のある実施形態による別の端末装置100の概略構造図である。図10に示されるように、端末装置100は、判別ユニット1001および処理ユニット1002を含んでいてもよい。
【０２８２】
判別ユニット1001は、少なくとも一つの構成された資源が存在することを判別するように構成される。
【０２８３】
処理ユニット1002は、端末装置100のアクティブ帯域幅部分BWP対がデフォルトBWP対でない場合、存在する前記少なくとも一つの構成された資源に基づいてタイマーを始動または再始動するように構成される。ここで、タイマーは、アクティブBWP対からデフォルトBWP対に切り換えるために端末装置100によって使用されるタイマーである、またはタイマーは、デフォルトBWP対をアクティブ化し、アクティブBWP対を非アクティブ化するために端末装置100によって使用されるタイマーである。
【０２８４】
任意的に、構成された資源上でデータが伝送される。
【０２８５】
任意的に、構成された資源は、下りリンク資源または上りリンク資源である。
【０２８６】
処理ユニット1002は、前記少なくとも一つの構成された資源が存在するとき、タイマーを始動または再始動する；または、構成された資源が下りリンク資源であり、該下りリンク資源上で下りリンク・データが伝送されるときに、タイマーを始動または再始動する；または、構成された資源が上りリンク資源であり、該上りリンク資源上で上りリンク・データが伝送されるときに、タイマーを始動または再始動するように具体的に構成される。
【０２８７】
任意的に、タイマーは、端末装置100のアクティブBWP対に関連付けられたタイマーである。
【０２８８】
本願の本実施形態に示される端末装置100は、図4または図7に示される実施形態におけるタイマー処理方法の技術的解決策を実行しうる。実装原理およびその技術的効果は類似しており、ここで詳細を再び述べることはしない。
【０２８９】
図11は、本願のある実施形態による端末装置110の概略構造図である。図11に示されるように、端末装置110は、受信機1101およびプロセッサ1102を含んでいてもよい。
【０２９０】
受信機1101は、ネットワーク装置によって送信された第1のメッセージを受信するように構成され、該第1のメッセージは、下りリンク割り当てまたは上りリンク承認を示すために使用される、または第1のメッセージは、帯域幅部分BWP切り換えを示すために使用される。
【０２９１】
プロセッサ1102は、端末装置110のアクティブ下りリンクBWPがデフォルト下りリンクBWPでない場合、第1のメッセージのスクランブル識別子に基づいてタイマーを始動または再始動するように構成される。ここで、タイマーは、アクティブ下りリンクBWPからデフォルト下りリンクBWPに切り換えるために端末装置110によって使用されるタイマーである、またはタイマーは、デフォルト下りリンクBWPをアクティブ化し、アクティブ下りリンクBWPを非アクティブ化するために端末装置110によって使用されるタイマーである；または
プロセッサ1102は、端末装置110のアクティブBWP対がデフォルトBWP対でない場合、第1のメッセージのスクランブル識別子に基づいてタイマーを始動または再始動するように構成される。ここで、タイマーは、アクティブBWP対からデフォルトBWP対に切り換えるために端末装置110によって使用されるタイマーである、または、タイマーは、デフォルトBWP対をアクティブ化し、アクティブBWP対を非アクティブ化するために端末装置110によって使用されるタイマーである。
【０２９２】
任意的に、プロセッサ1102は、スクランブル識別子がランダムアクセス無線ネットワーク一時識別子RA-RNTIまたは一時セル無線ネットワーク一時識別子TC-RNTIでないときに、タイマーを始動または再始動するように具体的に構成される。
【０２９３】
任意的に、プロセッサ1102は、スクランブル識別子が第1のスクランブル識別子であるときにタイマーを始動または再始動するように具体的に構成され、該第1のスクランブル識別子は、セル無線ネットワーク一時識別子C-RNTI、構成されたスケジューリング無線ネットワーク一時識別子CS-RNTI、ページング無線ネットワーク一時識別子P-RNTI、およびシステム情報無線ネットワーク一時識別子SI-RNTIのいずれか一つまたは組み合わせである。
【０２９４】
任意的に、プロセッサ1102は、スクランブル識別子がランダムアクセス無線ネットワーク一時識別子RA-RNTIであり、端末装置110が非競合ベースのランダムアクセスを実行するとき、タイマーを始動または再始動するように具体的に構成される。
【０２９５】
任意的に、プロセッサ1102は、スクランブル識別子がRA-RNTIであり、端末装置が競合ベースのランダムアクセスを実行するとき、もとの状態を維持するようにタイマーを制御するようにさらに構成される。
【０２９６】
任意的に、タイマーは、端末装置110のアクティブ下りリンクBWPに関連付けられたタイマーである、またはタイマーは、端末装置110のアクティブBWP対に関連付けられたタイマーである。
【０２９７】
本願のこの実施形態に示される端末装置110は、図2または図5に示される実施形態におけるタイマー処理方法の技術的解決策を実行しうる。実装原理およびその技術的効果は類似しており、ここで詳細を再び述べることはしない。
【０２９８】
図12は、本発明のある実施形態による別の端末装置120の概略構造図である。図12に示されるように、端末装置120は、受信機1201およびプロセッサ1202を含んでいてもよい。
【０２９９】
受信機1201は、ネットワーク装置によって送信される第1のメッセージを受信するように構成され、該第1のメッセージは、下りリンク割り当てまたは上りリンク承認を示すために使用される、または該第1のメッセージは、帯域幅部分BWP切り換えを示すために使用される。
【０３００】
プロセッサ1202は、第1のメッセージのキャリア・インデックスに基づいてタイマーを始動または再始動するように構成される。ここで、タイマーは、アクティブ下りリンクBWPからデフォルト下りリンクBWPに切り換えるために端末装置120によって使用されるタイマーである、または、タイマーは、デフォルト下りリンクBWPをアクティブ化し、アクティブ下りリンクBWPを非アクティブ化するために端末装置120によって使用されるタイマーである、またはタイマーは、アクティブBWP対からデフォルトBWP対に切り換えるために端末装置120によって使用されるタイマーである、またはタイマーは、デフォルトBWP対をアクティブ化し、アクティブBWP対を非アクティブ化するために端末装置120によって使用されるタイマーである。
【０３０１】
任意的に、端末装置120のアクティブ下りリンクBWPがデフォルト下りリンクBWPではなく、端末装置120のアクティブ下りリンクBWPがキャリア・インデックスによって示されるキャリアまたはサービス・セルの下りリンクBWPである場合、または、端末装置120のアクティブBWP対がデフォルトBWP対でなく、端末装置120のアクティブBWP対がキャリア・インデックスによって示されるキャリアまたはサービス・セルのBWP対である場合、タイマーは該キャリアまたは該サービス・セルのタイマーである。
【０３０２】
任意的に、端末装置120のアクティブ下りリンクBWPがデフォルト下りリンクBWPでなく、端末装置120のアクティブ下りリンクBWPが第1のメッセージを受信するために使用されるキャリアまたはサービス・セルの下りリンクBWPである場合、または、端末装置120のアクティブBWP対がデフォルトBWP対でなく、端末装置120のアクティブBWP対が第1のメッセージを受信するために使用されるキャリアまたはサービス・セルのBWP対である場合、タイマーは、第1のメッセージを受信するために使用されるキャリアまたはサービス・セルのタイマーである。
【０３０３】
任意的に、タイマーは、端末装置120のアクティブ下りリンクBWPに関連付けられたタイマーである、またはタイマーは、キャリア上またはサービス・セル内の端末装置120のアクティブ下りリンクBWPに関連付けられたタイマーである、またはタイマーは、端末装置120のアクティブBWP対に関連付けられたタイマーである、またはタイマーは、キャリア上またはサービス・セル内の端末装置120のアクティブBWP対に関連付けられたタイマーである。
【０３０４】
本願のこの実施形態において示される端末装置120は、図3または図6に示される実施形態におけるタイマー処理方法の技術的解決策を実行しうる。実装原理およびその技術的効果は類似しており、ここで詳細を再び述べることはしない。
【０３０５】
図13は、本願のある実施形態による別の端末装置130の概略構造図である。図13に示されるように、端末装置130は、プロセッサ1301を含んでいてもよい。
【０３０６】
プロセッサ1301は、少なくとも一つの構成された資源が存在することを判別するように構成される。
【０３０７】
プロセッサ1301は：端末装置130のアクティブ帯域幅部分BWP対がデフォルトBWP対でない場合、存在する前記少なくとも一つの構成された資源に基づいてタイマーを始動または再始動するように構成され、タイマーは、アクティブBWP対からデフォルトBWP対に切り換えるために端末装置130によって使用されるタイマーである、またはタイマーは、デフォルトBWP対をアクティブ化し、アクティブBWP対を非アクティブ化するために端末装置130によって使用されるタイマーである。
【０３０８】
任意的に、構成された資源上でデータが伝送される。
【０３０９】
任意的に、構成された資源は、下りリンク資源または上りリンク資源である。
【０３１０】
プロセッサ1301は、具体的には：前記少なくとも一つの構成された資源が存在することを判別するときにタイマーを始動または再始動するよう；または、構成された資源が下りリンク資源であり、該下りリンク資源上で下りリンク・データが伝送されるときにタイマーを始動または再始動する；または、構成された資源が上りリンク資源であり、該上りリンク資源上で上りリンク・データが伝送されるときにタイマーを始動または再始動するように構成される。
【０３１１】
任意的に、タイマーは、端末装置130のアクティブBWP対に関連付けられたタイマーである。
【０３１２】
本願のこの実施形態において示される端末装置130は、図4または図7に示される実施形態におけるタイマー処理方法の技術的解決策を実行しうる。実装原理およびその技術的効果は類似しており、ここで詳細を再び述べることはしない。
【０３１３】
図14は、本願のある実施形態による別の端末装置140の概略構造図である。図14に示されるように、端末装置140は、プロセッサ1401およびメモリ1402を含んでいてもよい。
【０３１４】
メモリ1402は、プログラム命令を記憶するように構成される。
【０３１５】
プロセッサ1401は、メモリ1402に記憶されたプログラム命令を呼び出して実行し、前述の実施形態のいずれかに示されたタイマー処理方法を実行するように構成される。
【０３１６】
本願のこの実施形態において示される端末装置140は、図2から図4に示される任意の実施形態におけるタイマー処理方法の技術的解決策を実行しうる。実装原理およびその技術的効果は類似しており、ここで詳細を再び述べることはしない。
【０３１７】
図11から図14に示されるプロセッサは、中央処理装置（Central  Processing  Unit、CPU）であってもよく、別の汎用プロセッサ、デジタル信号プロセッサ（Digital  Signal  Processor、DSP）、特定用途向け集積回路（Application  Specific  Integrated  Circuit、ASIC）などであってもよいことを理解しておくべきである。前記汎用プロセッサは、マイクロプロセッサであってもよく、または前記プロセッサは、任意の従来のプロセッサ等であってもよい。本願に関連して開示される方法の段階は、ハードウェアプロセッサによって直接実装されてもよく、またはプロセッサにおけるハードウェアとソフトウェア・モジュールの組み合わせによって実装されてもよい。
【０３１８】
前述の方法実施形態における段階の全部または一部は、関連するハードウェアに命令するプログラムによって実装されてもよい。前述のプログラムは、コンピュータ読取可能メモリに記憶されてもよい。プログラムが実行されると、方法実施形態の段階が実行される。前記メモリ（記憶媒体）は、読み出し専用メモリ（read-only  memory、ROM）、RAM、フラッシュメモリ、ハードディスク、固体ディスク、磁気テープ（magnetic  tape）、フロッピーディスク（floppy  disk）、光ディスク（optical  disc）、およびそれらの任意の組み合わせを含む。
【０３１９】
本願のある実施形態は、コンピュータ読取可能な記憶媒体をさらに提供する。コンピュータ読取可能記憶媒体は、コンピュータ・プログラムを記憶し、プロセッサによって実行されると、コンピュータ・プログラムは、前述の実施形態のいずれかに示されるタイマー処理方法を実行する。
【０３２０】
本願のこの実施形態に示されるコンピュータ読取可能な記憶媒体は、図2から図4に示される任意の実施形態におけるタイマー処理方法の技術的解決策を実行しうる。実装原理およびその技術的効果は類似しており、ここで詳細を再び述べることはしない。
【０３２１】
本願のある実施形態は、チップをさらに提供する。チップは、コンピュータ・プログラムを記憶し、プロセッサによって実行されると、コンピュータ・プログラムは、前述の実施形態のいずれかに示されるタイマー処理方法を実行する。
【０３２２】
本願のこの実施形態において示されるチップは、図2から図4に示される任意の実施形態におけるタイマー処理方法の技術的解決策を実行しうる。実装原理およびその技術的効果は類似しており、ここで詳細を再び述べることはしない。
【０３２３】
前述の実施形態の全部または一部は、ソフトウェア、ハードウェア、ファームウェア、またはそれらの任意の組み合わせを通じて実装されうる。実施形態を実装するためにソフトウェアが使用されるとき、実施形態は、完全にまたは部分的に、コンピュータ・プログラム製品の形で実装されてもよい。コンピュータ・プログラム製品は、一つまたは複数のコンピュータ命令を含む。コンピュータ・プログラム命令がロードされ、コンピュータ上で実行されるとき、本願の実施形態による手順または機能が、全部または部分的に生成される。コンピュータは、汎用コンピュータ、専用コンピュータ、コンピュータネットワーク、または他のプログラム可能な装置であってもよい。コンピュータ命令は、コンピュータ読取可能な記憶媒体に記憶されてもよく、またはあるコンピュータ読取可能な記憶媒体から別のコンピュータ読取可能な記憶媒体に送信されてもよい。たとえば、コンピュータ命令は、ウェブサイト、コンピュータ、サーバー、またはデータセンターから別のウェブサイト、コンピュータ、サーバー、またはデータセンターに、有線（たとえば、同軸ケーブル、光ファイバー、またはデジタル加入者回線（Digital  Subscriber  Line、DSL））または無線（たとえば、赤外線、電波、またはマイクロ波）方式で送信されてもよい。コンピュータ読取可能な記憶媒体は、コンピュータによってアクセス可能な任意の使用可能な媒体、または一つまたは複数の使用可能な媒体を統合するサーバーまたはデータセンターなどのデータ記憶装置であってもよい。使用可能な媒体は、磁気媒体（たとえば、フロッピーディスク、ハードディスク、または磁気テープ）、光媒体（たとえば、DVD）、半導体媒体（たとえば、固体ディスク（solid  state  Disk、SSD））などでありうる。
【０３２４】
当業者は、前述の一つまたは複数の例において、本願の実施形態において記載される機能は、ハードウェア、ソフトウェア、ファームウェア、またはそれらの任意の組み合わせによって実現されうることを認識するはずである。本願がソフトウェアによって実装されるとき、これらの機能は、コンピュータ読取可能な媒体に記憶されるか、またはコンピュータ読取可能な媒体内の一つまたは複数の命令またはコードとして伝送される。コンピュータ読取可能な媒体は、コンピュータ記憶媒体と通信媒体とを含み、通信媒体は、コンピュータ・プログラムがある場所から別の場所へ伝送されることを可能にする任意の媒体を含む。記憶媒体は、汎用コンピュータまたは専用コンピュータにとってアクセス可能な任意の利用可能な媒体でありうる。
【図１】
2021510051.tif 000003
【図２】
2021510051.tif 000004
【図３】
2021510051.tif 000005
【図４】
2021510051.tif 000006
【図５】
2021510051.tif 000007
【図６】
2021510051.tif 000008
【図７】
2021510051.tif 000009
【図８】
2021510051.tif 000010
【図９】
2021510051.tif 000011
【図１０】
2021510051.tif 000012
【図１１】
2021510051.tif 000013
【図１２】
2021510051.tif 000014
【図１３】
2021510051.tif 000015
【図１４】
2021510051.tif 000016
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
端末装置によって実行されるタイマー処理方法であって：
ネットワーク装置からの第1のメッセージを受信する段階であって、前記第1のメッセージは、下りリンク割り当てまたは上りリンク承認を示すために使用され、第1のスクランブル識別子を使ってスクランブルされている、段階と；
前記第1のスクランブル識別子を使ってスクランブルされた前記第1のメッセージの受信に応答してタイマーを始動または再始動する段階であって、前記タイマーは、アクティブ下りリンクBWPからデフォルト下りリンクBWPに切り換えるために前記端末装置によって使用されるタイマーであり、前記端末装置のアクティブ下りリンクBWPは前記デフォルト下りリンクBWPではない、
方法。
【請求項２】
前記第1のスクランブル識別子は、セル無線ネットワーク一時識別子（C-RNTI）または構成されたスケジューリング無線ネットワーク一時識別子（CS-RNTI）である、
請求項１に記載の方法。
【請求項３】
当該方法が：
ランダムアクセス手順を開始する段階と；
前記ランダムアクセス手順を開始することに応答して前記タイマーを停止させる段階とをさらに含む、
請求項１または２に記載の方法。
【請求項４】
前記第1のメッセージがキャリア・インデックスを含み、前記キャリア・インデックスが第1のキャリアまたは第1のサービス・セルを示す、
請求項１に記載の方法。
【請求項５】
前記端末装置の前記アクティブ下りリンクBWPが、前記キャリア・インデックスによって示される前記第1のキャリアまたは前記第1のサービス・セルの下りリンクBWPであり、前記タイマーを始動または再始動することが：
前記第1のキャリアまたは前記第1のサービス・セルに関連付けられたタイマーを始動または再始動することを含む、
請求項４に記載の方法。
【請求項６】
前記端末装置の前記アクティブ下りリンクBWPが、前記第1のメッセージを受信するために使用される第2のキャリアまたは第2のサービス・セルの下りリンクBWPであり、前記第1のキャリアが前記第2のキャリアと異なるまたは前記第1のサービス・セルが前記第2のサービス・セルと異なり、前記タイマーを始動または再始動することが：
前記第1のメッセージを受信するために使用される前記第2のキャリアまたは前記第2のサービス・セルのタイマーを始動または再始動することを含む、請求項４に記載の方法。
【請求項７】
前記タイマーは、前記端末装置の前記アクティブ下りリンクBWPに関連付けられたタイマーである、請求項４ないし６のうちいずれか一項に記載の方法。
【請求項８】
前記デフォルト下りリンクBWPは、前記ネットワーク装置によって構成される；または前記端末装置のためにデフォルトの下りリンクBWPが構成されない場合、前記デフォルト下りリンクBWPは、初期の下りリンクBWPである、請求項１ないし７のうちいずれか一項に記載の方法。
【請求項９】
前記第1のメッセージが物理下りリンク制御チャネル（PDCCH）上で搬送される、請求項１に記載の方法。
【請求項１０】
前記ランダムアクセス手順の間、前記タイマーは非稼働状態にある、請求項３に記載の方法。
【請求項１１】
当該方法がさらに：
前記タイマーが満了することに応答して、前記アクティブ下りリンクBWPを前記デフォルト下りリンクBWPに切り換える段階をさらに含む、
請求項１に記載の方法。
【請求項１２】
請求項１ないし１０のうちいずれか一項に記載の方法を実行するように構成されている装置。
【請求項１３】
プロセッサによって実行されたときに、前記プロセッサに、請求項１ないし１０のうちいずれか一項に記載の方法を実行させるプログラムを有するコンピュータ可読記憶媒体。
【国際調査報告】
2021510051.tif 000017
2021510051.tif 000018
2021510051.tif 000019
2021510051.tif 000020